(57)【要約】【課題】ＬＥＤ光源からの光を広角撮像レンズの視野範囲周縁部分に照射する。【解決手段】撮像レンズ鏡胴A1の径方向外側に配置するためのカメラ用ＬＥＤ照明装置100において、撮像レンズ鏡胴A1の中心軸線A1'を中心とする円C1上に配列された複数のＬＥＤ光源1-1,..の光軸1-1',..を中心軸線A1'に平行に配置し、ＬＥＤ光源1-1の発光中心から照射され導光レンズ2の入光面2a1を透過し反射面2c1によって反射され出光面2d1を透過し平面S1内を進む光L0が、光軸1-1'とθ2をなし、ＬＥＤ光源1-1の発光中心から照射され入光面2a1、出光面2d2を透過し平面S1内を進む光L3bが、光軸1-1'とθ3(＜θ2)をなし、反射面2c2によって反射され出光面2d3を透過し平面S1内を進む光L4aが光軸1-1'とθ4をなし、出光面2d4を透過し平面S1内を進む光L5aが光軸1-1'とθ5(＜θ4)をなし、中心軸線A1'を中心とする回転体形状に導光レンズ2を形成した。【選択図】図２
2013152311.tif 000002
【特許請求の範囲】
【請求項１】
撮像レンズ鏡胴（Ａ１）の径方向外側に配置するための複数のＬＥＤ光源（１−１，…）を具備するカメラ用ＬＥＤ照明装置（１００）において、
撮像レンズ鏡胴（Ａ１）の中心軸線（Ａ１’）に垂直な平面（Ｓ０）上に位置する円（Ｃ１）であって、撮像レンズ鏡胴（Ａ１）の中心軸線（Ａ１’）を中心とする円（Ｃ１）上に、複数のＬＥＤ光源（１−１，…）を配列し、
複数のＬＥＤ光源（１−１，…）の光軸（１−１’，…）を撮像レンズ鏡胴（Ａ１）の中心軸線（Ａ１’）に平行に配置し、
複数のＬＥＤ光源（１−１，…）からの光を導光して撮像レンズの視野範囲に照射するための導光レンズ（２）を設け、
複数のＬＥＤ光源（１−１，…）のうちの一のＬＥＤ光源（１−１）の光軸（１−１’）と第１角度（θ１）以下の角度をなして一のＬＥＤ光源（１−１）から照射され、撮像レンズ鏡胴（Ａ１）の中心軸線（Ａ１’）と一のＬＥＤ光源（１−１）の光軸（１−１’）とを含む平面（Ｓ１）内を進む光が、導光レンズ（２）に入光するための第１入光面（２ａ１）を、導光レンズ（２）の入光部側（２Ａ）に形成し、
一のＬＥＤ光源（１−１）の発光中心から照射され、導光レンズ（２）の第１入光面（２ａ１）を透過し、平面（Ｓ１）内を進む光が、一のＬＥＤ光源（１−１）の光軸（１−１’）に平行な光になるように、導光レンズ（２）の第１入光面（２ａ１）を設定し、
一のＬＥＤ光源（１−１）の光軸（１−１’）と第１角度（θ１）より大きい角度をなして一のＬＥＤ光源（１−１）から照射され、平面（Ｓ１）内を撮像レンズ鏡胴（Ａ１）の中心軸線（Ａ１’）に近づく側に進む光が、導光レンズ（２）に入光するための第２入光面（２ａ２）を、導光レンズ（２）の入光部側（２Ａ）に形成し、
導光レンズ（２）の第２入光面（２ａ２）を透過した光を反射するための第１反射面（２ｂ１）を、導光レンズ（２）の入光部側（２Ａ）に形成し、
一のＬＥＤ光源（１−１）の発光中心から照射され、導光レンズ（２）の第２入光面（２ａ２）を透過し、導光レンズ（２）の第１反射面（２ｂ１）によって反射され、平面（Ｓ１）内を進む光が、一のＬＥＤ光源（１−１）の光軸（１−１’）に平行な光になるように、導光レンズ（２）の第２入光面（２ａ２）および第１反射面（２ｂ１）を設定し、
一のＬＥＤ光源（１−１）の光軸（１−１’）と第１角度（θ１）より大きい角度をなして一のＬＥＤ光源（１−１）から照射され、平面（Ｓ１）内を撮像レンズ鏡胴（Ａ１）の中心軸線（Ａ１’）から離れる側に進む光が、導光レンズ（２）に入光するための第３入光面（２ａ３）を、導光レンズ（２）の入光部側（２Ａ）に形成し、
導光レンズ（２）の第３入光面（２ａ３）を透過した光を反射するための第２反射面（２ｂ２）を、導光レンズ（２）の入光部側（２Ａ）に形成し、
一のＬＥＤ光源（１−１）の発光中心から照射され、導光レンズ（２）の第３入光面（２ａ３）を透過し、導光レンズ（２）の第２反射面（２ｂ２）によって反射され、平面（Ｓ１）内を進む光が、一のＬＥＤ光源（１−１）の光軸（１−１’）に平行な光になるように、導光レンズ（２）の第３入光面（２ａ３）および第２反射面（２ｂ２）を設定し、
一のＬＥＤ光源（１−１）から照射され、導光レンズ（２）の第１入光面（２ａ１）を透過した光の一部を、撮像レンズ鏡胴（Ａ１）の中心軸線（Ａ１’）から離れる側に反射するための第３反射面（２ｃ１）を、導光レンズ（２）の入光部側（２Ａ）とは反対側の導光レンズ（２）の出光部側（２Ｂ）に形成し、
一のＬＥＤ光源（１−１）から照射され、導光レンズ（２）の第１入光面（２ａ１）を透過し、導光レンズ（２）の第３反射面（２ｃ１）によって反射された光が、導光レンズ（２）から出光するための第１出光面（２ｄ１）を、導光レンズ（２）の出光部側（２Ｂ）に形成し、
一のＬＥＤ光源（１−１）から照射され、導光レンズ（２）の第１入光面（２ａ１）を透過した光の他の一部が、導光レンズ（２）から出光するための第２出光面（２ｄ２）を、導光レンズ（２）の出光部側（２Ｂ）に形成し、
一のＬＥＤ光源（１−１）の発光中心から照射され、導光レンズ（２）の第１入光面（２ａ１）を透過し、導光レンズ（２）の第３反射面（２ｃ１）によって反射され、導光レンズ（２）の第１出光面（２ｄ１）を透過し、平面（Ｓ１）内を進む光が、一のＬＥＤ光源（１−１）の光軸（１−１’）と第２角度（θ２）をなすと共に、
一のＬＥＤ光源（１−１）の発光中心から照射され、導光レンズ（２）の第１入光面（２ａ１）を透過し、導光レンズ（２）の第２出光面（２ｄ２）を透過し、平面（Ｓ１）内を進む光が、一のＬＥＤ光源（１−１）の光軸（１−１’）と第２角度（θ２）より小さい第３角度（θ３）をなすように、導光レンズ（２）の第３反射面（２ｃ１）、第１出光面（２ｄ１）および第２出光面（２ｄ２）を設定し、
一のＬＥＤ光源（１−１）から照射され、導光レンズ（２）の第２入光面（２ａ２）を透過し、導光レンズ（２）の第１反射面（２ｂ１）によって反射された光の一部を、撮像レンズ鏡胴（Ａ１）の中心軸線（Ａ１’）から離れる側に反射するための第４反射面（２ｃ２）を、導光レンズ（２）の出光部側（２Ｂ）に形成し、
一のＬＥＤ光源（１−１）から照射され、導光レンズ（２）の第２入光面（２ａ２）を透過し、導光レンズ（２）の第１反射面（２ｂ１）によって反射され、導光レンズ（２）の第４反射面（２ｃ２）によって反射された光が、導光レンズ（２）から出光するための第３出光面（２ｄ３）を、導光レンズ（２）の出光部側（２Ｂ）に形成し、
一のＬＥＤ光源（１−１）から照射され、導光レンズ（２）の第２入光面（２ａ２）を透過し、導光レンズ（２）の第１反射面（２ｂ１）によって反射された光の他の一部が、導光レンズ（２）から出光するための第４出光面（２ｄ４）を、導光レンズ（２）の出光部側（２Ｂ）に形成し、
一のＬＥＤ光源（１−１）の発光中心から照射され、導光レンズ（２）の第２入光面（２ａ２）を透過し、導光レンズ（２）の第１反射面（２ｂ１）によって反射され、導光レンズ（２）の第４反射面（２ｃ２）によって反射され、導光レンズ（２）の第３出光面（２ｄ３）を透過し、平面（Ｓ１）内を進む光が、一のＬＥＤ光源（１−１）の光軸（１−１’）と第４角度（θ４）をなすと共に、
一のＬＥＤ光源（１−１）の発光中心から照射され、導光レンズ（２）の第２入光面（２ａ２）を透過し、導光レンズ（２）の第１反射面（２ｂ１）によって反射され、導光レンズ（２）の第４出光面（２ｄ４）を透過し、平面（Ｓ１）内を進む光が、一のＬＥＤ光源（１−１）の光軸（１−１’）と第４角度（θ４）より小さい第５角度（θ５）をなすように、導光レンズ（２）の第４反射面（２ｃ２）、第３出光面（２ｄ３）および第４出光面（２ｄ４）を設定し、
一のＬＥＤ光源（１−１）から照射され、導光レンズ（２）の第３入光面（２ａ３）を透過し、導光レンズ（２）の第２反射面（２ｂ２）によって反射された光の一部を、撮像レンズ鏡胴（Ａ１）の中心軸線（Ａ１’）から離れる側に反射するための第５反射面（２ｃ３）を、導光レンズ（２）の出光部側（２Ｂ）に形成し、
一のＬＥＤ光源（１−１）から照射され、導光レンズ（２）の第３入光面（２ａ３）を透過し、導光レンズ（２）の第２反射面（２ｂ２）によって反射され、導光レンズ（２）の第５反射面（２ｃ３）によって反射された光が、導光レンズ（２）から出光するための第５出光面（２ｄ５）を、導光レンズ（２）の出光部側（２Ｂ）に形成し、
一のＬＥＤ光源（１−１）から照射され、導光レンズ（２）の第３入光面（２ａ３）を透過し、導光レンズ（２）の第２反射面（２ｂ２）によって反射された光の他の一部が、導光レンズ（２）から出光するための第６出光面（２ｄ６）を、導光レンズ（２）の出光部側（２Ｂ）に形成し、
一のＬＥＤ光源（１−１）の発光中心から照射され、導光レンズ（２）の第３入光面（２ａ３）を透過し、導光レンズ（２）の第２反射面（２ｂ２）によって反射され、導光レンズ（２）の第５反射面（２ｃ３）によって反射され、導光レンズ（２）の第５出光面（２ｄ５）を透過し、平面（Ｓ１）内を進む光が、一のＬＥＤ光源（１−１）の光軸（１−１’）と第６角度（θ６）をなすと共に、
一のＬＥＤ光源（１−１）の発光中心から照射され、導光レンズ（２）の第３入光面（２ａ３）を透過し、導光レンズ（２）の第２反射面（２ｂ２）によって反射され、導光レンズ（２）の第６出光面（２ｄ６）を透過し、平面（Ｓ１）内を進む光が、一のＬＥＤ光源（１−１）の光軸（１−１’）と第６角度（θ６）より小さい第７角度（θ７）をなすように、導光レンズ（２）の第５反射面（２ｃ３）、第５出光面（２ｄ５）および第６出光面（２ｄ６）を設定し、
第２角度（θ２）と第４角度（θ４）と第６角度（θ６）とが互いに異なる値になるように、導光レンズ（２）の第３反射面（２ｃ１）、第１出光面（２ｄ１）、第４反射面（２ｃ２）、第３出光面（２ｄ３）、第５反射面（２ｃ３）および第５出光面（２ｄ５）を設定し、
第３角度（θ３）と第５角度（θ５）と第７角度（θ７）とが互いに異なる値になるように、導光レンズ（２）の第２出光面（２ｄ２）、第４出光面（２ｄ４）および第６出光面（２ｄ６）を設定し、
撮像レンズ鏡胴（Ａ１）の中心軸線（Ａ１’）を中心とする回転体形状に導光レンズ（２）を形成したことを特徴とするカメラ用ＬＥＤ照明装置（１００）。
【請求項２】
一のＬＥＤ光源（１−１）から照射され、導光レンズ（２）の第３入光面（２ａ３）を透過し、導光レンズ（２）の第２反射面（２ｂ２）によって反射された光の一部を、撮像レンズ鏡胴（Ａ１）の中心軸線（Ａ１’）から離れる側に反射するための第６反射面（２ｃ４）を、導光レンズ（２）の出光部側（２Ｂ）の第３反射面（２ｃ１）と第５反射面（２ｃ３）との間に形成し、
一のＬＥＤ光源（１−１）から照射され、導光レンズ（２）の第３入光面（２ａ３）を透過し、導光レンズ（２）の第２反射面（２ｂ２）によって反射され、導光レンズ（２）の第６反射面（２ｃ４）によって反射された光が、導光レンズ（２）から出光するための第７出光面（２ｄ７）を、導光レンズ（２）の出光部側（２Ｂ）に形成し、
一のＬＥＤ光源（１−１）の発光中心から照射され、導光レンズ（２）の第３入光面（２ａ３）を透過し、導光レンズ（２）の第２反射面（２ｂ２）によって反射され、導光レンズ（２）の第６反射面（２ｃ４）によって反射され、導光レンズ（２）の第７出光面（２ｄ７）を透過し、平面（Ｓ１）内を進む光が、導光レンズ（２）の第６出光面（２ｄ６）を介して導光レンズ（２）に入光し、導光レンズ（２）の第５出光面（２ｄ５）を透過して導光レンズ（２）から出光し、一のＬＥＤ光源（１−１）の光軸（１−１’）と９０°より大きい第８角度（θ８）をなし、撮像レンズ鏡胴（Ａ１）の中心軸線（Ａ１’）から離れる側であって、導光レンズ（２）の入光部側（２Ａ）に照射されることを特徴とする請求項１に記載のカメラ用ＬＥＤ照明装置（１００）。
【請求項３】
撮像レンズ鏡胴（Ａ１）の径方向外側に配置するための複数のＬＥＤ光源（１−１，…）を具備するカメラ用ＬＥＤ照明装置（１００）において、
撮像レンズ鏡胴（Ａ１）の中心軸線（Ａ１’）に垂直な平面（Ｓ０）上に位置する正Ｎ角形（Ｐ１）（Ｎは３以上の整数）であって、撮像レンズ鏡胴（Ａ１）の中心軸線（Ａ１’）を中心とする正Ｎ角形（Ｐ１）のＮ本の辺（ＳＤ１，…，ＳＤＮ）上に、複数のＬＥＤ光源（１−１，…）を配列し、
複数のＬＥＤ光源（１−１，…）の光軸（１−１’，…）を撮像レンズ鏡胴（Ａ１）の中心軸線（Ａ１’）に平行に配置し、
複数のＬＥＤ光源（１−１，…）からの光を導光して撮像レンズの視野範囲に照射するための導光レンズ（２）を設け、
正Ｎ角形（Ｐ１）のＮ本の辺（ＳＤ１，…，ＳＤＮ）のそれぞれに平行なＮ個の直線状のレンズ部（２−１，…，２−Ｎ）を導光レンズ（２）に形成し、
複数のＬＥＤ光源（１−１，…）のうちの一のＬＥＤ光源（１−１）を、正Ｎ角形（Ｐ１）の第１辺（ＳＤ１）上に配置し、
一のＬＥＤ光源（１−１）の光軸（１−１’）と第１角度（θ１）以下の角度をなして一のＬＥＤ光源（１−１）から照射され、一のＬＥＤ光源（１−１）の光軸（１−１’）を含む平面（Ｓ２）であって、正Ｎ角形（Ｐ１）の第１辺（ＳＤ１）に垂直な平面（Ｓ２）内を進む光が、導光レンズ（２）の第１レンズ部（２−１）に入光するための第１入光面（２ａ１）を、導光レンズ（２）の第１レンズ部（２−１）の入光部側（２Ａ）に形成し、
一のＬＥＤ光源（１−１）の発光中心から照射され、導光レンズ（２）の第１レンズ部（２−１）の第１入光面（２ａ１）を透過し、平面（Ｓ２）内を進む光が、一のＬＥＤ光源（１−１）の光軸（１−１’）に平行な光になるように、導光レンズ（２）の第１レンズ部（２−１）の第１入光面（２ａ１）を設定し、
一のＬＥＤ光源（１−１）の光軸（１−１’）と第１角度（θ１）より大きい角度をなして一のＬＥＤ光源（１−１）から照射され、平面（Ｓ２）内を撮像レンズ鏡胴（Ａ１）の中心軸線（Ａ１’）に近づく側に進む光が、導光レンズ（２）の第１レンズ部（２−１）に入光するための第２入光面（２ａ２）を、導光レンズ（２）の第１レンズ部（２−１）の入光部側（２Ａ）に形成し、
導光レンズ（２）の第１レンズ部（２−１）の第２入光面（２ａ２）を透過した光を反射するための第１反射面（２ｂ１）を、導光レンズ（２）の第１レンズ部（２−１）の入光部側（２Ａ）に形成し、
一のＬＥＤ光源（１−１）の発光中心から照射され、導光レンズ（２）の第１レンズ部（２−１）の第２入光面（２ａ２）を透過し、導光レンズ（２）の第１レンズ部（２−１）の第１反射面（２ｂ１）によって反射され、平面（Ｓ２）内を進む光が、一のＬＥＤ光源（１−１）の光軸（１−１’）に平行な光になるように、導光レンズ（２）の第１レンズ部（２−１）の第２入光面（２ａ２）および第１反射面（２ｂ１）を設定し、
一のＬＥＤ光源（１−１）の光軸（１−１’）と第１角度（θ１）より大きい角度をなして一のＬＥＤ光源（１−１）から照射され、平面（Ｓ２）内を撮像レンズ鏡胴（Ａ１）の中心軸線（Ａ１’）から離れる側に進む光が、導光レンズ（２）の第１レンズ部（２−１）に入光するための第３入光面（２ａ３）を、導光レンズ（２）の第１レンズ部（２−１）の入光部側（２Ａ）に形成し、
導光レンズ（２）の第１レンズ部（２−１）の第３入光面（２ａ３）を透過した光を反射するための第２反射面（２ｂ２）を、導光レンズ（２）の第１レンズ部（２−１）の入光部側（２Ａ）に形成し、
一のＬＥＤ光源（１−１）の発光中心から照射され、導光レンズ（２）の第１レンズ部（２−１）の第３入光面（２ａ３）を透過し、導光レンズ（２）の第１レンズ部（２−１）の第２反射面（２ｂ２）によって反射され、平面（Ｓ２）内を進む光が、一のＬＥＤ光源（１−１）の光軸（１−１’）に平行な光になるように、導光レンズ（２）の第１レンズ部（２−１）の第３入光面（２ａ３）および第２反射面（２ｂ２）を設定し、
一のＬＥＤ光源（１−１）から照射され、導光レンズ（２）の第１レンズ部（２−１）の第１入光面（２ａ１）を透過した光の一部を、撮像レンズ鏡胴（Ａ１）の中心軸線（Ａ１’）から離れる側に反射するための第３反射面（２ｃ１）を、導光レンズ（２）の第１レンズ部（２−１）の入光部側（２Ａ）とは反対側の導光レンズ（２）の第１レンズ部（２−１）の出光部側（２Ｂ）に形成し、
一のＬＥＤ光源（１−１）から照射され、導光レンズ（２）の第１レンズ部（２−１）の第１入光面（２ａ１）を透過し、導光レンズ（２）の第１レンズ部（２−１）の第３反射面（２ｃ１）によって反射された光が、導光レンズ（２）から出光するための第１出光面（２ｄ１）を、導光レンズ（２）の第１レンズ部（２−１）の出光部側（２Ｂ）に形成し、
一のＬＥＤ光源（１−１）から照射され、導光レンズ（２）の第１レンズ部（２−１）の第１入光面（２ａ１）を透過した光の他の一部が、導光レンズ（２）の第１レンズ部（２−１）から出光するための第２出光面（２ｄ２）を、導光レンズ（２）の第１レンズ部（２−１）の出光部側（２Ｂ）に形成し、
一のＬＥＤ光源（１−１）の発光中心から照射され、導光レンズ（２）の第１レンズ部（２−１）の第１入光面（２ａ１）を透過し、導光レンズ（２）の第１レンズ部（２−１）の第３反射面（２ｃ１）によって反射され、導光レンズ（２）の第１レンズ部（２−１）の第１出光面（２ｄ１）を透過し、平面（Ｓ２）内を進む光が、一のＬＥＤ光源（１−１）の光軸（１−１’）と第２角度（θ２）をなすと共に、
一のＬＥＤ光源（１−１）の発光中心から照射され、導光レンズ（２）の第１レンズ部（２−１）の第１入光面（２ａ１）を透過し、導光レンズ（２）の第１レンズ部（２−１）の第２出光面（２ｄ２）を透過し、平面（Ｓ２）内を進む光が、一のＬＥＤ光源（１−１）の光軸（１−１’）と第２角度（θ２）より小さい第３角度（θ３）をなすように、導光レンズ（２）の第１レンズ部（２−１）の第３反射面（２ｃ１）、第１出光面（２ｄ１）および第２出光面（２ｄ２）を設定し、
一のＬＥＤ光源（１−１）から照射され、導光レンズ（２）の第１レンズ部（２−１）の第２入光面（２ａ２）を透過し、導光レンズ（２）の第１レンズ部（２−１）の第１反射面（２ｂ１）によって反射された光の一部を、撮像レンズ鏡胴（Ａ１）の中心軸線（Ａ１’）から離れる側に反射するための第４反射面（２ｃ２）を、導光レンズ（２）の第１レンズ部（２−１）の出光部側（２Ｂ）に形成し、
一のＬＥＤ光源（１−１）から照射され、導光レンズ（２）の第１レンズ部（２−１）の第２入光面（２ａ２）を透過し、導光レンズ（２）の第１レンズ部（２−１）の第１反射面（２ｂ１）によって反射され、導光レンズ（２）の第１レンズ部（２−１）の第４反射面（２ｃ２）によって反射された光が、導光レンズ（２）の第１レンズ部（２−１）から出光するための第３出光面（２ｄ３）を、導光レンズ（２）の第１レンズ部（２−１）の出光部側（２Ｂ）に形成し、
一のＬＥＤ光源（１−１）から照射され、導光レンズ（２）の第１レンズ部（２−１）の第２入光面（２ａ２）を透過し、導光レンズ（２）の第１レンズ部（２−１）の第１反射面（２ｂ１）によって反射された光の他の一部が、導光レンズ（２）の第１レンズ部（２−１）から出光するための第４出光面（２ｄ４）を、導光レンズ（２）の第１レンズ部（２−１）の出光部側（２Ｂ）に形成し、
一のＬＥＤ光源（１−１）の発光中心から照射され、導光レンズ（２）の第１レンズ部（２−１）の第２入光面（２ａ２）を透過し、導光レンズ（２）の第１レンズ部（２−１）の第１反射面（２ｂ１）によって反射され、導光レンズ（２）の第１レンズ部（２−１）の第４反射面（２ｃ２）によって反射され、導光レンズ（２）の第１レンズ部（２−１）の第３出光面（２ｄ３）を透過し、平面（Ｓ２）内を進む光が、一のＬＥＤ光源（１−１）の光軸（１−１’）と第４角度（θ４）をなすと共に、
一のＬＥＤ光源（１−１）の発光中心から照射され、導光レンズ（２）の第１レンズ部（２−１）の第２入光面（２ａ２）を透過し、導光レンズ（２）の第１レンズ部（２−１）の第１反射面（２ｂ１）によって反射され、導光レンズ（２）の第１レンズ部（２−１）の第４出光面（２ｄ４）を透過し、平面（Ｓ２）内を進む光が、一のＬＥＤ光源（１−１）の光軸（１−１’）と第４角度（θ４）より小さい第５角度（θ５）をなすように、導光レンズ（２）の第１レンズ部（２−１）の第４反射面（２ｃ２）、第３出光面（２ｄ３）および第４出光面（２ｄ４）を設定し、
一のＬＥＤ光源（１−１）から照射され、導光レンズ（２）の第１レンズ部（２−１）の第３入光面（２ａ３）を透過し、導光レンズ（２）の第１レンズ部（２−１）の第２反射面（２ｂ２）によって反射された光の一部を、撮像レンズ鏡胴（Ａ１）の中心軸線（Ａ１’）から離れる側に反射するための第５反射面（２ｃ３）を、導光レンズ（２）の第１レンズ部（２−１）の出光部側（２Ｂ）に形成し、
一のＬＥＤ光源（１−１）から照射され、導光レンズ（２）の第１レンズ部（２−１）の第３入光面（２ａ３）を透過し、導光レンズ（２）の第１レンズ部（２−１）の第２反射面（２ｂ２）によって反射され、導光レンズ（２）の第１レンズ部（２−１）の第５反射面（２ｃ３）によって反射された光が、導光レンズ（２）から出光するための第５出光面（２ｄ５）を、導光レンズ（２）の第１レンズ部（２−１）の出光部側（２Ｂ）に形成し、
一のＬＥＤ光源（１−１）から照射され、導光レンズ（２）の第１レンズ部（２−１）の第３入光面（２ａ３）を透過し、導光レンズ（２）の第１レンズ部（２−１）の第２反射面（２ｂ２）によって反射された光の他の一部が、導光レンズ（２）の第１レンズ部（２−１）から出光するための第６出光面（２ｄ６）を、導光レンズ（２）の第１レンズ部（２−１）の出光部側（２Ｂ）に形成し、
一のＬＥＤ光源（１−１）の発光中心から照射され、導光レンズ（２）の第１レンズ部（２−１）の第３入光面（２ａ３）を透過し、導光レンズ（２）の第１レンズ部（２−１）の第２反射面（２ｂ２）によって反射され、導光レンズ（２）の第１レンズ部（２−１）の第５反射面（２ｃ３）によって反射され、導光レンズ（２）の第１レンズ部（２−１）の第５出光面（２ｄ５）を透過し、平面（Ｓ２）内を進む光が、一のＬＥＤ光源（１−１）の光軸（１−１’）と第６角度（θ６）をなすと共に、
一のＬＥＤ光源（１−１）の発光中心から照射され、導光レンズ（２）の第１レンズ部（２−１）の第３入光面（２ａ３）を透過し、導光レンズ（２）の第１レンズ部（２−１）の第２反射面（２ｂ２）によって反射され、導光レンズ（２）の第１レンズ部（２−１）の第６出光面（２ｄ６）を透過し、平面（Ｓ２）内を進む光が、一のＬＥＤ光源（１−１）の光軸（１−１’）と第６角度（θ６）より小さい第７角度（θ７）をなすように、導光レンズ（２）の第１レンズ部（２−１）の第５反射面（２ｃ３）、第５出光面（２ｄ５）および第６出光面（２ｄ６）を設定し、
第２角度（θ２）と第４角度（θ４）と第６角度（θ６）とが互いに異なる値になるように、導光レンズ（２）の第１レンズ部（２−１）の第３反射面（２ｃ１）、第１出光面（２ｄ１）、第４反射面（２ｃ２）、第３出光面（２ｄ３）、第５反射面（２ｃ３）および第５出光面（２ｄ５）を設定し、
第３角度（θ３）と第５角度（θ５）と第７角度（θ７）とが互いに異なる値になるように、導光レンズ（２）の第１レンズ部（２−１）の第２出光面（２ｄ２）、第４出光面（２ｄ４）および第６出光面（２ｄ６）を設定し、
平面（Ｓ２）内の導光レンズ（２）の第１レンズ部（２−１）の断面形状を第１辺（ＳＤ１）に沿ってスイープすることにより得られる柱状に、導光レンズ（２）の第１レンズ部（２−１）を形成し、
導光レンズ（２）の他のレンズ部（２−２，…，２−Ｎ）を導光レンズ（２）の第１レンズ部（２−１）と同一形状に形成し、
撮像レンズ鏡胴（Ａ１）の中心軸線（Ａ１’）を中心に導光レンズ（２）の第１レンズ部（２−１）を（Ｎ−１）回（３６０／Ｎ）°ずつ回転させた位置に、導光レンズ（２）の他のレンズ部（２−２，…，２−Ｎ）のそれぞれを配置することにより、Ｎ個の直線状のレンズ部（２−１，…，２−Ｎ）を有する導光レンズ（２）を、撮像レンズ鏡胴（Ａ１）の中心軸線（Ａ１’）を中心とするＮ回回転対称形状に形成したことを特徴とするカメラ用ＬＥＤ照明装置（１００）。
【請求項４】
撮像レンズ鏡胴（Ａ１）の径方向外側に配置するための複数のＬＥＤ光源（１−１，…）を具備するカメラ用ＬＥＤ照明装置（１００）において、
撮像レンズ鏡胴（Ａ１）の中心軸線（Ａ１’）に垂直な平面（Ｓ０）上に位置する正Ｎ角形（Ｐ１）（Ｎは３以上の整数）であって、撮像レンズ鏡胴（Ａ１）の中心軸線（Ａ１’）を中心とする正Ｎ角形（Ｐ１）のＮ本の辺（ＳＤ１，…，ＳＤＮ）上に、複数のＬＥＤ光源（１−１，…）を配列し、
複数のＬＥＤ光源（１−１，…）の光軸（１−１’，…）を撮像レンズ鏡胴（Ａ１）の中心軸線（Ａ１’）に平行に配置し、
複数のＬＥＤ光源（１−１，…）からの光を導光して撮像レンズの視野範囲に照射するためのＮ個の直線状の導光レンズ（２．１，…，２．Ｎ）を設け、
Ｎ個の直線状の導光レンズ（２．１，…，２．Ｎ）を、正Ｎ角形（Ｐ１）のＮ本の辺（ＳＤ１，…，ＳＤＮ）のそれぞれに対して平行に配列し、
複数のＬＥＤ光源（１−１，…）のうちの一のＬＥＤ光源（１−１）を、正Ｎ角形（Ｐ１）の第１辺（ＳＤ１）上に配置し、
一のＬＥＤ光源（１−１）の光軸（１−１’）と第１角度（θ１）以下の角度をなして一のＬＥＤ光源（１−１）から照射され、一のＬＥＤ光源（１−１）の光軸（１−１’）を含む平面（Ｓ２）であって、正Ｎ角形（Ｐ１）の第１辺（ＳＤ１）に垂直な平面（Ｓ２）内を進む光が、第１導光レンズ（２．１）に入光するための第１入光面（２ａ１）を、第１導光レンズ（２．１）の入光部側（２Ａ）に形成し、
一のＬＥＤ光源（１−１）の発光中心から照射され、第１導光レンズ（２．１）の第１入光面（２ａ１）を透過し、平面（Ｓ２）内を進む光が、一のＬＥＤ光源（１−１）の光軸（１−１’）に平行な光になるように、第１導光レンズ（２．１）の第１入光面（２ａ１）を設定し、
一のＬＥＤ光源（１−１）の光軸（１−１’）と第１角度（θ１）より大きい角度をなして一のＬＥＤ光源（１−１）から照射され、平面（Ｓ２）内を撮像レンズ鏡胴（Ａ１）の中心軸線（Ａ１’）に近づく側に進む光が、第１導光レンズ（２．１）に入光するための第２入光面（２ａ２）を、第１導光レンズ（２．１）の入光部側（２Ａ）に形成し、
第１導光レンズ（２．１）の第２入光面（２ａ２）を透過した光を反射するための第１反射面（２ｂ１）を、第１導光レンズ（２．１）の入光部側（２Ａ）に形成し、
一のＬＥＤ光源（１−１）の発光中心から照射され、第１導光レンズ（２．１）の第２入光面（２ａ２）を透過し、第１導光レンズ（２．１）の第１反射面（２ｂ１）によって反射され、平面（Ｓ２）内を進む光が、一のＬＥＤ光源（１−１）の光軸（１−１’）に平行な光になるように、第１導光レンズ（２．１）の第２入光面（２ａ２）および第１反射面（２ｂ１）を設定し、
一のＬＥＤ光源（１−１）の光軸（１−１’）と第１角度（θ１）より大きい角度をなして一のＬＥＤ光源（１−１）から照射され、平面（Ｓ２）内を撮像レンズ鏡胴（Ａ１）の中心軸線（Ａ１’）から離れる側に進む光が、第１導光レンズ（２．１）に入光するための第３入光面（２ａ３）を、第１導光レンズ（２．１）の入光部側（２Ａ）に形成し、
第１導光レンズ（２．１）の第３入光面（２ａ３）を透過した光を反射するための第２反射面（２ｂ２）を、第１導光レンズ（２．１）の入光部側（２Ａ）に形成し、
一のＬＥＤ光源（１−１）の発光中心から照射され、第１導光レンズ（２．１）の第３入光面（２ａ３）を透過し、第１導光レンズ（２．１）の第２反射面（２ｂ２）によって反射され、平面（Ｓ２）内を進む光が、一のＬＥＤ光源（１−１）の光軸（１−１’）に平行な光になるように、第１導光レンズ（２．１）の第３入光面（２ａ３）および第２反射面（２ｂ２）を設定し、
一のＬＥＤ光源（１−１）から照射され、第１導光レンズ（２．１）の第１入光面（２ａ１）を透過した光の一部を、撮像レンズ鏡胴（Ａ１）の中心軸線（Ａ１’）から離れる側に反射するための第３反射面（２ｃ１）を、第１導光レンズ（２．１）の入光部側（２Ａ）とは反対側の第１導光レンズ（２．１）の出光部側（２Ｂ）に形成し、
一のＬＥＤ光源（１−１）から照射され、第１導光レンズ（２．１）の第１入光面（２ａ１）を透過し、第１導光レンズ（２．１）の第３反射面（２ｃ１）によって反射された光が、第１導光レンズ（２．１）から出光するための第１出光面（２ｄ１）を、第１導光レンズ（２．１）の出光部側（２Ｂ）に形成し、
一のＬＥＤ光源（１−１）から照射され、第１導光レンズ（２．１）の第１入光面（２ａ１）を透過した光の他の一部が、第１導光レンズ（２．１）から出光するための第２出光面（２ｄ２）を、第１導光レンズ（２．１）の出光部側（２Ｂ）に形成し、
一のＬＥＤ光源（１−１）の発光中心から照射され、第１導光レンズ（２．１）の第１入光面（２ａ１）を透過し、第１導光レンズ（２．１）の第３反射面（２ｃ１）によって反射され、第１導光レンズ（２．１）の第１出光面（２ｄ１）を透過し、平面（Ｓ２）内を進む光が、一のＬＥＤ光源（１−１）の光軸（１−１’）と第２角度（θ２）をなすと共に、
一のＬＥＤ光源（１−１）の発光中心から照射され、第１導光レンズ（２．１）の第１入光面（２ａ１）を透過し、第１導光レンズ（２．１）の第２出光面（２ｄ２）を透過し、平面（Ｓ２）内を進む光が、一のＬＥＤ光源（１−１）の光軸（１−１’）と第２角度（θ２）より小さい第３角度（θ３）をなすように、第１導光レンズ（２．１）の第３反射面（２ｃ１）、第１出光面（２ｄ１）および第２出光面（２ｄ２）を設定し、
一のＬＥＤ光源（１−１）から照射され、第１導光レンズ（２．１）の第２入光面（２ａ２）を透過し、第１導光レンズ（２．１）の第１反射面（２ｂ１）によって反射された光の一部を、撮像レンズ鏡胴（Ａ１）の中心軸線（Ａ１’）から離れる側に反射するための第４反射面（２ｃ２）を、第１導光レンズ（２．１）の出光部側（２Ｂ）に形成し、
一のＬＥＤ光源（１−１）から照射され、第１導光レンズ（２．１）の第２入光面（２ａ２）を透過し、第１導光レンズ（２．１）の第１反射面（２ｂ１）によって反射され、第１導光レンズ（２．１）の第４反射面（２ｃ２）によって反射された光が、第１導光レンズ（２．１）から出光するための第３出光面（２ｄ３）を、第１導光レンズ（２．１）の出光部側（２Ｂ）に形成し、
一のＬＥＤ光源（１−１）から照射され、第１導光レンズ（２．１）の第２入光面（２ａ２）を透過し、第１導光レンズ（２．１）の第１反射面（２ｂ１）によって反射された光の他の一部が、第１導光レンズ（２．１）から出光するための第４出光面（２ｄ４）を、第１導光レンズ（２．１）の出光部側（２Ｂ）に形成し、
一のＬＥＤ光源（１−１）の発光中心から照射され、第１導光レンズ（２．１）の第２入光面（２ａ２）を透過し、第１導光レンズ（２．１）の第１反射面（２ｂ１）によって反射され、第１導光レンズ（２．１）の第４反射面（２ｃ２）によって反射され、第１導光レンズ（２．１）の第３出光面（２ｄ３）を透過し、平面（Ｓ２）内を進む光が、一のＬＥＤ光源（１−１）の光軸（１−１’）と第４角度（θ４）をなすと共に、
一のＬＥＤ光源（１−１）の発光中心から照射され、第１導光レンズ（２．１）の第２入光面（２ａ２）を透過し、第１導光レンズ（２．１）の第１反射面（２ｂ１）によって反射され、第１導光レンズ（２．１）の第４出光面（２ｄ４）を透過し、平面（Ｓ２）内を進む光が、一のＬＥＤ光源（１−１）の光軸（１−１’）と第４角度（θ４）より小さい第５角度（θ５）をなすように、第１導光レンズ（２．１）の第４反射面（２ｃ２）、第３出光面（２ｄ３）および第４出光面（２ｄ４）を設定し、
一のＬＥＤ光源（１−１）から照射され、第１導光レンズ（２．１）の第３入光面（２ａ３）を透過し、第１導光レンズ（２．１）の第２反射面（２ｂ２）によって反射された光の一部を、撮像レンズ鏡胴（Ａ１）の中心軸線（Ａ１’）から離れる側に反射するための第５反射面（２ｃ３）を、第１導光レンズ（２．１）の出光部側（２Ｂ）に形成し、
一のＬＥＤ光源（１−１）から照射され、第１導光レンズ（２．１）の第３入光面（２ａ３）を透過し、第１導光レンズ（２．１）の第２反射面（２ｂ２）によって反射され、第１導光レンズ（２．１）の第５反射面（２ｃ３）によって反射された光が、第１導光レンズ（２．１）から出光するための第５出光面（２ｄ５）を、第１導光レンズ（２．１）の出光部側（２Ｂ）に形成し、
一のＬＥＤ光源（１−１）から照射され、第１導光レンズ（２．１）の第３入光面（２ａ３）を透過し、第１導光レンズ（２．１）の第２反射面（２ｂ２）によって反射された光の他の一部が、第１導光レンズ（２．１）から出光するための第６出光面（２ｄ６）を、第１導光レンズ（２．１）の出光部側（２Ｂ）に形成し、
一のＬＥＤ光源（１−１）の発光中心から照射され、第１導光レンズ（２．１）の第３入光面（２ａ３）を透過し、第１導光レンズ（２．１）の第２反射面（２ｂ２）によって反射され、第１導光レンズ（２．１）の第５反射面（２ｃ３）によって反射され、第１導光レンズ（２．１）の第５出光面（２ｄ５）を透過し、平面（Ｓ２）内を進む光が、一のＬＥＤ光源（１−１）の光軸（１−１’）と第６角度（θ６）をなすと共に、
一のＬＥＤ光源（１−１）の発光中心から照射され、第１導光レンズ（２．１）の第３入光面（２ａ３）を透過し、第１導光レンズ（２．１）の第２反射面（２ｂ２）によって反射され、第１導光レンズ（２．１）の第６出光面（２ｄ６）を透過し、平面（Ｓ２）内を進む光が、一のＬＥＤ光源（１−１）の光軸（１−１’）と第６角度（θ６）より小さい第７角度（θ７）をなすように、第１導光レンズ（２．１）の第５反射面（２ｃ３）、第５出光面（２ｄ５）および第６出光面（２ｄ６）を設定し、
第２角度（θ２）と第４角度（θ４）と第６角度（θ６）とが互いに異なる値になるように、第１導光レンズ（２．１）の第３反射面（２ｃ１）、第１出光面（２ｄ１）、第４反射面（２ｃ２）、第３出光面（２ｄ３）、第５反射面（２ｃ３）および第５出光面（２ｄ５）を設定し、
第３角度（θ３）と第５角度（θ５）と第７角度（θ７）とが互いに異なる値になるように、第１導光レンズ（２．１）の第２出光面（２ｄ２）、第４出光面（２ｄ４）および第６出光面（２ｄ６）を設定し、
平面（Ｓ２）内の第１導光レンズ（２．１）の断面形状を第１辺（ＳＤ１）に沿ってスイープすることにより得られる柱状に、第１導光レンズ（２．１）を形成し、
他の導光レンズ（２．２，…，２．Ｎ）を第１導光レンズ（２．１）と同一形状に形成し、
撮像レンズ鏡胴（Ａ１）の中心軸線（Ａ１’）を中心に第１導光レンズ（２．１）を（Ｎ−１）回（３６０／Ｎ）°ずつ回転させた位置に、他の導光レンズ（２．２，…，２．Ｎ）のそれぞれを配置することにより、Ｎ個の直線状の導光レンズ（２．１，…，２．Ｎ）を、撮像レンズ鏡胴（Ａ１）の中心軸線（Ａ１’）を中心するＮ回回転対称に配列したことを特徴とするカメラ用ＬＥＤ照明装置（１００）。
【請求項５】
撮像レンズ鏡胴（Ａ１）の径方向外側に配置するための複数のＬＥＤ光源（１−１，…）を具備するカメラ用ＬＥＤ照明装置（１００）において、
撮像レンズ鏡胴（Ａ１）の中心軸線（Ａ１’）に垂直な平面（Ｓ０）上に位置する正Ｎ角形（Ｐ１）（Ｎは３以上の整数）であって、撮像レンズ鏡胴（Ａ１）の中心軸線（Ａ１’）を中心とする正Ｎ角形（Ｐ１）のＮ本の辺（ＳＤ１，…，ＳＤＮ）上に、複数のＬＥＤ光源（１−１，…）を配列し、
複数のＬＥＤ光源（１−１，…）の光軸（１−１’，…）を撮像レンズ鏡胴（Ａ１）の中心軸線（Ａ１’）に平行に配置し、
複数のＬＥＤ光源（１−１，…）からの光を導光して撮像レンズの視野範囲に照射するためのＮ個のく字状の導光レンズ（２．１，…，２．Ｎ）を設け、
く字状の第１導光レンズ（２．１）に、正Ｎ角形（Ｐ１）の第１辺（ＳＤ１）と第２辺（ＳＤ２）とによって構成される第１頂点（Ｖ１）に対応する屈曲部分（２．１ａ）と、第１辺（ＳＤ１）の中点（Ｍ１）と第１頂点（Ｖ１）との間の部分に対応する第１直線状部分（２．１ｂ）と、第２辺（ＳＤ２）の中点（Ｍ２）と第１頂点（Ｖ１）との間の部分に対応する第２直線状部分（２．１ｃ）とを形成し、
複数のＬＥＤ光源（１−１，…）のうちの一のＬＥＤ光源（１−１）を、正Ｎ角形（Ｐ１）の第１辺（ＳＤ１）のうちの第１頂点（Ｖ１）と第１辺（ＳＤ１）の中点（Ｍ１）との間の部分上に配置し、
一のＬＥＤ光源（１−１）の光軸（１−１’）と第１角度（θ１）以下の角度をなして一のＬＥＤ光源（１−１）から照射され、一のＬＥＤ光源（１−１）の光軸（１−１’）を含む平面（Ｓ２）であって、正Ｎ角形（Ｐ１）の第１辺（ＳＤ１）に垂直な平面（Ｓ２）内を進む光が、第１導光レンズ（２．１）に入光するための第１入光面（２ａ１）を、第１導光レンズ（２．１）の第１直線状部分（２．１ｂ）の入光部側（２Ａ）に形成し、
一のＬＥＤ光源（１−１）の発光中心から照射され、第１導光レンズ（２．１）の第１直線状部分（２．１ｂ）の第１入光面（２ａ１）を透過し、平面（Ｓ２）内を進む光が、一のＬＥＤ光源（１−１）の光軸（１−１’）に平行な光になるように、第１導光レンズ（２．１）の第１直線状部分（２．１ｂ）の第１入光面（２ａ１）を設定し、
一のＬＥＤ光源（１−１）の光軸（１−１’）と第１角度（θ１）より大きい角度をなして一のＬＥＤ光源（１−１）から照射され、平面（Ｓ２）内を撮像レンズ鏡胴（Ａ１）の中心軸線（Ａ１’）に近づく側に進む光が、第１導光レンズ（２．１）に入光するための第２入光面（２ａ２）を、第１導光レンズ（２．１）の第１直線状部分（２．１ｂ）の入光部側（２Ａ）に形成し、
第１導光レンズ（２．１）の第１直線状部分（２．１ｂ）の第２入光面（２ａ２）を透過した光を反射するための第１反射面（２ｂ１）を、第１導光レンズ（２．１）の第１直線状部分（２．１ｂ）の入光部側（２Ａ）に形成し、
一のＬＥＤ光源（１−１）の発光中心から照射され、第１導光レンズ（２．１）の第１直線状部分（２．１ｂ）の第２入光面（２ａ２）を透過し、第１導光レンズ（２．１）の第１直線状部分（２．１ｂ）の第１反射面（２ｂ１）によって反射され、平面（Ｓ２）内を進む光が、一のＬＥＤ光源（１−１）の光軸（１−１’）に平行な光になるように、第１導光レンズ（２．１）の第１直線状部分（２．１ｂ）の第２入光面（２ａ２）および第１反射面（２ｂ１）を設定し、
一のＬＥＤ光源（１−１）の光軸（１−１’）と第１角度（θ１）より大きい角度をなして一のＬＥＤ光源（１−１）から照射され、平面（Ｓ２）内を撮像レンズ鏡胴（Ａ１）の中心軸線（Ａ１’）から離れる側に進む光が、第１導光レンズ（２．１）に入光するための第３入光面（２ａ３）を、第１導光レンズ（２．１）の第１直線状部分（２．１ｂ）の入光部側（２Ａ）に形成し、
第１導光レンズ（２．１）の第１直線状部分（２．１ｂ）の第３入光面（２ａ３）を透過した光を反射するための第２反射面（２ｂ２）を、第１導光レンズ（２．１）の第１直線状部分（２．１ｂ）の入光部側（２Ａ）に形成し、
一のＬＥＤ光源（１−１）の発光中心から照射され、第１導光レンズ（２．１）の第１直線状部分（２．１ｂ）の第３入光面（２ａ３）を透過し、第１導光レンズ（２．１）の第１直線状部分（２．１ｂ）の第２反射面（２ｂ２）によって反射され、平面（Ｓ２）内を進む光が、一のＬＥＤ光源（１−１）の光軸（１−１’）に平行な光になるように、第１導光レンズ（２．１）の第１直線状部分（２．１ｂ）の第３入光面（２ａ３）および第２反射面（２ｂ２）を設定し、
一のＬＥＤ光源（１−１）から照射され、第１導光レンズ（２．１）の第１直線状部分（２．１ｂ）の第１入光面（２ａ１）を透過した光の一部を、撮像レンズ鏡胴（Ａ１）の中心軸線（Ａ１’）から離れる側に反射するための第３反射面（２ｃ１）を、第１導光レンズ（２．１）の第１直線状部分（２．１ｂ）の入光部側（２Ａ）とは反対側の第１導光レンズ（２．１）の第１直線状部分（２．１ｂ）の出光部側（２Ｂ）に形成し、
一のＬＥＤ光源（１−１）から照射され、第１導光レンズ（２．１）の第１直線状部分（２．１ｂ）の第１入光面（２ａ１）を透過し、第１導光レンズ（２．１）の第１直線状部分（２．１ｂ）の第３反射面（２ｃ１）によって反射された光が、第１導光レンズ（２．１）から出光するための第１出光面（２ｄ１）を、第１導光レンズ（２．１）の第１直線状部分（２．１ｂ）の出光部側（２Ｂ）に形成し、
一のＬＥＤ光源（１−１）から照射され、第１導光レンズ（２．１）の第１直線状部分（２．１ｂ）の第１入光面（２ａ１）を透過した光の他の一部が、第１導光レンズ（２．１）から出光するための第２出光面（２ｄ２）を、第１導光レンズ（２．１）の第１直線状部分（２．１ｂ）の出光部側（２Ｂ）に形成し、
一のＬＥＤ光源（１−１）の発光中心から照射され、第１導光レンズ（２．１）の第１直線状部分（２．１ｂ）の第１入光面（２ａ１）を透過し、第１導光レンズ（２．１）の第１直線状部分（２．１ｂ）の第３反射面（２ｃ１）によって反射され、第１導光レンズ（２．１）の第１直線状部分（２．１ｂ）の第１出光面（２ｄ１）を透過し、平面（Ｓ２）内を進む光が、一のＬＥＤ光源（１−１）の光軸（１−１’）と第２角度（θ２）をなすと共に、
一のＬＥＤ光源（１−１）の発光中心から照射され、第１導光レンズ（２．１）の第１直線状部分（２．１ｂ）の第１入光面（２ａ１）を透過し、第１導光レンズ（２．１）の第１直線状部分（２．１ｂ）の第２出光面（２ｄ２）を透過し、平面（Ｓ２）内を進む光が、一のＬＥＤ光源（１−１）の光軸（１−１’）と第２角度（θ２）より小さい第３角度（θ３）をなすように、第１導光レンズ（２．１）の第１直線状部分（２．１ｂ）の第３反射面（２ｃ１）、第１出光面（２ｄ１）および第２出光面（２ｄ２）を設定し、
一のＬＥＤ光源（１−１）から照射され、第１導光レンズ（２．１）の第１直線状部分（２．１ｂ）の第２入光面（２ａ２）を透過し、第１導光レンズ（２．１）の第１直線状部分（２．１ｂ）の第１反射面（２ｂ１）によって反射された光の一部を、撮像レンズ鏡胴（Ａ１）の中心軸線（Ａ１’）から離れる側に反射するための第４反射面（２ｃ２）を、第１導光レンズ（２．１）の第１直線状部分（２．１ｂ）の出光部側（２Ｂ）に形成し、
一のＬＥＤ光源（１−１）から照射され、第１導光レンズ（２．１）の第１直線状部分（２．１ｂ）の第２入光面（２ａ２）を透過し、第１導光レンズ（２．１）の第１直線状部分（２．１ｂ）の第１反射面（２ｂ１）によって反射され、第１導光レンズ（２．１）の第１直線状部分（２．１ｂ）の第４反射面（２ｃ２）によって反射された光が、第１導光レンズ（２．１）から出光するための第３出光面（２ｄ３）を、第１導光レンズ（２．１）の第１直線状部分（２．１ｂ）の出光部側（２Ｂ）に形成し、
一のＬＥＤ光源（１−１）から照射され、第１導光レンズ（２．１）の第１直線状部分（２．１ｂ）の第２入光面（２ａ２）を透過し、第１導光レンズ（２．１）の第１直線状部分（２．１ｂ）の第１反射面（２ｂ１）によって反射された光の他の一部が、第１導光レンズ（２．１）から出光するための第４出光面（２ｄ４）を、第１導光レンズ（２．１）の第１直線状部分（２．１ｂ）の出光部側（２Ｂ）に形成し、
一のＬＥＤ光源（１−１）の発光中心から照射され、第１導光レンズ（２．１）の第１直線状部分（２．１ｂ）の第２入光面（２ａ２）を透過し、第１導光レンズ（２．１）の第１直線状部分（２．１ｂ）の第１反射面（２ｂ１）によって反射され、第１導光レンズ（２．１）の第１直線状部分（２．１ｂ）の第４反射面（２ｃ２）によって反射され、第１導光レンズ（２．１）の第１直線状部分（２．１ｂ）の第３出光面（２ｄ３）を透過し、平面（Ｓ２）内を進む光が、一のＬＥＤ光源（１−１）の光軸（１−１’）と第４角度（θ４）をなすと共に、
一のＬＥＤ光源（１−１）の発光中心から照射され、第１導光レンズ（２．１）の第１直線状部分（２．１ｂ）の第２入光面（２ａ２）を透過し、第１導光レンズ（２．１）の第１直線状部分（２．１ｂ）の第１反射面（２ｂ１）によって反射され、第１導光レンズ（２．１）の第１直線状部分（２．１ｂ）の第４出光面（２ｄ４）を透過し、平面（Ｓ２）内を進む光が、一のＬＥＤ光源（１−１）の光軸（１−１’）と第４角度（θ４）より小さい第５角度（θ５）をなすように、第１導光レンズ（２．１）の第１直線状部分（２．１ｂ）の第４反射面（２ｃ２）、第３出光面（２ｄ３）および第４出光面（２ｄ４）を設定し、
一のＬＥＤ光源（１−１）から照射され、第１導光レンズ（２．１）の第１直線状部分（２．１ｂ）の第３入光面（２ａ３）を透過し、第１導光レンズ（２．１）の第１直線状部分（２．１ｂ）の第２反射面（２ｂ２）によって反射された光の一部を、撮像レンズ鏡胴（Ａ１）の中心軸線（Ａ１’）から離れる側に反射するための第５反射面（２ｃ３）を、第１導光レンズ（２．１）の第１直線状部分（２．１ｂ）の出光部側（２Ｂ）に形成し、
一のＬＥＤ光源（１−１）から照射され、第１導光レンズ（２．１）の第１直線状部分（２．１ｂ）の第３入光面（２ａ３）を透過し、第１導光レンズ（２．１）の第１直線状部分（２．１ｂ）の第２反射面（２ｂ２）によって反射され、第１導光レンズ（２．１）の第１直線状部分（２．１ｂ）の第５反射面（２ｃ３）によって反射された光が、第１導光レンズ（２．１）から出光するための第５出光面（２ｄ５）を、第１導光レンズ（２．１）の第１直線状部分（２．１ｂ）の出光部側（２Ｂ）に形成し、
一のＬＥＤ光源（１−１）から照射され、第１導光レンズ（２．１）の第１直線状部分（２．１ｂ）の第３入光面（２ａ３）を透過し、第１導光レンズ（２．１）の第１直線状部分（２．１ｂ）の第２反射面（２ｂ２）によって反射された光の他の一部が、第１導光レンズ（２．１）から出光するための第６出光面（２ｄ６）を、第１導光レンズ（２．１）の第１直線状部分（２．１ｂ）の出光部側（２Ｂ）に形成し、
一のＬＥＤ光源（１−１）の発光中心から照射され、第１導光レンズ（２．１）の第１直線状部分（２．１ｂ）の第３入光面（２ａ３）を透過し、第１導光レンズ（２．１）の第１直線状部分（２．１ｂ）の第２反射面（２ｂ２）によって反射され、第１導光レンズ（２．１）の第１直線状部分（２．１ｂ）の第５反射面（２ｃ３）によって反射され、第１導光レンズ（２．１）の第１直線状部分（２．１ｂ）の第５出光面（２ｄ５）を透過し、平面（Ｓ２）内を進む光が、一のＬＥＤ光源（１−１）の光軸（１−１’）と第６角度（θ６）をなすと共に、
一のＬＥＤ光源（１−１）の発光中心から照射され、第１導光レンズ（２．１）の第１直線状部分（２．１ｂ）の第３入光面（２ａ３）を透過し、第１導光レンズ（２．１）の第１直線状部分（２．１ｂ）の第２反射面（２ｂ２）によって反射され、第１導光レンズ（２．１）の第１直線状部分（２．１ｂ）の第６出光面（２ｄ６）を透過し、平面（Ｓ２）内を進む光が、一のＬＥＤ光源（１−１）の光軸（１−１’）と第６角度（θ６）より小さい第７角度（θ７）をなすように、第１導光レンズ（２．１）の第１直線状部分（２．１ｂ）の第５反射面（２ｃ３）、第５出光面（２ｄ５）および第６出光面（２ｄ６）を設定し、
第２角度（θ２）と第４角度（θ４）と第６角度（θ６）とが互いに異なる値になるように、第１導光レンズ（２．１）の第１直線状部分（２．１ｂ）の第３反射面（２ｃ１）、第１出光面（２ｄ１）、第４反射面（２ｃ２）、第３出光面（２ｄ３）、第５反射面（２ｃ３）および第５出光面（２ｄ５）を設定し、
第３角度（θ３）と第５角度（θ５）と第７角度（θ７）とが互いに異なる値になるように、第１導光レンズ（２．１）の第１直線状部分（２．１ｂ）の第２出光面（２ｄ２）、第４出光面（２ｄ４）および第６出光面（２ｄ６）を設定し、
平面（Ｓ２）内の第１導光レンズ（２．１）の第１直線状部分（２．１ｂ）の断面形状を第１辺（ＳＤ１）に沿ってスイープすることにより得られる柱状に、第１導光レンズ（２．１）の第１直線状部分（２．１ｂ）を形成し、
撮像レンズ鏡胴（Ａ１）の中心軸線（Ａ１’）と正Ｎ角形（Ｐ１）の第１頂点（Ｖ１）とを含む平面（Ｓ３）に関して第１導光レンズ（２．１）の第１直線状部分（２．１ｂ）と鏡像関係を有するように、第１導光レンズ（２．１）の第２直線状部分（２．１ｃ）を形成し、
他の導光レンズ（２．２，…，２．Ｎ）を第１導光レンズ（２．１）と同一形状に形成し、
撮像レンズ鏡胴（Ａ１）の中心軸線（Ａ１’）を中心に第１導光レンズ（２．１）を（Ｎ−１）回（３６０／Ｎ）°ずつ回転させた位置に、他の導光レンズ（２．２，…，２．Ｎ）のそれぞれを配置することにより、Ｎ個のく字状の導光レンズ（２．１，…，２．Ｎ）を、撮像レンズ鏡胴（Ａ１）の中心軸線（Ａ１’）を中心するＮ回回転対称に配列したことを特徴とするカメラ用ＬＥＤ照明装置（１００）。
【請求項６】
請求項１〜５のいずれか一項に記載のカメラ用ＬＥＤ照明装置（１００）と、撮像レンズ鏡胴（Ａ１）とを具備することを特徴とするカメラ（２００）。
【発明の詳細な説明】
【技術分野】
【０００１】
本発明は、撮像レンズ鏡胴の径方向外側に配置するための複数のＬＥＤ光源と導光レンズとを有するカメラ用ＬＥＤ照明装置およびそれを具備するカメラに関する。特には、本発明は、複数のＬＥＤ光源からの光を広角の撮像レンズの視野範囲の周縁部分に照射することができるカメラ用ＬＥＤ照明装置およびそれを具備するカメラに関する。
【背景技術】
【０００２】
従来から、撮像レンズ鏡胴の径方向外側に配置された複数のＬＥＤ光源を有するカメラ用ＬＥＤ照明装置が知られている。この種のカメラ用ＬＥＤ照明装置の例としては、例えば特許文献１（特開２０１１−１０９６４３号公報）の図１４、図１５、図１６、図２４、図２７、図２９などに記載されたものがある。
【０００３】
特許文献１の図１４、図１５、図１６、図２４に記載されたカメラ用ＬＥＤ照明装置では、複数のＬＥＤ光源の光軸のそれぞれが、撮像レンズ鏡胴の中心軸線に対して異なる角度で傾斜せしめられている。そのため、特許文献１の図１４、図１５、図１６、図２４に記載されたカメラ用ＬＥＤ照明装置では、複数のＬＥＤ光源からの光を撮像レンズの視野範囲に照射することができる。
【０００４】
ところで、特許文献１の図１４、図１５、図１６、図２４に記載されたカメラ用ＬＥＤ照明装置では、複数のＬＥＤ光源の光軸のそれぞれを撮像レンズ鏡胴の中心軸線に対して異なる角度で傾斜させるために、ＬＥＤ光源がスルーホール実装型に構成されると共に、ＬＥＤ光源のリードが屈曲せしめられている。そのため、特許文献１の図１４、図１５、図１６、図２４に記載されたカメラ用ＬＥＤ照明装置では、複数のＬＥＤ光源の光軸のそれぞれを撮像レンズ鏡胴の中心軸線に対して異なる角度で傾斜させる必要がないカメラ用ＬＥＤ照明装置よりも製造工程（詳細には、スルーホール実装型のＬＥＤ光源を１個ずつ実装する工程）が煩雑化し、カメラ用ＬＥＤ照明装置全体のコストが嵩んでしまう。
【０００５】
また、特許文献１の図２７、図２９に記載されたカメラ用ＬＥＤ照明装置では、複数のＬＥＤ光源の光軸のそれぞれが、撮像レンズ鏡胴の中心軸線に対して異なる角度で傾斜せしめられている。そのため、特許文献１の図２７、図２９に記載されたカメラ用ＬＥＤ照明装置では、複数のＬＥＤ光源からの光を撮像レンズの視野範囲に照射することができる。
【０００６】
ところで、特許文献１の図２７、図２９に記載されたカメラ用ＬＥＤ照明装置では、複数のＬＥＤ光源の光軸のそれぞれを撮像レンズ鏡胴の中心軸線に対して異なる角度で傾斜させるために、ＬＥＤ光源が表面実装型に構成されると共に、ＬＥＤ光源を支持するための支持部材がＬＥＤ光源毎に異なる角度で傾斜せしめられている。そのため、特許文献１の図２７、図２９に記載されたカメラ用ＬＥＤ照明装置では、複数のＬＥＤ光源の光軸のそれぞれを撮像レンズ鏡胴の中心軸線に対して異なる角度で傾斜させる必要がないカメラ用ＬＥＤ照明装置よりも製造工程（詳細には、ＬＥＤ光源を支持するための支持部材に対してＬＥＤ光源を１個ずつ取り付ける工程）が煩雑化し、カメラ用ＬＥＤ照明装置全体のコストが嵩んでしまう。
【０００７】
特許文献１の図１４、図１５、図１６、図２４、図２７、図２９に記載されたカメラ用ＬＥＤ照明装置の前記問題点を解決するために、特許文献１の図３１、図３２、図３３、図３４に記載されたカメラ用ＬＥＤ照明装置では、複数のＬＥＤ光源の光軸が撮像レンズ鏡胴の中心軸線に平行に配置されると共に、複数のＬＥＤ光源からの光を撮像レンズの視野範囲に照射するための導光レンズが設けられている。
【０００８】
ところで、特許文献１の図３１、図３２、図３３、図３４に記載されたカメラ用ＬＥＤ照明装置では、複数のＬＥＤ光源からの光が、導光レンズの入光面における屈折および導光レンズの出光面における屈折のみを経て撮像レンズの視野範囲に照射される。そのため、特許文献１の図３１、図３２、図３３、図３４に記載されたカメラ用ＬＥＤ照明装置では、例えば視野角が１８０°程度の広角の撮像レンズを有するカメラに適用される場合に、複数のＬＥＤ光源からの光を撮像レンズの視野範囲の周縁部分に照射することができない。その結果、特許文献１の図３１、図３２、図３３、図３４に記載されたカメラ用ＬＥＤ照明装置では、例えば視野角が１８０°程度の広角の撮像レンズを有するカメラに適用される場合に、撮像レンズの視野範囲の周縁部分が中央部分よりも暗くなってしまう。
【先行技術文献】
【特許文献】
【０００９】
【特許文献１】特開２０１１−１０９６４３号公報
【発明の概要】
【発明が解決しようとする課題】
【００１０】
前記問題点に鑑み、本発明は、複数のＬＥＤ光源からの光を広角の撮像レンズの視野範囲の周縁部分に照射することができるカメラ用ＬＥＤ照明装置およびそれを具備するカメラを提供することを目的とする。
【００１１】
詳細には、本発明は、例えば視野角が１８０°程度の広角の撮像レンズを有するカメラに適用される場合であっても、複数のＬＥＤ光源からの光を広角の撮像レンズの視野範囲の周縁部分に照射することができるカメラ用ＬＥＤ照明装置およびそれを具備するカメラを提供することを目的とする。
【課題を解決するための手段】
【００１２】
請求項１に記載の発明によれば、撮像レンズ鏡胴（Ａ１）の径方向外側に配置するための複数のＬＥＤ光源（１−１，…）を具備するカメラ用ＬＥＤ照明装置（１００）において、
撮像レンズ鏡胴（Ａ１）の中心軸線（Ａ１’）に垂直な平面（Ｓ０）上に位置する円（Ｃ１）であって、撮像レンズ鏡胴（Ａ１）の中心軸線（Ａ１’）を中心とする円（Ｃ１）上に、複数のＬＥＤ光源（１−１，…）を配列し、
複数のＬＥＤ光源（１−１，…）の光軸（１−１’，…）を撮像レンズ鏡胴（Ａ１）の中心軸線（Ａ１’）に平行に配置し、
複数のＬＥＤ光源（１−１，…）からの光を導光して撮像レンズの視野範囲に照射するための導光レンズ（２）を設け、
複数のＬＥＤ光源（１−１，…）のうちの一のＬＥＤ光源（１−１）の光軸（１−１’）と第１角度（θ１）以下の角度をなして一のＬＥＤ光源（１−１）から照射され、撮像レンズ鏡胴（Ａ１）の中心軸線（Ａ１’）と一のＬＥＤ光源（１−１）の光軸（１−１’）とを含む平面（Ｓ１）内を進む光が、導光レンズ（２）に入光するための第１入光面（２ａ１）を、導光レンズ（２）の入光部側（２Ａ）に形成し、
一のＬＥＤ光源（１−１）の発光中心から照射され、導光レンズ（２）の第１入光面（２ａ１）を透過し、平面（Ｓ１）内を進む光が、一のＬＥＤ光源（１−１）の光軸（１−１’）に平行な光になるように、導光レンズ（２）の第１入光面（２ａ１）を設定し、
一のＬＥＤ光源（１−１）の光軸（１−１’）と第１角度（θ１）より大きい角度をなして一のＬＥＤ光源（１−１）から照射され、平面（Ｓ１）内を撮像レンズ鏡胴（Ａ１）の中心軸線（Ａ１’）に近づく側に進む光が、導光レンズ（２）に入光するための第２入光面（２ａ２）を、導光レンズ（２）の入光部側（２Ａ）に形成し、
導光レンズ（２）の第２入光面（２ａ２）を透過した光を反射するための第１反射面（２ｂ１）を、導光レンズ（２）の入光部側（２Ａ）に形成し、
一のＬＥＤ光源（１−１）の発光中心から照射され、導光レンズ（２）の第２入光面（２ａ２）を透過し、導光レンズ（２）の第１反射面（２ｂ１）によって反射され、平面（Ｓ１）内を進む光が、一のＬＥＤ光源（１−１）の光軸（１−１’）に平行な光になるように、導光レンズ（２）の第２入光面（２ａ２）および第１反射面（２ｂ１）を設定し、
一のＬＥＤ光源（１−１）の光軸（１−１’）と第１角度（θ１）より大きい角度をなして一のＬＥＤ光源（１−１）から照射され、平面（Ｓ１）内を撮像レンズ鏡胴（Ａ１）の中心軸線（Ａ１’）から離れる側に進む光が、導光レンズ（２）に入光するための第３入光面（２ａ３）を、導光レンズ（２）の入光部側（２Ａ）に形成し、
導光レンズ（２）の第３入光面（２ａ３）を透過した光を反射するための第２反射面（２ｂ２）を、導光レンズ（２）の入光部側（２Ａ）に形成し、
一のＬＥＤ光源（１−１）の発光中心から照射され、導光レンズ（２）の第３入光面（２ａ３）を透過し、導光レンズ（２）の第２反射面（２ｂ２）によって反射され、平面（Ｓ１）内を進む光が、一のＬＥＤ光源（１−１）の光軸（１−１’）に平行な光になるように、導光レンズ（２）の第３入光面（２ａ３）および第２反射面（２ｂ２）を設定し、
一のＬＥＤ光源（１−１）から照射され、導光レンズ（２）の第１入光面（２ａ１）を透過した光の一部を、撮像レンズ鏡胴（Ａ１）の中心軸線（Ａ１’）から離れる側に反射するための第３反射面（２ｃ１）を、導光レンズ（２）の入光部側（２Ａ）とは反対側の導光レンズ（２）の出光部側（２Ｂ）に形成し、
一のＬＥＤ光源（１−１）から照射され、導光レンズ（２）の第１入光面（２ａ１）を透過し、導光レンズ（２）の第３反射面（２ｃ１）によって反射された光が、導光レンズ（２）から出光するための第１出光面（２ｄ１）を、導光レンズ（２）の出光部側（２Ｂ）に形成し、
一のＬＥＤ光源（１−１）から照射され、導光レンズ（２）の第１入光面（２ａ１）を透過した光の他の一部が、導光レンズ（２）から出光するための第２出光面（２ｄ２）を、導光レンズ（２）の出光部側（２Ｂ）に形成し、
一のＬＥＤ光源（１−１）の発光中心から照射され、導光レンズ（２）の第１入光面（２ａ１）を透過し、導光レンズ（２）の第３反射面（２ｃ１）によって反射され、導光レンズ（２）の第１出光面（２ｄ１）を透過し、平面（Ｓ１）内を進む光が、一のＬＥＤ光源（１−１）の光軸（１−１’）と第２角度（θ２）をなすと共に、
一のＬＥＤ光源（１−１）の発光中心から照射され、導光レンズ（２）の第１入光面（２ａ１）を透過し、導光レンズ（２）の第２出光面（２ｄ２）を透過し、平面（Ｓ１）内を進む光が、一のＬＥＤ光源（１−１）の光軸（１−１’）と第２角度（θ２）より小さい第３角度（θ３）をなすように、導光レンズ（２）の第３反射面（２ｃ１）、第１出光面（２ｄ１）および第２出光面（２ｄ２）を設定し、
一のＬＥＤ光源（１−１）から照射され、導光レンズ（２）の第２入光面（２ａ２）を透過し、導光レンズ（２）の第１反射面（２ｂ１）によって反射された光の一部を、撮像レンズ鏡胴（Ａ１）の中心軸線（Ａ１’）から離れる側に反射するための第４反射面（２ｃ２）を、導光レンズ（２）の出光部側（２Ｂ）に形成し、
一のＬＥＤ光源（１−１）から照射され、導光レンズ（２）の第２入光面（２ａ２）を透過し、導光レンズ（２）の第１反射面（２ｂ１）によって反射され、導光レンズ（２）の第４反射面（２ｃ２）によって反射された光が、導光レンズ（２）から出光するための第３出光面（２ｄ３）を、導光レンズ（２）の出光部側（２Ｂ）に形成し、
一のＬＥＤ光源（１−１）から照射され、導光レンズ（２）の第２入光面（２ａ２）を透過し、導光レンズ（２）の第１反射面（２ｂ１）によって反射された光の他の一部が、導光レンズ（２）から出光するための第４出光面（２ｄ４）を、導光レンズ（２）の出光部側（２Ｂ）に形成し、
一のＬＥＤ光源（１−１）の発光中心から照射され、導光レンズ（２）の第２入光面（２ａ２）を透過し、導光レンズ（２）の第１反射面（２ｂ１）によって反射され、導光レンズ（２）の第４反射面（２ｃ２）によって反射され、導光レンズ（２）の第３出光面（２ｄ３）を透過し、平面（Ｓ１）内を進む光が、一のＬＥＤ光源（１−１）の光軸（１−１’）と第４角度（θ４）をなすと共に、
一のＬＥＤ光源（１−１）の発光中心から照射され、導光レンズ（２）の第２入光面（２ａ２）を透過し、導光レンズ（２）の第１反射面（２ｂ１）によって反射され、導光レンズ（２）の第４出光面（２ｄ４）を透過し、平面（Ｓ１）内を進む光が、一のＬＥＤ光源（１−１）の光軸（１−１’）と第４角度（θ４）より小さい第５角度（θ５）をなすように、導光レンズ（２）の第４反射面（２ｃ２）、第３出光面（２ｄ３）および第４出光面（２ｄ４）を設定し、
一のＬＥＤ光源（１−１）から照射され、導光レンズ（２）の第３入光面（２ａ３）を透過し、導光レンズ（２）の第２反射面（２ｂ２）によって反射された光の一部を、撮像レンズ鏡胴（Ａ１）の中心軸線（Ａ１’）から離れる側に反射するための第５反射面（２ｃ３）を、導光レンズ（２）の出光部側（２Ｂ）に形成し、
一のＬＥＤ光源（１−１）から照射され、導光レンズ（２）の第３入光面（２ａ３）を透過し、導光レンズ（２）の第２反射面（２ｂ２）によって反射され、導光レンズ（２）の第５反射面（２ｃ３）によって反射された光が、導光レンズ（２）から出光するための第５出光面（２ｄ５）を、導光レンズ（２）の出光部側（２Ｂ）に形成し、
一のＬＥＤ光源（１−１）から照射され、導光レンズ（２）の第３入光面（２ａ３）を透過し、導光レンズ（２）の第２反射面（２ｂ２）によって反射された光の他の一部が、導光レンズ（２）から出光するための第６出光面（２ｄ６）を、導光レンズ（２）の出光部側（２Ｂ）に形成し、
一のＬＥＤ光源（１−１）の発光中心から照射され、導光レンズ（２）の第３入光面（２ａ３）を透過し、導光レンズ（２）の第２反射面（２ｂ２）によって反射され、導光レンズ（２）の第５反射面（２ｃ３）によって反射され、導光レンズ（２）の第５出光面（２ｄ５）を透過し、平面（Ｓ１）内を進む光が、一のＬＥＤ光源（１−１）の光軸（１−１’）と第６角度（θ６）をなすと共に、
一のＬＥＤ光源（１−１）の発光中心から照射され、導光レンズ（２）の第３入光面（２ａ３）を透過し、導光レンズ（２）の第２反射面（２ｂ２）によって反射され、導光レンズ（２）の第６出光面（２ｄ６）を透過し、平面（Ｓ１）内を進む光が、一のＬＥＤ光源（１−１）の光軸（１−１’）と第６角度（θ６）より小さい第７角度（θ７）をなすように、導光レンズ（２）の第５反射面（２ｃ３）、第５出光面（２ｄ５）および第６出光面（２ｄ６）を設定し、
第２角度（θ２）と第４角度（θ４）と第６角度（θ６）とが互いに異なる値になるように、導光レンズ（２）の第３反射面（２ｃ１）、第１出光面（２ｄ１）、第４反射面（２ｃ２）、第３出光面（２ｄ３）、第５反射面（２ｃ３）および第５出光面（２ｄ５）を設定し、
第３角度（θ３）と第５角度（θ５）と第７角度（θ７）とが互いに異なる値になるように、導光レンズ（２）の第２出光面（２ｄ２）、第４出光面（２ｄ４）および第６出光面（２ｄ６）を設定し、
撮像レンズ鏡胴（Ａ１）の中心軸線（Ａ１’）を中心とする回転体形状に導光レンズ（２）を形成したことを特徴とするカメラ用ＬＥＤ照明装置（１００）が提供される。
【００１３】
請求項２に記載の発明によれば、一のＬＥＤ光源（１−１）から照射され、導光レンズ（２）の第３入光面（２ａ３）を透過し、導光レンズ（２）の第２反射面（２ｂ２）によって反射された光の一部を、撮像レンズ鏡胴（Ａ１）の中心軸線（Ａ１’）から離れる側に反射するための第６反射面（２ｃ４）を、導光レンズ（２）の出光部側（２Ｂ）の第３反射面（２ｃ１）と第５反射面（２ｃ３）との間に形成し、
一のＬＥＤ光源（１−１）から照射され、導光レンズ（２）の第３入光面（２ａ３）を透過し、導光レンズ（２）の第２反射面（２ｂ２）によって反射され、導光レンズ（２）の第６反射面（２ｃ４）によって反射された光が、導光レンズ（２）から出光するための第７出光面（２ｄ７）を、導光レンズ（２）の出光部側（２Ｂ）に形成し、
一のＬＥＤ光源（１−１）の発光中心から照射され、導光レンズ（２）の第３入光面（２ａ３）を透過し、導光レンズ（２）の第２反射面（２ｂ２）によって反射され、導光レンズ（２）の第６反射面（２ｃ４）によって反射され、導光レンズ（２）の第７出光面（２ｄ７）を透過し、平面（Ｓ１）内を進む光が、導光レンズ（２）の第６出光面（２ｄ６）を介して導光レンズ（２）に入光し、導光レンズ（２）の第５出光面（２ｄ５）を透過して導光レンズ（２）から出光し、一のＬＥＤ光源（１−１）の光軸（１−１’）と９０°より大きい第８角度（θ８）をなし、撮像レンズ鏡胴（Ａ１）の中心軸線（Ａ１’）から離れる側であって、導光レンズ（２）の入光部側（２Ａ）に照射されることを特徴とする請求項１に記載のカメラ用ＬＥＤ照明装置（１００）が提供される。
【００１４】
請求項３に記載の発明によれば、撮像レンズ鏡胴（Ａ１）の径方向外側に配置するための複数のＬＥＤ光源（１−１，…）を具備するカメラ用ＬＥＤ照明装置（１００）において、
撮像レンズ鏡胴（Ａ１）の中心軸線（Ａ１’）に垂直な平面（Ｓ０）上に位置する正Ｎ角形（Ｐ１）（Ｎは３以上の整数）であって、撮像レンズ鏡胴（Ａ１）の中心軸線（Ａ１’）を中心とする正Ｎ角形（Ｐ１）のＮ本の辺（ＳＤ１，…，ＳＤＮ）上に、複数のＬＥＤ光源（１−１，…）を配列し、
複数のＬＥＤ光源（１−１，…）の光軸（１−１’，…）を撮像レンズ鏡胴（Ａ１）の中心軸線（Ａ１’）に平行に配置し、
複数のＬＥＤ光源（１−１，…）からの光を導光して撮像レンズの視野範囲に照射するための導光レンズ（２）を設け、
正Ｎ角形（Ｐ１）のＮ本の辺（ＳＤ１，…，ＳＤＮ）のそれぞれに平行なＮ個の直線状のレンズ部（２−１，…，２−Ｎ）を導光レンズ（２）に形成し、
複数のＬＥＤ光源（１−１，…）のうちの一のＬＥＤ光源（１−１）を、正Ｎ角形（Ｐ１）の第１辺（ＳＤ１）上に配置し、
一のＬＥＤ光源（１−１）の光軸（１−１’）と第１角度（θ１）以下の角度をなして一のＬＥＤ光源（１−１）から照射され、一のＬＥＤ光源（１−１）の光軸（１−１’）を含む平面（Ｓ２）であって、正Ｎ角形（Ｐ１）の第１辺（ＳＤ１）に垂直な平面（Ｓ２）内を進む光が、導光レンズ（２）の第１レンズ部（２−１）に入光するための第１入光面（２ａ１）を、導光レンズ（２）の第１レンズ部（２−１）の入光部側（２Ａ）に形成し、
一のＬＥＤ光源（１−１）の発光中心から照射され、導光レンズ（２）の第１レンズ部（２−１）の第１入光面（２ａ１）を透過し、平面（Ｓ２）内を進む光が、一のＬＥＤ光源（１−１）の光軸（１−１’）に平行な光になるように、導光レンズ（２）の第１レンズ部（２−１）の第１入光面（２ａ１）を設定し、
一のＬＥＤ光源（１−１）の光軸（１−１’）と第１角度（θ１）より大きい角度をなして一のＬＥＤ光源（１−１）から照射され、平面（Ｓ２）内を撮像レンズ鏡胴（Ａ１）の中心軸線（Ａ１’）に近づく側に進む光が、導光レンズ（２）の第１レンズ部（２−１）に入光するための第２入光面（２ａ２）を、導光レンズ（２）の第１レンズ部（２−１）の入光部側（２Ａ）に形成し、
導光レンズ（２）の第１レンズ部（２−１）の第２入光面（２ａ２）を透過した光を反射するための第１反射面（２ｂ１）を、導光レンズ（２）の第１レンズ部（２−１）の入光部側（２Ａ）に形成し、
一のＬＥＤ光源（１−１）の発光中心から照射され、導光レンズ（２）の第１レンズ部（２−１）の第２入光面（２ａ２）を透過し、導光レンズ（２）の第１レンズ部（２−１）の第１反射面（２ｂ１）によって反射され、平面（Ｓ２）内を進む光が、一のＬＥＤ光源（１−１）の光軸（１−１’）に平行な光になるように、導光レンズ（２）の第１レンズ部（２−１）の第２入光面（２ａ２）および第１反射面（２ｂ１）を設定し、
一のＬＥＤ光源（１−１）の光軸（１−１’）と第１角度（θ１）より大きい角度をなして一のＬＥＤ光源（１−１）から照射され、平面（Ｓ２）内を撮像レンズ鏡胴（Ａ１）の中心軸線（Ａ１’）から離れる側に進む光が、導光レンズ（２）の第１レンズ部（２−１）に入光するための第３入光面（２ａ３）を、導光レンズ（２）の第１レンズ部（２−１）の入光部側（２Ａ）に形成し、
導光レンズ（２）の第１レンズ部（２−１）の第３入光面（２ａ３）を透過した光を反射するための第２反射面（２ｂ２）を、導光レンズ（２）の第１レンズ部（２−１）の入光部側（２Ａ）に形成し、
一のＬＥＤ光源（１−１）の発光中心から照射され、導光レンズ（２）の第１レンズ部（２−１）の第３入光面（２ａ３）を透過し、導光レンズ（２）の第１レンズ部（２−１）の第２反射面（２ｂ２）によって反射され、平面（Ｓ２）内を進む光が、一のＬＥＤ光源（１−１）の光軸（１−１’）に平行な光になるように、導光レンズ（２）の第１レンズ部（２−１）の第３入光面（２ａ３）および第２反射面（２ｂ２）を設定し、
一のＬＥＤ光源（１−１）から照射され、導光レンズ（２）の第１レンズ部（２−１）の第１入光面（２ａ１）を透過した光の一部を、撮像レンズ鏡胴（Ａ１）の中心軸線（Ａ１’）から離れる側に反射するための第３反射面（２ｃ１）を、導光レンズ（２）の第１レンズ部（２−１）の入光部側（２Ａ）とは反対側の導光レンズ（２）の第１レンズ部（２−１）の出光部側（２Ｂ）に形成し、
一のＬＥＤ光源（１−１）から照射され、導光レンズ（２）の第１レンズ部（２−１）の第１入光面（２ａ１）を透過し、導光レンズ（２）の第１レンズ部（２−１）の第３反射面（２ｃ１）によって反射された光が、導光レンズ（２）から出光するための第１出光面（２ｄ１）を、導光レンズ（２）の第１レンズ部（２−１）の出光部側（２Ｂ）に形成し、
一のＬＥＤ光源（１−１）から照射され、導光レンズ（２）の第１レンズ部（２−１）の第１入光面（２ａ１）を透過した光の他の一部が、導光レンズ（２）の第１レンズ部（２−１）から出光するための第２出光面（２ｄ２）を、導光レンズ（２）の第１レンズ部（２−１）の出光部側（２Ｂ）に形成し、
一のＬＥＤ光源（１−１）の発光中心から照射され、導光レンズ（２）の第１レンズ部（２−１）の第１入光面（２ａ１）を透過し、導光レンズ（２）の第１レンズ部（２−１）の第３反射面（２ｃ１）によって反射され、導光レンズ（２）の第１レンズ部（２−１）の第１出光面（２ｄ１）を透過し、平面（Ｓ２）内を進む光が、一のＬＥＤ光源（１−１）の光軸（１−１’）と第２角度（θ２）をなすと共に、
一のＬＥＤ光源（１−１）の発光中心から照射され、導光レンズ（２）の第１レンズ部（２−１）の第１入光面（２ａ１）を透過し、導光レンズ（２）の第１レンズ部（２−１）の第２出光面（２ｄ２）を透過し、平面（Ｓ２）内を進む光が、一のＬＥＤ光源（１−１）の光軸（１−１’）と第２角度（θ２）より小さい第３角度（θ３）をなすように、導光レンズ（２）の第１レンズ部（２−１）の第３反射面（２ｃ１）、第１出光面（２ｄ１）および第２出光面（２ｄ２）を設定し、
一のＬＥＤ光源（１−１）から照射され、導光レンズ（２）の第１レンズ部（２−１）の第２入光面（２ａ２）を透過し、導光レンズ（２）の第１レンズ部（２−１）の第１反射面（２ｂ１）によって反射された光の一部を、撮像レンズ鏡胴（Ａ１）の中心軸線（Ａ１’）から離れる側に反射するための第４反射面（２ｃ２）を、導光レンズ（２）の第１レンズ部（２−１）の出光部側（２Ｂ）に形成し、
一のＬＥＤ光源（１−１）から照射され、導光レンズ（２）の第１レンズ部（２−１）の第２入光面（２ａ２）を透過し、導光レンズ（２）の第１レンズ部（２−１）の第１反射面（２ｂ１）によって反射され、導光レンズ（２）の第１レンズ部（２−１）の第４反射面（２ｃ２）によって反射された光が、導光レンズ（２）の第１レンズ部（２−１）から出光するための第３出光面（２ｄ３）を、導光レンズ（２）の第１レンズ部（２−１）の出光部側（２Ｂ）に形成し、
一のＬＥＤ光源（１−１）から照射され、導光レンズ（２）の第１レンズ部（２−１）の第２入光面（２ａ２）を透過し、導光レンズ（２）の第１レンズ部（２−１）の第１反射面（２ｂ１）によって反射された光の他の一部が、導光レンズ（２）の第１レンズ部（２−１）から出光するための第４出光面（２ｄ４）を、導光レンズ（２）の第１レンズ部（２−１）の出光部側（２Ｂ）に形成し、
一のＬＥＤ光源（１−１）の発光中心から照射され、導光レンズ（２）の第１レンズ部（２−１）の第２入光面（２ａ２）を透過し、導光レンズ（２）の第１レンズ部（２−１）の第１反射面（２ｂ１）によって反射され、導光レンズ（２）の第１レンズ部（２−１）の第４反射面（２ｃ２）によって反射され、導光レンズ（２）の第１レンズ部（２−１）の第３出光面（２ｄ３）を透過し、平面（Ｓ２）内を進む光が、一のＬＥＤ光源（１−１）の光軸（１−１’）と第４角度（θ４）をなすと共に、
一のＬＥＤ光源（１−１）の発光中心から照射され、導光レンズ（２）の第１レンズ部（２−１）の第２入光面（２ａ２）を透過し、導光レンズ（２）の第１レンズ部（２−１）の第１反射面（２ｂ１）によって反射され、導光レンズ（２）の第１レンズ部（２−１）の第４出光面（２ｄ４）を透過し、平面（Ｓ２）内を進む光が、一のＬＥＤ光源（１−１）の光軸（１−１’）と第４角度（θ４）より小さい第５角度（θ５）をなすように、導光レンズ（２）の第１レンズ部（２−１）の第４反射面（２ｃ２）、第３出光面（２ｄ３）および第４出光面（２ｄ４）を設定し、
一のＬＥＤ光源（１−１）から照射され、導光レンズ（２）の第１レンズ部（２−１）の第３入光面（２ａ３）を透過し、導光レンズ（２）の第１レンズ部（２−１）の第２反射面（２ｂ２）によって反射された光の一部を、撮像レンズ鏡胴（Ａ１）の中心軸線（Ａ１’）から離れる側に反射するための第５反射面（２ｃ３）を、導光レンズ（２）の第１レンズ部（２−１）の出光部側（２Ｂ）に形成し、
一のＬＥＤ光源（１−１）から照射され、導光レンズ（２）の第１レンズ部（２−１）の第３入光面（２ａ３）を透過し、導光レンズ（２）の第１レンズ部（２−１）の第２反射面（２ｂ２）によって反射され、導光レンズ（２）の第１レンズ部（２−１）の第５反射面（２ｃ３）によって反射された光が、導光レンズ（２）から出光するための第５出光面（２ｄ５）を、導光レンズ（２）の第１レンズ部（２−１）の出光部側（２Ｂ）に形成し、
一のＬＥＤ光源（１−１）から照射され、導光レンズ（２）の第１レンズ部（２−１）の第３入光面（２ａ３）を透過し、導光レンズ（２）の第１レンズ部（２−１）の第２反射面（２ｂ２）によって反射された光の他の一部が、導光レンズ（２）の第１レンズ部（２−１）から出光するための第６出光面（２ｄ６）を、導光レンズ（２）の第１レンズ部（２−１）の出光部側（２Ｂ）に形成し、
一のＬＥＤ光源（１−１）の発光中心から照射され、導光レンズ（２）の第１レンズ部（２−１）の第３入光面（２ａ３）を透過し、導光レンズ（２）の第１レンズ部（２−１）の第２反射面（２ｂ２）によって反射され、導光レンズ（２）の第１レンズ部（２−１）の第５反射面（２ｃ３）によって反射され、導光レンズ（２）の第１レンズ部（２−１）の第５出光面（２ｄ５）を透過し、平面（Ｓ２）内を進む光が、一のＬＥＤ光源（１−１）の光軸（１−１’）と第６角度（θ６）をなすと共に、
一のＬＥＤ光源（１−１）の発光中心から照射され、導光レンズ（２）の第１レンズ部（２−１）の第３入光面（２ａ３）を透過し、導光レンズ（２）の第１レンズ部（２−１）の第２反射面（２ｂ２）によって反射され、導光レンズ（２）の第１レンズ部（２−１）の第６出光面（２ｄ６）を透過し、平面（Ｓ２）内を進む光が、一のＬＥＤ光源（１−１）の光軸（１−１’）と第６角度（θ６）より小さい第７角度（θ７）をなすように、導光レンズ（２）の第１レンズ部（２−１）の第５反射面（２ｃ３）、第５出光面（２ｄ５）および第６出光面（２ｄ６）を設定し、
第２角度（θ２）と第４角度（θ４）と第６角度（θ６）とが互いに異なる値になるように、導光レンズ（２）の第１レンズ部（２−１）の第３反射面（２ｃ１）、第１出光面（２ｄ１）、第４反射面（２ｃ２）、第３出光面（２ｄ３）、第５反射面（２ｃ３）および第５出光面（２ｄ５）を設定し、
第３角度（θ３）と第５角度（θ５）と第７角度（θ７）とが互いに異なる値になるように、導光レンズ（２）の第１レンズ部（２−１）の第２出光面（２ｄ２）、第４出光面（２ｄ４）および第６出光面（２ｄ６）を設定し、
平面（Ｓ２）内の導光レンズ（２）の第１レンズ部（２−１）の断面形状を第１辺（ＳＤ１）に沿ってスイープすることにより得られる柱状に、導光レンズ（２）の第１レンズ部（２−１）を形成し、
導光レンズ（２）の他のレンズ部（２−２，…，２−Ｎ）を導光レンズ（２）の第１レンズ部（２−１）と同一形状に形成し、
撮像レンズ鏡胴（Ａ１）の中心軸線（Ａ１’）を中心に導光レンズ（２）の第１レンズ部（２−１）を（Ｎ−１）回（３６０／Ｎ）°ずつ回転させた位置に、導光レンズ（２）の他のレンズ部（２−２，…，２−Ｎ）のそれぞれを配置することにより、Ｎ個の直線状のレンズ部（２−１，…，２−Ｎ）を有する導光レンズ（２）を、撮像レンズ鏡胴（Ａ１）の中心軸線（Ａ１’）を中心とするＮ回回転対称形状に形成したことを特徴とするカメラ用ＬＥＤ照明装置（１００）が提供される。
【００１５】
請求項４に記載の発明によれば、撮像レンズ鏡胴（Ａ１）の径方向外側に配置するための複数のＬＥＤ光源（１−１，…）を具備するカメラ用ＬＥＤ照明装置（１００）において、
撮像レンズ鏡胴（Ａ１）の中心軸線（Ａ１’）に垂直な平面（Ｓ０）上に位置する正Ｎ角形（Ｐ１）（Ｎは３以上の整数）であって、撮像レンズ鏡胴（Ａ１）の中心軸線（Ａ１’）を中心とする正Ｎ角形（Ｐ１）のＮ本の辺（ＳＤ１，…，ＳＤＮ）上に、複数のＬＥＤ光源（１−１，…）を配列し、
複数のＬＥＤ光源（１−１，…）の光軸（１−１’，…）を撮像レンズ鏡胴（Ａ１）の中心軸線（Ａ１’）に平行に配置し、
複数のＬＥＤ光源（１−１，…）からの光を導光して撮像レンズの視野範囲に照射するためのＮ個の直線状の導光レンズ（２．１，…，２．Ｎ）を設け、
Ｎ個の直線状の導光レンズ（２．１，…，２．Ｎ）を、正Ｎ角形（Ｐ１）のＮ本の辺（ＳＤ１，…，ＳＤＮ）のそれぞれに対して平行に配列し、
複数のＬＥＤ光源（１−１，…）のうちの一のＬＥＤ光源（１−１）を、正Ｎ角形（Ｐ１）の第１辺（ＳＤ１）上に配置し、
一のＬＥＤ光源（１−１）の光軸（１−１’）と第１角度（θ１）以下の角度をなして一のＬＥＤ光源（１−１）から照射され、一のＬＥＤ光源（１−１）の光軸（１−１’）を含む平面（Ｓ２）であって、正Ｎ角形（Ｐ１）の第１辺（ＳＤ１）に垂直な平面（Ｓ２）内を進む光が、第１導光レンズ（２．１）に入光するための第１入光面（２ａ１）を、第１導光レンズ（２．１）の入光部側（２Ａ）に形成し、
一のＬＥＤ光源（１−１）の発光中心から照射され、第１導光レンズ（２．１）の第１入光面（２ａ１）を透過し、平面（Ｓ２）内を進む光が、一のＬＥＤ光源（１−１）の光軸（１−１’）に平行な光になるように、第１導光レンズ（２．１）の第１入光面（２ａ１）を設定し、
一のＬＥＤ光源（１−１）の光軸（１−１’）と第１角度（θ１）より大きい角度をなして一のＬＥＤ光源（１−１）から照射され、平面（Ｓ２）内を撮像レンズ鏡胴（Ａ１）の中心軸線（Ａ１’）に近づく側に進む光が、第１導光レンズ（２．１）に入光するための第２入光面（２ａ２）を、第１導光レンズ（２．１）の入光部側（２Ａ）に形成し、
第１導光レンズ（２．１）の第２入光面（２ａ２）を透過した光を反射するための第１反射面（２ｂ１）を、第１導光レンズ（２．１）の入光部側（２Ａ）に形成し、
一のＬＥＤ光源（１−１）の発光中心から照射され、第１導光レンズ（２．１）の第２入光面（２ａ２）を透過し、第１導光レンズ（２．１）の第１反射面（２ｂ１）によって反射され、平面（Ｓ２）内を進む光が、一のＬＥＤ光源（１−１）の光軸（１−１’）に平行な光になるように、第１導光レンズ（２．１）の第２入光面（２ａ２）および第１反射面（２ｂ１）を設定し、
一のＬＥＤ光源（１−１）の光軸（１−１’）と第１角度（θ１）より大きい角度をなして一のＬＥＤ光源（１−１）から照射され、平面（Ｓ２）内を撮像レンズ鏡胴（Ａ１）の中心軸線（Ａ１’）から離れる側に進む光が、第１導光レンズ（２．１）に入光するための第３入光面（２ａ３）を、第１導光レンズ（２．１）の入光部側（２Ａ）に形成し、
第１導光レンズ（２．１）の第３入光面（２ａ３）を透過した光を反射するための第２反射面（２ｂ２）を、第１導光レンズ（２．１）の入光部側（２Ａ）に形成し、
一のＬＥＤ光源（１−１）の発光中心から照射され、第１導光レンズ（２．１）の第３入光面（２ａ３）を透過し、第１導光レンズ（２．１）の第２反射面（２ｂ２）によって反射され、平面（Ｓ２）内を進む光が、一のＬＥＤ光源（１−１）の光軸（１−１’）に平行な光になるように、第１導光レンズ（２．１）の第３入光面（２ａ３）および第２反射面（２ｂ２）を設定し、
一のＬＥＤ光源（１−１）から照射され、第１導光レンズ（２．１）の第１入光面（２ａ１）を透過した光の一部を、撮像レンズ鏡胴（Ａ１）の中心軸線（Ａ１’）から離れる側に反射するための第３反射面（２ｃ１）を、第１導光レンズ（２．１）の入光部側（２Ａ）とは反対側の第１導光レンズ（２．１）の出光部側（２Ｂ）に形成し、
一のＬＥＤ光源（１−１）から照射され、第１導光レンズ（２．１）の第１入光面（２ａ１）を透過し、第１導光レンズ（２．１）の第３反射面（２ｃ１）によって反射された光が、第１導光レンズ（２．１）から出光するための第１出光面（２ｄ１）を、第１導光レンズ（２．１）の出光部側（２Ｂ）に形成し、
一のＬＥＤ光源（１−１）から照射され、第１導光レンズ（２．１）の第１入光面（２ａ１）を透過した光の他の一部が、第１導光レンズ（２．１）から出光するための第２出光面（２ｄ２）を、第１導光レンズ（２．１）の出光部側（２Ｂ）に形成し、
一のＬＥＤ光源（１−１）の発光中心から照射され、第１導光レンズ（２．１）の第１入光面（２ａ１）を透過し、第１導光レンズ（２．１）の第３反射面（２ｃ１）によって反射され、第１導光レンズ（２．１）の第１出光面（２ｄ１）を透過し、平面（Ｓ２）内を進む光が、一のＬＥＤ光源（１−１）の光軸（１−１’）と第２角度（θ２）をなすと共に、
一のＬＥＤ光源（１−１）の発光中心から照射され、第１導光レンズ（２．１）の第１入光面（２ａ１）を透過し、第１導光レンズ（２．１）の第２出光面（２ｄ２）を透過し、平面（Ｓ２）内を進む光が、一のＬＥＤ光源（１−１）の光軸（１−１’）と第２角度（θ２）より小さい第３角度（θ３）をなすように、第１導光レンズ（２．１）の第３反射面（２ｃ１）、第１出光面（２ｄ１）および第２出光面（２ｄ２）を設定し、
一のＬＥＤ光源（１−１）から照射され、第１導光レンズ（２．１）の第２入光面（２ａ２）を透過し、第１導光レンズ（２．１）の第１反射面（２ｂ１）によって反射された光の一部を、撮像レンズ鏡胴（Ａ１）の中心軸線（Ａ１’）から離れる側に反射するための第４反射面（２ｃ２）を、第１導光レンズ（２．１）の出光部側（２Ｂ）に形成し、
一のＬＥＤ光源（１−１）から照射され、第１導光レンズ（２．１）の第２入光面（２ａ２）を透過し、第１導光レンズ（２．１）の第１反射面（２ｂ１）によって反射され、第１導光レンズ（２．１）の第４反射面（２ｃ２）によって反射された光が、第１導光レンズ（２．１）から出光するための第３出光面（２ｄ３）を、第１導光レンズ（２．１）の出光部側（２Ｂ）に形成し、
一のＬＥＤ光源（１−１）から照射され、第１導光レンズ（２．１）の第２入光面（２ａ２）を透過し、第１導光レンズ（２．１）の第１反射面（２ｂ１）によって反射された光の他の一部が、第１導光レンズ（２．１）から出光するための第４出光面（２ｄ４）を、第１導光レンズ（２．１）の出光部側（２Ｂ）に形成し、
一のＬＥＤ光源（１−１）の発光中心から照射され、第１導光レンズ（２．１）の第２入光面（２ａ２）を透過し、第１導光レンズ（２．１）の第１反射面（２ｂ１）によって反射され、第１導光レンズ（２．１）の第４反射面（２ｃ２）によって反射され、第１導光レンズ（２．１）の第３出光面（２ｄ３）を透過し、平面（Ｓ２）内を進む光が、一のＬＥＤ光源（１−１）の光軸（１−１’）と第４角度（θ４）をなすと共に、
一のＬＥＤ光源（１−１）の発光中心から照射され、第１導光レンズ（２．１）の第２入光面（２ａ２）を透過し、第１導光レンズ（２．１）の第１反射面（２ｂ１）によって反射され、第１導光レンズ（２．１）の第４出光面（２ｄ４）を透過し、平面（Ｓ２）内を進む光が、一のＬＥＤ光源（１−１）の光軸（１−１’）と第４角度（θ４）より小さい第５角度（θ５）をなすように、第１導光レンズ（２．１）の第４反射面（２ｃ２）、第３出光面（２ｄ３）および第４出光面（２ｄ４）を設定し、
一のＬＥＤ光源（１−１）から照射され、第１導光レンズ（２．１）の第３入光面（２ａ３）を透過し、第１導光レンズ（２．１）の第２反射面（２ｂ２）によって反射された光の一部を、撮像レンズ鏡胴（Ａ１）の中心軸線（Ａ１’）から離れる側に反射するための第５反射面（２ｃ３）を、第１導光レンズ（２．１）の出光部側（２Ｂ）に形成し、
一のＬＥＤ光源（１−１）から照射され、第１導光レンズ（２．１）の第３入光面（２ａ３）を透過し、第１導光レンズ（２．１）の第２反射面（２ｂ２）によって反射され、第１導光レンズ（２．１）の第５反射面（２ｃ３）によって反射された光が、第１導光レンズ（２．１）から出光するための第５出光面（２ｄ５）を、第１導光レンズ（２．１）の出光部側（２Ｂ）に形成し、
一のＬＥＤ光源（１−１）から照射され、第１導光レンズ（２．１）の第３入光面（２ａ３）を透過し、第１導光レンズ（２．１）の第２反射面（２ｂ２）によって反射された光の他の一部が、第１導光レンズ（２．１）から出光するための第６出光面（２ｄ６）を、第１導光レンズ（２．１）の出光部側（２Ｂ）に形成し、
一のＬＥＤ光源（１−１）の発光中心から照射され、第１導光レンズ（２．１）の第３入光面（２ａ３）を透過し、第１導光レンズ（２．１）の第２反射面（２ｂ２）によって反射され、第１導光レンズ（２．１）の第５反射面（２ｃ３）によって反射され、第１導光レンズ（２．１）の第５出光面（２ｄ５）を透過し、平面（Ｓ２）内を進む光が、一のＬＥＤ光源（１−１）の光軸（１−１’）と第６角度（θ６）をなすと共に、
一のＬＥＤ光源（１−１）の発光中心から照射され、第１導光レンズ（２．１）の第３入光面（２ａ３）を透過し、第１導光レンズ（２．１）の第２反射面（２ｂ２）によって反射され、第１導光レンズ（２．１）の第６出光面（２ｄ６）を透過し、平面（Ｓ２）内を進む光が、一のＬＥＤ光源（１−１）の光軸（１−１’）と第６角度（θ６）より小さい第７角度（θ７）をなすように、第１導光レンズ（２．１）の第５反射面（２ｃ３）、第５出光面（２ｄ５）および第６出光面（２ｄ６）を設定し、
第２角度（θ２）と第４角度（θ４）と第６角度（θ６）とが互いに異なる値になるように、第１導光レンズ（２．１）の第３反射面（２ｃ１）、第１出光面（２ｄ１）、第４反射面（２ｃ２）、第３出光面（２ｄ３）、第５反射面（２ｃ３）および第５出光面（２ｄ５）を設定し、
第３角度（θ３）と第５角度（θ５）と第７角度（θ７）とが互いに異なる値になるように、第１導光レンズ（２．１）の第２出光面（２ｄ２）、第４出光面（２ｄ４）および第６出光面（２ｄ６）を設定し、
平面（Ｓ２）内の第１導光レンズ（２．１）の断面形状を第１辺（ＳＤ１）に沿ってスイープすることにより得られる柱状に、第１導光レンズ（２．１）を形成し、
他の導光レンズ（２．２，…，２．Ｎ）を第１導光レンズ（２．１）と同一形状に形成し、
撮像レンズ鏡胴（Ａ１）の中心軸線（Ａ１’）を中心に第１導光レンズ（２．１）を（Ｎ−１）回（３６０／Ｎ）°ずつ回転させた位置に、他の導光レンズ（２．２，…，２．Ｎ）のそれぞれを配置することにより、Ｎ個の直線状の導光レンズ（２．１，…，２．Ｎ）を、撮像レンズ鏡胴（Ａ１）の中心軸線（Ａ１’）を中心するＮ回回転対称に配列したことを特徴とするカメラ用ＬＥＤ照明装置（１００）が提供される。
【００１６】
請求項５に記載の発明によれば、撮像レンズ鏡胴（Ａ１）の径方向外側に配置するための複数のＬＥＤ光源（１−１，…）を具備するカメラ用ＬＥＤ照明装置（１００）において、
撮像レンズ鏡胴（Ａ１）の中心軸線（Ａ１’）に垂直な平面（Ｓ０）上に位置する正Ｎ角形（Ｐ１）（Ｎは３以上の整数）であって、撮像レンズ鏡胴（Ａ１）の中心軸線（Ａ１’）を中心とする正Ｎ角形（Ｐ１）のＮ本の辺（ＳＤ１，…，ＳＤＮ）上に、複数のＬＥＤ光源（１−１，…）を配列し、
複数のＬＥＤ光源（１−１，…）の光軸（１−１’，…）を撮像レンズ鏡胴（Ａ１）の中心軸線（Ａ１’）に平行に配置し、
複数のＬＥＤ光源（１−１，…）からの光を導光して撮像レンズの視野範囲に照射するためのＮ個のく字状の導光レンズ（２．１，…，２．Ｎ）を設け、
く字状の第１導光レンズ（２．１）に、正Ｎ角形（Ｐ１）の第１辺（ＳＤ１）と第２辺（ＳＤ２）とによって構成される第１頂点（Ｖ１）に対応する屈曲部分（２．１ａ）と、第１辺（ＳＤ１）の中点（Ｍ１）と第１頂点（Ｖ１）との間の部分に対応する第１直線状部分（２．１ｂ）と、第２辺（ＳＤ２）の中点（Ｍ２）と第１頂点（Ｖ１）との間の部分に対応する第２直線状部分（２．１ｃ）とを形成し、
複数のＬＥＤ光源（１−１，…）のうちの一のＬＥＤ光源（１−１）を、正Ｎ角形（Ｐ１）の第１辺（ＳＤ１）のうちの第１頂点（Ｖ１）と第１辺（ＳＤ１）の中点（Ｍ１）との間の部分上に配置し、
一のＬＥＤ光源（１−１）の光軸（１−１’）と第１角度（θ１）以下の角度をなして一のＬＥＤ光源（１−１）から照射され、一のＬＥＤ光源（１−１）の光軸（１−１’）を含む平面（Ｓ２）であって、正Ｎ角形（Ｐ１）の第１辺（ＳＤ１）に垂直な平面（Ｓ２）内を進む光が、第１導光レンズ（２．１）に入光するための第１入光面（２ａ１）を、第１導光レンズ（２．１）の第１直線状部分（２．１ｂ）の入光部側（２Ａ）に形成し、
一のＬＥＤ光源（１−１）の発光中心から照射され、第１導光レンズ（２．１）の第１直線状部分（２．１ｂ）の第１入光面（２ａ１）を透過し、平面（Ｓ２）内を進む光が、一のＬＥＤ光源（１−１）の光軸（１−１’）に平行な光になるように、第１導光レンズ（２．１）の第１直線状部分（２．１ｂ）の第１入光面（２ａ１）を設定し、
一のＬＥＤ光源（１−１）の光軸（１−１’）と第１角度（θ１）より大きい角度をなして一のＬＥＤ光源（１−１）から照射され、平面（Ｓ２）内を撮像レンズ鏡胴（Ａ１）の中心軸線（Ａ１’）に近づく側に進む光が、第１導光レンズ（２．１）に入光するための第２入光面（２ａ２）を、第１導光レンズ（２．１）の第１直線状部分（２．１ｂ）の入光部側（２Ａ）に形成し、
第１導光レンズ（２．１）の第１直線状部分（２．１ｂ）の第２入光面（２ａ２）を透過した光を反射するための第１反射面（２ｂ１）を、第１導光レンズ（２．１）の第１直線状部分（２．１ｂ）の入光部側（２Ａ）に形成し、
一のＬＥＤ光源（１−１）の発光中心から照射され、第１導光レンズ（２．１）の第１直線状部分（２．１ｂ）の第２入光面（２ａ２）を透過し、第１導光レンズ（２．１）の第１直線状部分（２．１ｂ）の第１反射面（２ｂ１）によって反射され、平面（Ｓ２）内を進む光が、一のＬＥＤ光源（１−１）の光軸（１−１’）に平行な光になるように、第１導光レンズ（２．１）の第１直線状部分（２．１ｂ）の第２入光面（２ａ２）および第１反射面（２ｂ１）を設定し、
一のＬＥＤ光源（１−１）の光軸（１−１’）と第１角度（θ１）より大きい角度をなして一のＬＥＤ光源（１−１）から照射され、平面（Ｓ２）内を撮像レンズ鏡胴（Ａ１）の中心軸線（Ａ１’）から離れる側に進む光が、第１導光レンズ（２．１）に入光するための第３入光面（２ａ３）を、第１導光レンズ（２．１）の第１直線状部分（２．１ｂ）の入光部側（２Ａ）に形成し、
第１導光レンズ（２．１）の第１直線状部分（２．１ｂ）の第３入光面（２ａ３）を透過した光を反射するための第２反射面（２ｂ２）を、第１導光レンズ（２．１）の第１直線状部分（２．１ｂ）の入光部側（２Ａ）に形成し、
一のＬＥＤ光源（１−１）の発光中心から照射され、第１導光レンズ（２．１）の第１直線状部分（２．１ｂ）の第３入光面（２ａ３）を透過し、第１導光レンズ（２．１）の第１直線状部分（２．１ｂ）の第２反射面（２ｂ２）によって反射され、平面（Ｓ２）内を進む光が、一のＬＥＤ光源（１−１）の光軸（１−１’）に平行な光になるように、第１導光レンズ（２．１）の第１直線状部分（２．１ｂ）の第３入光面（２ａ３）および第２反射面（２ｂ２）を設定し、
一のＬＥＤ光源（１−１）から照射され、第１導光レンズ（２．１）の第１直線状部分（２．１ｂ）の第１入光面（２ａ１）を透過した光の一部を、撮像レンズ鏡胴（Ａ１）の中心軸線（Ａ１’）から離れる側に反射するための第３反射面（２ｃ１）を、第１導光レンズ（２．１）の第１直線状部分（２．１ｂ）の入光部側（２Ａ）とは反対側の第１導光レンズ（２．１）の第１直線状部分（２．１ｂ）の出光部側（２Ｂ）に形成し、
一のＬＥＤ光源（１−１）から照射され、第１導光レンズ（２．１）の第１直線状部分（２．１ｂ）の第１入光面（２ａ１）を透過し、第１導光レンズ（２．１）の第１直線状部分（２．１ｂ）の第３反射面（２ｃ１）によって反射された光が、第１導光レンズ（２．１）から出光するための第１出光面（２ｄ１）を、第１導光レンズ（２．１）の第１直線状部分（２．１ｂ）の出光部側（２Ｂ）に形成し、
一のＬＥＤ光源（１−１）から照射され、第１導光レンズ（２．１）の第１直線状部分（２．１ｂ）の第１入光面（２ａ１）を透過した光の他の一部が、第１導光レンズ（２．１）から出光するための第２出光面（２ｄ２）を、第１導光レンズ（２．１）の第１直線状部分（２．１ｂ）の出光部側（２Ｂ）に形成し、
一のＬＥＤ光源（１−１）の発光中心から照射され、第１導光レンズ（２．１）の第１直線状部分（２．１ｂ）の第１入光面（２ａ１）を透過し、第１導光レンズ（２．１）の第１直線状部分（２．１ｂ）の第３反射面（２ｃ１）によって反射され、第１導光レンズ（２．１）の第１直線状部分（２．１ｂ）の第１出光面（２ｄ１）を透過し、平面（Ｓ２）内を進む光が、一のＬＥＤ光源（１−１）の光軸（１−１’）と第２角度（θ２）をなすと共に、
一のＬＥＤ光源（１−１）の発光中心から照射され、第１導光レンズ（２．１）の第１直線状部分（２．１ｂ）の第１入光面（２ａ１）を透過し、第１導光レンズ（２．１）の第１直線状部分（２．１ｂ）の第２出光面（２ｄ２）を透過し、平面（Ｓ２）内を進む光が、一のＬＥＤ光源（１−１）の光軸（１−１’）と第２角度（θ２）より小さい第３角度（θ３）をなすように、第１導光レンズ（２．１）の第１直線状部分（２．１ｂ）の第３反射面（２ｃ１）、第１出光面（２ｄ１）および第２出光面（２ｄ２）を設定し、
一のＬＥＤ光源（１−１）から照射され、第１導光レンズ（２．１）の第１直線状部分（２．１ｂ）の第２入光面（２ａ２）を透過し、第１導光レンズ（２．１）の第１直線状部分（２．１ｂ）の第１反射面（２ｂ１）によって反射された光の一部を、撮像レンズ鏡胴（Ａ１）の中心軸線（Ａ１’）から離れる側に反射するための第４反射面（２ｃ２）を、第１導光レンズ（２．１）の第１直線状部分（２．１ｂ）の出光部側（２Ｂ）に形成し、
一のＬＥＤ光源（１−１）から照射され、第１導光レンズ（２．１）の第１直線状部分（２．１ｂ）の第２入光面（２ａ２）を透過し、第１導光レンズ（２．１）の第１直線状部分（２．１ｂ）の第１反射面（２ｂ１）によって反射され、第１導光レンズ（２．１）の第１直線状部分（２．１ｂ）の第４反射面（２ｃ２）によって反射された光が、第１導光レンズ（２．１）から出光するための第３出光面（２ｄ３）を、第１導光レンズ（２．１）の第１直線状部分（２．１ｂ）の出光部側（２Ｂ）に形成し、
一のＬＥＤ光源（１−１）から照射され、第１導光レンズ（２．１）の第１直線状部分（２．１ｂ）の第２入光面（２ａ２）を透過し、第１導光レンズ（２．１）の第１直線状部分（２．１ｂ）の第１反射面（２ｂ１）によって反射された光の他の一部が、第１導光レンズ（２．１）から出光するための第４出光面（２ｄ４）を、第１導光レンズ（２．１）の第１直線状部分（２．１ｂ）の出光部側（２Ｂ）に形成し、
一のＬＥＤ光源（１−１）の発光中心から照射され、第１導光レンズ（２．１）の第１直線状部分（２．１ｂ）の第２入光面（２ａ２）を透過し、第１導光レンズ（２．１）の第１直線状部分（２．１ｂ）の第１反射面（２ｂ１）によって反射され、第１導光レンズ（２．１）の第１直線状部分（２．１ｂ）の第４反射面（２ｃ２）によって反射され、第１導光レンズ（２．１）の第１直線状部分（２．１ｂ）の第３出光面（２ｄ３）を透過し、平面（Ｓ２）内を進む光が、一のＬＥＤ光源（１−１）の光軸（１−１’）と第４角度（θ４）をなすと共に、
一のＬＥＤ光源（１−１）の発光中心から照射され、第１導光レンズ（２．１）の第１直線状部分（２．１ｂ）の第２入光面（２ａ２）を透過し、第１導光レンズ（２．１）の第１直線状部分（２．１ｂ）の第１反射面（２ｂ１）によって反射され、第１導光レンズ（２．１）の第１直線状部分（２．１ｂ）の第４出光面（２ｄ４）を透過し、平面（Ｓ２）内を進む光が、一のＬＥＤ光源（１−１）の光軸（１−１’）と第４角度（θ４）より小さい第５角度（θ５）をなすように、第１導光レンズ（２．１）の第１直線状部分（２．１ｂ）の第４反射面（２ｃ２）、第３出光面（２ｄ３）および第４出光面（２ｄ４）を設定し、
一のＬＥＤ光源（１−１）から照射され、第１導光レンズ（２．１）の第１直線状部分（２．１ｂ）の第３入光面（２ａ３）を透過し、第１導光レンズ（２．１）の第１直線状部分（２．１ｂ）の第２反射面（２ｂ２）によって反射された光の一部を、撮像レンズ鏡胴（Ａ１）の中心軸線（Ａ１’）から離れる側に反射するための第５反射面（２ｃ３）を、第１導光レンズ（２．１）の第１直線状部分（２．１ｂ）の出光部側（２Ｂ）に形成し、
一のＬＥＤ光源（１−１）から照射され、第１導光レンズ（２．１）の第１直線状部分（２．１ｂ）の第３入光面（２ａ３）を透過し、第１導光レンズ（２．１）の第１直線状部分（２．１ｂ）の第２反射面（２ｂ２）によって反射され、第１導光レンズ（２．１）の第１直線状部分（２．１ｂ）の第５反射面（２ｃ３）によって反射された光が、第１導光レンズ（２．１）から出光するための第５出光面（２ｄ５）を、第１導光レンズ（２．１）の第１直線状部分（２．１ｂ）の出光部側（２Ｂ）に形成し、
一のＬＥＤ光源（１−１）から照射され、第１導光レンズ（２．１）の第１直線状部分（２．１ｂ）の第３入光面（２ａ３）を透過し、第１導光レンズ（２．１）の第１直線状部分（２．１ｂ）の第２反射面（２ｂ２）によって反射された光の他の一部が、第１導光レンズ（２．１）から出光するための第６出光面（２ｄ６）を、第１導光レンズ（２．１）の第１直線状部分（２．１ｂ）の出光部側（２Ｂ）に形成し、
一のＬＥＤ光源（１−１）の発光中心から照射され、第１導光レンズ（２．１）の第１直線状部分（２．１ｂ）の第３入光面（２ａ３）を透過し、第１導光レンズ（２．１）の第１直線状部分（２．１ｂ）の第２反射面（２ｂ２）によって反射され、第１導光レンズ（２．１）の第１直線状部分（２．１ｂ）の第５反射面（２ｃ３）によって反射され、第１導光レンズ（２．１）の第１直線状部分（２．１ｂ）の第５出光面（２ｄ５）を透過し、平面（Ｓ２）内を進む光が、一のＬＥＤ光源（１−１）の光軸（１−１’）と第６角度（θ６）をなすと共に、
一のＬＥＤ光源（１−１）の発光中心から照射され、第１導光レンズ（２．１）の第１直線状部分（２．１ｂ）の第３入光面（２ａ３）を透過し、第１導光レンズ（２．１）の第１直線状部分（２．１ｂ）の第２反射面（２ｂ２）によって反射され、第１導光レンズ（２．１）の第１直線状部分（２．１ｂ）の第６出光面（２ｄ６）を透過し、平面（Ｓ２）内を進む光が、一のＬＥＤ光源（１−１）の光軸（１−１’）と第６角度（θ６）より小さい第７角度（θ７）をなすように、第１導光レンズ（２．１）の第１直線状部分（２．１ｂ）の第５反射面（２ｃ３）、第５出光面（２ｄ５）および第６出光面（２ｄ６）を設定し、
第２角度（θ２）と第４角度（θ４）と第６角度（θ６）とが互いに異なる値になるように、第１導光レンズ（２．１）の第１直線状部分（２．１ｂ）の第３反射面（２ｃ１）、第１出光面（２ｄ１）、第４反射面（２ｃ２）、第３出光面（２ｄ３）、第５反射面（２ｃ３）および第５出光面（２ｄ５）を設定し、
第３角度（θ３）と第５角度（θ５）と第７角度（θ７）とが互いに異なる値になるように、第１導光レンズ（２．１）の第１直線状部分（２．１ｂ）の第２出光面（２ｄ２）、第４出光面（２ｄ４）および第６出光面（２ｄ６）を設定し、
平面（Ｓ２）内の第１導光レンズ（２．１）の第１直線状部分（２．１ｂ）の断面形状を第１辺（ＳＤ１）に沿ってスイープすることにより得られる柱状に、第１導光レンズ（２．１）の第１直線状部分（２．１ｂ）を形成し、
撮像レンズ鏡胴（Ａ１）の中心軸線（Ａ１’）と正Ｎ角形（Ｐ１）の第１頂点（Ｖ１）とを含む平面（Ｓ３）に関して第１導光レンズ（２．１）の第１直線状部分（２．１ｂ）と鏡像関係を有するように、第１導光レンズ（２．１）の第２直線状部分（２．１ｃ）を形成し、
他の導光レンズ（２．２，…，２．Ｎ）を第１導光レンズ（２．１）と同一形状に形成し、
撮像レンズ鏡胴（Ａ１）の中心軸線（Ａ１’）を中心に第１導光レンズ（２．１）を（Ｎ−１）回（３６０／Ｎ）°ずつ回転させた位置に、他の導光レンズ（２．２，…，２．Ｎ）のそれぞれを配置することにより、Ｎ個のく字状の導光レンズ（２．１，…，２．Ｎ）を、撮像レンズ鏡胴（Ａ１）の中心軸線（Ａ１’）を中心するＮ回回転対称に配列したことを特徴とするカメラ用ＬＥＤ照明装置（１００）が提供される。
【００１７】
請求項６に記載の発明によれば、請求項１〜５のいずれか一項に記載のカメラ用ＬＥＤ照明装置（１００）と、撮像レンズ鏡胴（Ａ１）とを具備することを特徴とするカメラ（２００）が提供される。
【発明の効果】
【００１８】
請求項１に記載のカメラ用ＬＥＤ照明装置（１００）では、撮像レンズ鏡胴（Ａ１）の径方向外側に配置するための複数のＬＥＤ光源（１−１，…）が設けられている。詳細には、撮像レンズ鏡胴（Ａ１）の中心軸線（Ａ１’）に垂直な平面（Ｓ０）上に位置する円（Ｃ１）であって、撮像レンズ鏡胴（Ａ１）の中心軸線（Ａ１’）を中心とする円（Ｃ１）上に、複数のＬＥＤ光源（１−１，…）が配列されている。また、複数のＬＥＤ光源（１−１，…）の光軸（１−１’，…）が撮像レンズ鏡胴（Ａ１）の中心軸線（Ａ１’）に平行に配置されている。
【００１９】
そのため、請求項１に記載のカメラ用ＬＥＤ照明装置（１００）によれば、複数のＬＥＤ光源（１−１，…）の光軸（１−１’，…）のそれぞれが撮像レンズ鏡胴（Ａ１）の中心軸線（Ａ１’）に対して異なる角度で傾斜せしめられている場合よりも、複数のＬＥＤ光源（１−１，…）を配置する工程の煩雑性を低減することができる。
【００２０】
更に、請求項１に記載のカメラ用ＬＥＤ照明装置（１００）では、複数のＬＥＤ光源（１−１，…）からの光を導光して撮像レンズの視野範囲に照射するための導光レンズ（２）が設けられている。
詳細には、請求項１に記載のカメラ用ＬＥＤ照明装置（１００）では、複数のＬＥＤ光源（１−１，…）のうちの一のＬＥＤ光源（１−１）の光軸（１−１’）と第１角度（θ１）以下の角度をなして一のＬＥＤ光源（１−１）から照射され、撮像レンズ鏡胴（Ａ１）の中心軸線（Ａ１’）と一のＬＥＤ光源（１−１）の光軸（１−１’）とを含む平面（Ｓ１）内を進む光が、導光レンズ（２）に入光するための第１入光面（２ａ１）が、導光レンズ（２）の入光部側（２Ａ）に形成されている。更に、一のＬＥＤ光源（１−１）の発光中心から照射され、導光レンズ（２）の第１入光面（２ａ１）を透過し、平面（Ｓ１）内を進む光が、一のＬＥＤ光源（１−１）の光軸（１−１’）に平行な光になるように、導光レンズ（２）の第１入光面（２ａ１）が設定されている。
【００２１】
また、請求項１に記載のカメラ用ＬＥＤ照明装置（１００）では、一のＬＥＤ光源（１−１）の光軸（１−１’）と第１角度（θ１）より大きい角度をなして一のＬＥＤ光源（１−１）から照射され、平面（Ｓ１）内を撮像レンズ鏡胴（Ａ１）の中心軸線（Ａ１’）に近づく側に進む光が、導光レンズ（２）に入光するための第２入光面（２ａ２）が、導光レンズ（２）の入光部側（２Ａ）に形成されている。更に、導光レンズ（２）の第２入光面（２ａ２）を透過した光を反射するための第１反射面（２ｂ１）が、導光レンズ（２）の入光部側（２Ａ）に形成されている。また、一のＬＥＤ光源（１−１）の発光中心から照射され、導光レンズ（２）の第２入光面（２ａ２）を透過し、導光レンズ（２）の第１反射面（２ｂ１）によって反射され、平面（Ｓ１）内を進む光が、一のＬＥＤ光源（１−１）の光軸（１−１’）に平行な光になるように、導光レンズ（２）の第２入光面（２ａ２）および第１反射面（２ｂ１）が設定されている。
【００２２】
更に、請求項１に記載のカメラ用ＬＥＤ照明装置（１００）では、一のＬＥＤ光源（１−１）の光軸（１−１’）と第１角度（θ１）より大きい角度をなして一のＬＥＤ光源（１−１）から照射され、平面（Ｓ１）内を撮像レンズ鏡胴（Ａ１）の中心軸線（Ａ１’）から離れる側に進む光が、導光レンズ（２）に入光するための第３入光面（２ａ３）が、導光レンズ（２）の入光部側（２Ａ）に形成されている。また、導光レンズ（２）の第３入光面（２ａ３）を透過した光を反射するための第２反射面（２ｂ２）が、導光レンズ（２）の入光部側（２Ａ）に形成されている。更に、一のＬＥＤ光源（１−１）の発光中心から照射され、導光レンズ（２）の第３入光面（２ａ３）を透過し、導光レンズ（２）の第２反射面（２ｂ２）によって反射され、平面（Ｓ１）内を進む光が、一のＬＥＤ光源（１−１）の光軸（１−１’）に平行な光になるように、導光レンズ（２）の第３入光面（２ａ３）および第２反射面（２ｂ２）が設定されている。
【００２３】
また、請求項１に記載のカメラ用ＬＥＤ照明装置（１００）では、一のＬＥＤ光源（１−１）から照射され、導光レンズ（２）の第１入光面（２ａ１）を透過した光の一部を、撮像レンズ鏡胴（Ａ１）の中心軸線（Ａ１’）から離れる側に反射するための第３反射面（２ｃ１）が、導光レンズ（２）の入光部側（２Ａ）とは反対側の導光レンズ（２）の出光部側（２Ｂ）に形成されている。更に、一のＬＥＤ光源（１−１）から照射され、導光レンズ（２）の第１入光面（２ａ１）を透過し、導光レンズ（２）の第３反射面（２ｃ１）によって反射された光が、導光レンズ（２）から出光するための第１出光面（２ｄ１）が、導光レンズ（２）の出光部側（２Ｂ）に形成されている。また、一のＬＥＤ光源（１−１）から照射され、導光レンズ（２）の第１入光面（２ａ１）を透過した光の他の一部が、導光レンズ（２）から出光するための第２出光面（２ｄ２）が、導光レンズ（２）の出光部側（２Ｂ）に形成されている。
【００２４】
詳細には、請求項１に記載のカメラ用ＬＥＤ照明装置（１００）では、一のＬＥＤ光源（１−１）の発光中心から照射され、導光レンズ（２）の第１入光面（２ａ１）を透過し、導光レンズ（２）の第３反射面（２ｃ１）によって反射され、導光レンズ（２）の第１出光面（２ｄ１）を透過し、平面（Ｓ１）内を進む光（Ｌ０）が、一のＬＥＤ光源（１−１）の光軸（１−１’）と第２角度（θ２）をなすと共に、一のＬＥＤ光源（１−１）の発光中心から照射され、導光レンズ（２）の第１入光面（２ａ１）を透過し、導光レンズ（２）の第２出光面（２ｄ２）を透過し、平面（Ｓ１）内を進む光（Ｌ３ｂ）が、一のＬＥＤ光源（１−１）の光軸（１−１’）と第２角度（θ２）より小さい第３角度（θ３）をなすように、導光レンズ（２）の第３反射面（２ｃ１）、第１出光面（２ｄ１）および第２出光面（２ｄ２）が設定されている。
【００２５】
つまり、請求項１に記載のカメラ用ＬＥＤ照明装置（１００）では、導光レンズ（２）の第３反射面（２ｃ１）によって反射され、導光レンズ（２）の第１出光面（２ｄ１）を介して導光レンズ（２）から出光し、平面（Ｓ１）内を進む光（Ｌ０）が、導光レンズ（２）の第２出光面（２ｄ２）を介して導光レンズ（２）から出光し、平面（Ｓ１）内を進む光（Ｌ３ｂ）よりも、一のＬＥＤ光源（１−１）の光軸（１−１’）および撮像レンズ鏡胴（Ａ１）の中心軸線（Ａ１’）と大きい角度（θ２）をなして、広角の撮像レンズ（Ａ２）の視野範囲（ＶＲ）の周縁部分（ＶＲ２）に照射される。
【００２６】
すなわち、請求項１に記載のカメラ用ＬＥＤ照明装置（１００）によれば、導光レンズ（２）の第３反射面（２ｃ１）によって反射され、導光レンズ（２）の第１出光面（２ｄ１）を介して導光レンズ（２）から出光し、平面（Ｓ１）内を進む光（Ｌ０）を、広角の撮像レンズ（Ａ２）の視野範囲（ＶＲ）の周縁部分（ＶＲ２）に照射することができる。
【００２７】
更に、請求項１に記載のカメラ用ＬＥＤ照明装置（１００）では、一のＬＥＤ光源（１−１）から照射され、導光レンズ（２）の第２入光面（２ａ２）を透過し、導光レンズ（２）の第１反射面（２ｂ１）によって反射された光の一部を、撮像レンズ鏡胴（Ａ１）の中心軸線（Ａ１’）から離れる側に反射するための第４反射面（２ｃ２）が、導光レンズ（２）の出光部側（２Ｂ）に形成されている。また、一のＬＥＤ光源（１−１）から照射され、導光レンズ（２）の第２入光面（２ａ２）を透過し、導光レンズ（２）の第１反射面（２ｂ１）によって反射され、導光レンズ（２）の第４反射面（２ｃ２）によって反射された光が、導光レンズ（２）から出光するための第３出光面（２ｄ３）が、導光レンズ（２）の出光部側（２Ｂ）に形成されている。更に、一のＬＥＤ光源（１−１）から照射され、導光レンズ（２）の第２入光面（２ａ２）を透過し、導光レンズ（２）の第１反射面（２ｂ１）によって反射された光の他の一部が、導光レンズ（２）から出光するための第４出光面（２ｄ４）が、導光レンズ（２）の出光部側（２Ｂ）に形成されている。
【００２８】
詳細には、請求項１に記載のカメラ用ＬＥＤ照明装置（１００）では、一のＬＥＤ光源（１−１）の発光中心から照射され、導光レンズ（２）の第２入光面（２ａ２）を透過し、導光レンズ（２）の第１反射面（２ｂ１）によって反射され、導光レンズ（２）の第４反射面（２ｃ２）によって反射され、導光レンズ（２）の第３出光面（２ｄ３）を透過し、平面（Ｓ１）内を進む光（Ｌ４ａ）が、一のＬＥＤ光源（１−１）の光軸（１−１’）と第４角度（θ４）をなすと共に、一のＬＥＤ光源（１−１）の発光中心から照射され、導光レンズ（２）の第２入光面（２ａ２）を透過し、導光レンズ（２）の第１反射面（２ｂ１）によって反射され、導光レンズ（２）の第４出光面（２ｄ４）を透過し、平面（Ｓ１）内を進む光（Ｌ５ａ）が、一のＬＥＤ光源（１−１）の光軸（１−１’）と第４角度（θ４）より小さい第５角度（θ５）をなすように、導光レンズ（２）の第４反射面（２ｃ２）、第３出光面（２ｄ３）および第４出光面（２ｄ４）が設定されている。
【００２９】
つまり、請求項１に記載のカメラ用ＬＥＤ照明装置（１００）では、導光レンズ（２）の第４反射面（２ｃ２）によって反射され、導光レンズ（２）の第３出光面（２ｄ３）を介して導光レンズ（２）から出光し、平面（Ｓ１）内を進む光（Ｌ４ａ）が、導光レンズ（２）の第４出光面（２ｄ４）を介して導光レンズ（２）から出光し、平面（Ｓ１）内を進む光（Ｌ５ａ）よりも、一のＬＥＤ光源（１−１）の光軸（１−１’）および撮像レンズ鏡胴（Ａ１）の中心軸線（Ａ１’）と大きい角度（θ４）をなして、広角の撮像レンズ（Ａ２）の視野範囲（ＶＲ）の周縁部分（ＶＲ２）に照射される。
【００３０】
すなわち、請求項１に記載のカメラ用ＬＥＤ照明装置（１００）によれば、導光レンズ（２）の第４反射面（２ｃ２）によって反射され、導光レンズ（２）の第３出光面（２ｄ３）を介して導光レンズ（２）から出光し、平面（Ｓ１）内を進む光（Ｌ４ａ）を、広角の撮像レンズ（Ａ２）の視野範囲（ＶＲ）の周縁部分（ＶＲ２）に照射することができる。
【００３１】
また、請求項１に記載のカメラ用ＬＥＤ照明装置（１００）では、一のＬＥＤ光源（１−１）から照射され、導光レンズ（２）の第３入光面（２ａ３）を透過し、導光レンズ（２）の第２反射面（２ｂ２）によって反射された光の一部を、撮像レンズ鏡胴（Ａ１）の中心軸線（Ａ１’）から離れる側に反射するための第５反射面（２ｃ３）が、導光レンズ（２）の出光部側（２Ｂ）に形成されている。更に、一のＬＥＤ光源（１−１）から照射され、導光レンズ（２）の第３入光面（２ａ３）を透過し、導光レンズ（２）の第２反射面（２ｂ２）によって反射され、導光レンズ（２）の第５反射面（２ｃ３）によって反射された光が、導光レンズ（２）から出光するための第５出光面（２ｄ５）が、導光レンズ（２）の出光部側（２Ｂ）に形成されている。また、一のＬＥＤ光源（１−１）から照射され、導光レンズ（２）の第３入光面（２ａ３）を透過し、導光レンズ（２）の第２反射面（２ｂ２）によって反射された光の他の一部が、導光レンズ（２）から出光するための第６出光面（２ｄ６）が、導光レンズ（２）の出光部側（２Ｂ）に形成されている。
【００３２】
詳細には、請求項１に記載のカメラ用ＬＥＤ照明装置（１００）では、一のＬＥＤ光源（１−１）の発光中心から照射され、導光レンズ（２）の第３入光面（２ａ３）を透過し、導光レンズ（２）の第２反射面（２ｂ２）によって反射され、導光レンズ（２）の第５反射面（２ｃ３）によって反射され、導光レンズ（２）の第５出光面（２ｄ５）を透過し、平面（Ｓ１）内を進む光（Ｌ５ｂ）が、一のＬＥＤ光源（１−１）の光軸（１−１’）と第６角度（θ６）をなすと共に、一のＬＥＤ光源（１−１）の発光中心から照射され、導光レンズ（２）の第３入光面（２ａ３）を透過し、導光レンズ（２）の第２反射面（２ｂ２）によって反射され、導光レンズ（２）の第６出光面（２ｄ６）を透過し、平面（Ｓ１）内を進む光（Ｌ４ｂ）が、一のＬＥＤ光源（１−１）の光軸（１−１’）と第６角度（θ６）より小さい第７角度（θ７）をなすように、導光レンズ（２）の第５反射面（２ｃ３）、第５出光面（２ｄ５）および第６出光面（２ｄ６）が設定されている。
【００３３】
つまり、請求項１に記載のカメラ用ＬＥＤ照明装置（１００）では、導光レンズ（２）の第５反射面（２ｃ３）によって反射され、導光レンズ（２）の第５出光面（２ｄ５）を介して導光レンズ（２）から出光し、平面（Ｓ１）内を進む光（Ｌ５ｂ）が、導光レンズ（２）の第６出光面（２ｄ６）を介して導光レンズ（２）から出光し、平面（Ｓ１）内を進む光（Ｌ４ｂ）よりも、一のＬＥＤ光源（１−１）の光軸（１−１’）および撮像レンズ鏡胴（Ａ１）の中心軸線（Ａ１’）と大きい角度（θ６）をなして、広角の撮像レンズ（Ａ２）の視野範囲（ＶＲ）の周縁部分（ＶＲ２）に照射される。
【００３４】
すなわち、請求項１に記載のカメラ用ＬＥＤ照明装置（１００）によれば、導光レンズ（２）の第５反射面（２ｃ３）によって反射され、導光レンズ（２）の第５出光面（２ｄ５）を介して導光レンズ（２）から出光し、平面（Ｓ１）内を進む光（Ｌ５ｂ）を、広角の撮像レンズ（Ａ２）の視野範囲（ＶＲ）の周縁部分（ＶＲ２）に照射することができる。
【００３５】
更に、請求項１に記載のカメラ用ＬＥＤ照明装置（１００）では、第２角度（θ２）と第４角度（θ４）と第６角度（θ６）とが互いに異なる値になるように、導光レンズ（２）の第３反射面（２ｃ１）、第１出光面（２ｄ１）、第４反射面（２ｃ２）、第３出光面（２ｄ３）、第５反射面（２ｃ３）および第５出光面（２ｄ５）が設定されている。
【００３６】
そのため、請求項１に記載のカメラ用ＬＥＤ照明装置（１００）によれば、導光レンズ（２）の第１出光面（２ｄ１）を介して導光レンズ（２）から出光して平面（Ｓ１）内を進む光（Ｌ０）と、導光レンズ（２）の第３出光面（２ｄ３）を介して導光レンズ（２）から出光して平面（Ｓ１）内を進む光（Ｌ４ａ）と、導光レンズ（２）の第５出光面（２ｄ５）を介して導光レンズ（２）から出光して平面（Ｓ１）内を進む光（Ｌ５ｂ）とを、広角の撮像レンズ（Ａ２）の視野範囲（ＶＲ）の周縁部分（ＶＲ２）のうち、径方向の異なる位置に照射することができる。
【００３７】
また、請求項１に記載のカメラ用ＬＥＤ照明装置（１００）では、第３角度（θ３）と第５角度（θ５）と第７角度（θ７）とが互いに異なる値になるように、導光レンズ（２）の第２出光面（２ｄ２）、第４出光面（２ｄ４）および第６出光面（２ｄ６）が設定されている。
【００３８】
そのため、請求項１に記載のカメラ用ＬＥＤ照明装置（１００）によれば、導光レンズ（２）の第２出光面（２ｄ２）を介して導光レンズ（２）から出光して平面（Ｓ１）内を進む光（Ｌ３ｂ）と、導光レンズ（２）の第４出光面（２ｄ４）を介して導光レンズ（２）から出光して平面（Ｓ１）内を進む光（Ｌ５ａ）と、導光レンズ（２）の第６出光面（２ｄ６）を介して導光レンズ（２）から出光して平面（Ｓ１）内を進む光（Ｌ４ｂ）とを、広角の撮像レンズ（Ａ２）の視野範囲（ＶＲ）の中央部分（ＶＲ１）のうち、径方向の異なる位置に照射することができる。
【００３９】
更に、請求項１に記載のカメラ用ＬＥＤ照明装置（１００）では、複数のＬＥＤ光源（１−１，…）が撮像レンズ鏡胴（Ａ１）の中心軸線（Ａ１’）を中心とする円（Ｃ１）上に配列されると共に、撮像レンズ鏡胴（Ａ１）の中心軸線（Ａ１’）を中心とする回転体形状に導光レンズ（２）が形成されている。
【００４０】
つまり、請求項１に記載のカメラ用ＬＥＤ照明装置（１００）では、複数のＬＥＤ光源（１−１，…）からの光のそれぞれが、広角の撮像レンズ（Ａ２）の視野範囲（ＶＲ）の中央部分（ＶＲ１）および周縁部分（ＶＲ２）のうち、周方向の異なる位置に照射される。
【００４１】
そのため、請求項１に記載のカメラ用ＬＥＤ照明装置（１００）によれば、複数のＬＥＤ光源（１−１，…）からの光を、広角の撮像レンズ（Ａ２）の視野範囲（ＶＲ）の中央部分（ＶＲ１）および周縁部分（ＶＲ２）の全体に照射することができる。すなわち、請求項１に記載のカメラ用ＬＥＤ照明装置（１００）によれば、複数のＬＥＤ光源（１−１，…）からの光を、広角の撮像レンズ（Ａ２）の視野範囲（ＶＲ）の径方向および周方向の全体に照射することができる。
【００４２】
請求項２に記載のカメラ用ＬＥＤ照明装置（１００）では、一のＬＥＤ光源（１−１）から照射され、導光レンズ（２）の第３入光面（２ａ３）を透過し、導光レンズ（２）の第２反射面（２ｂ２）によって反射された光の一部を、撮像レンズ鏡胴（Ａ１）の中心軸線（Ａ１’）から離れる側に反射するための第６反射面（２ｃ４）が、導光レンズ（２）の出光部側（２Ｂ）の第３反射面（２ｃ１）と第５反射面（２ｃ３）との間に形成されている。また、一のＬＥＤ光源（１−１）から照射され、導光レンズ（２）の第３入光面（２ａ３）を透過し、導光レンズ（２）の第２反射面（２ｂ２）によって反射され、導光レンズ（２）の第６反射面（２ｃ４）によって反射された光が、導光レンズ（２）から出光するための第７出光面（２ｄ７）が、導光レンズ（２）の出光部側（２Ｂ）に形成されている。
【００４３】
詳細には、請求項２に記載のカメラ用ＬＥＤ照明装置（１００）では、一のＬＥＤ光源（１−１）の発光中心から照射され、導光レンズ（２）の第３入光面（２ａ３）を透過し、導光レンズ（２）の第２反射面（２ｂ２）によって反射され、導光レンズ（２）の第６反射面（２ｃ４）によって反射され、導光レンズ（２）の第７出光面（２ｄ７）を透過し、平面（Ｓ１）内を進む光（Ｌ８ｂ）が、導光レンズ（２）の第６出光面（２ｄ６）を介して導光レンズ（２）に入光し、導光レンズ（２）の第５出光面（２ｄ５）を透過して導光レンズ（２）から出光し、一のＬＥＤ光源（１−１）の光軸（１−１’）と９０°より大きい第８角度（θ８）をなし、撮像レンズ鏡胴（Ａ１）の中心軸線（Ａ１’）から離れる側であって、導光レンズ（２）の入光部側（２Ａ）に照射される。
【００４４】
そのため、請求項２に記載のカメラ用ＬＥＤ照明装置（１００）によれば、視野角が１８０°の広角の撮像レンズ（Ａ２）を有するカメラに適用される場合に、導光レンズ（２）の第５出光面（２ｄ５）を透過して導光レンズ（２）から出光する光（Ｌ５ｂ，Ｌ８ｂ）によって、撮像レンズ（Ａ２）の視野範囲（ＶＲ）の径方向の最も外側の部分（つまり、撮像レンズ（Ａ２）の視野範囲（ＶＲ）の周縁部分（ＶＲ２）の外縁部（ＶＲ２ａ））を十分に明るく照らすことができる。
【００４５】
更に詳細には、請求項２に記載のカメラ用ＬＥＤ照明装置（１００）では、一のＬＥＤ光源（１−１）から照射され、導光レンズ（２）の第３入光面（２ａ３）を透過し、導光レンズ（２）の第２反射面（２ｂ２）によって反射され、導光レンズ（２）の第５出光面（２ｄ５）を透過して導光レンズ（２）から出光した光の一部が、撮像レンズ（Ａ２）の視野範囲（ＶＲ）の径方向の最も外側の部分（つまり、撮像レンズ（Ａ２）の視野範囲（ＶＲ）の周縁部分（ＶＲ２）の外縁部（ＶＲ２ａ））のうち、平面（Ｓ１）と、一のＬＥＤ光源（１−１）の隣のＬＥＤ光源（１−２）の光軸（１−２’）と撮像レンズ鏡胴（Ａ１）の中心軸線（Ａ１’）とを含む平面（Ｓ１’）との間の中間領域（ＭＡ）に照射されると共に、隣のＬＥＤ光源（１−２）から照射され、導光レンズ（２）の第３入光面（２ａ３）を透過し、導光レンズ（２）の第２反射面（２ｂ２）によって反射され、導光レンズ（２）の第５出光面（２ｄ５）を透過して導光レンズ（２）から出光した光の一部が、その中間領域（ＭＡ）に照射される。
【００４６】
そのため、請求項２に記載のカメラ用ＬＥＤ照明装置（１００）によれば、撮像レンズ（Ａ２）の視野範囲（ＶＲ）のうち、一のＬＥＤ光源（１−１）と隣のＬＥＤ光源（１−２）との間の径方向の最も外側の部分（つまり、平面（Ｓ１）と平面（Ｓ１’）との間の中間領域（ＭＡ））が、平面（Ｓ１）上の撮像レンズ（Ａ２）の視野範囲（ＶＲ）の周縁部分（ＶＲ２）の外縁部（ＶＲ２ａ）、あるいは、平面（Ｓ１’）上の撮像レンズ（Ａ２）の視野範囲（ＶＲ）の周縁部分（ＶＲ２）の外縁部（ＶＲ２ａ）よりも暗くなってしまうのを回避することができる。
【００４７】
換言すれば、請求項２に記載のカメラ用ＬＥＤ照明装置（１００）によれば、視野角が１８０°の広角の撮像レンズを有するカメラに適用される場合に、複数のＬＥＤ光源（１−１，…）から照射され、導光レンズ（２）の第５出光面（２ｄ５）を透過して導光レンズ（２）から出光する光によって、撮像レンズ（Ａ２）の視野範囲（ＶＲ）の径方向の最も外側の部分（つまり、撮像レンズ（Ａ２）の視野範囲（ＶＲ）の周縁部分（ＶＲ２）の外縁部（ＶＲ２ａ））を周方向に均一の明るさで照らすことができる。
【００４８】
請求項３に記載のカメラ用ＬＥＤ照明装置（１００）では、撮像レンズ鏡胴（Ａ１）の径方向外側に配置するための複数のＬＥＤ光源（１−１，…）が設けられている。詳細には、撮像レンズ鏡胴（Ａ１）の中心軸線（Ａ１’）に垂直な平面（Ｓ０）上に位置する正Ｎ角形（Ｐ１）（Ｎは３以上の整数）であって、撮像レンズ鏡胴（Ａ１）の中心軸線（Ａ１’）を中心とする正Ｎ角形（Ｐ１）のＮ本の辺（ＳＤ１，…，ＳＤＮ）上に、複数のＬＥＤ光源（１−１，…）が配列されている。また、複数のＬＥＤ光源（１−１，…）の光軸（１−１’，…）が撮像レンズ鏡胴（Ａ１）の中心軸線（Ａ１’）に平行に配置されている。
【００４９】
そのため、請求項３に記載のカメラ用ＬＥＤ照明装置（１００）によれば、複数のＬＥＤ光源（１−１，…）の光軸（１−１’，…）のそれぞれが撮像レンズ鏡胴（Ａ１）の中心軸線（Ａ１’）に対して異なる角度で傾斜せしめられている場合よりも、複数のＬＥＤ光源（１−１，…）を配置する工程の煩雑性を低減することができる。
【００５０】
更に、請求項３に記載のカメラ用ＬＥＤ照明装置（１００）では、複数のＬＥＤ光源（１−１，…）からの光を導光して撮像レンズの視野範囲に照射するための導光レンズ（２）が設けられている。また、正Ｎ角形（Ｐ１）のＮ本の辺（ＳＤ１，…，ＳＤＮ）のそれぞれに平行なＮ個の直線状のレンズ部（２−１，…，２−Ｎ）が導光レンズ（２）に形成されている。また、複数のＬＥＤ光源（１−１，…）のうちの一のＬＥＤ光源（１−１）が、正Ｎ角形（Ｐ１）の第１辺（ＳＤ１）上に配置されている。
【００５１】
詳細には、請求項３に記載のカメラ用ＬＥＤ照明装置（１００）では、一のＬＥＤ光源（１−１）の光軸（１−１’）と第１角度（θ１）以下の角度をなして一のＬＥＤ光源（１−１）から照射され、一のＬＥＤ光源（１−１）の光軸（１−１’）を含む平面（Ｓ２）であって、正Ｎ角形（Ｐ１）の第１辺（ＳＤ１）に垂直な平面（Ｓ２）内を進む光が、導光レンズ（２）の第１レンズ部（２−１）に入光するための第１入光面（２ａ１）が、導光レンズ（２）の第１レンズ部（２−１）の入光部側（２Ａ）に形成されている。更に、一のＬＥＤ光源（１−１）の発光中心から照射され、導光レンズ（２）の第１レンズ部（２−１）の第１入光面（２ａ１）を透過し、平面（Ｓ２）内を進む光が、一のＬＥＤ光源（１−１）の光軸（１−１’）に平行な光になるように、導光レンズ（２）の第１レンズ部（２−１）の第１入光面（２ａ１）が設定されている。
【００５２】
また、請求項３に記載のカメラ用ＬＥＤ照明装置（１００）では、一のＬＥＤ光源（１−１）の光軸（１−１’）と第１角度（θ１）より大きい角度をなして一のＬＥＤ光源（１−１）から照射され、平面（Ｓ２）内を撮像レンズ鏡胴（Ａ１）の中心軸線（Ａ１’）に近づく側に進む光が、導光レンズ（２）の第１レンズ部（２−１）に入光するための第２入光面（２ａ２）が、導光レンズ（２）の第１レンズ部（２−１）の入光部側（２Ａ）に形成されている。更に、導光レンズ（２）の第１レンズ部（２−１）の第２入光面（２ａ２）を透過した光を反射するための第１反射面（２ｂ１）が、導光レンズ（２）の第１レンズ部（２−１）の入光部側（２Ａ）に形成されている。また、一のＬＥＤ光源（１−１）の発光中心から照射され、導光レンズ（２）の第１レンズ部（２−１）の第２入光面（２ａ２）を透過し、導光レンズ（２）の第１レンズ部（２−１）の第１反射面（２ｂ１）によって反射され、平面（Ｓ２）内を進む光が、一のＬＥＤ光源（１−１）の光軸（１−１’）に平行な光になるように、導光レンズ（２）の第１レンズ部（２−１）の第２入光面（２ａ２）および第１反射面（２ｂ１）が設定されている。
【００５３】
更に、請求項３に記載のカメラ用ＬＥＤ照明装置（１００）では、一のＬＥＤ光源（１−１）の光軸（１−１’）と第１角度（θ１）より大きい角度をなして一のＬＥＤ光源（１−１）から照射され、平面（Ｓ２）内を撮像レンズ鏡胴（Ａ１）の中心軸線（Ａ１’）から離れる側に進む光が、導光レンズ（２）の第１レンズ部（２−１）に入光するための第３入光面（２ａ３）が、導光レンズ（２）の第１レンズ部（２−１）の入光部側（２Ａ）に形成されている。また、導光レンズ（２）の第１レンズ部（２−１）の第３入光面（２ａ３）を透過した光を反射するための第２反射面（２ｂ２）が、導光レンズ（２）の第１レンズ部（２−１）の入光部側（２Ａ）に形成されている。更に、一のＬＥＤ光源（１−１）の発光中心から照射され、導光レンズ（２）の第１レンズ部（２−１）の第３入光面（２ａ３）を透過し、導光レンズ（２）の第１レンズ部（２−１）の第２反射面（２ｂ２）によって反射され、平面（Ｓ２）内を進む光が、一のＬＥＤ光源（１−１）の光軸（１−１’）に平行な光になるように、導光レンズ（２）の第１レンズ部（２−１）の第３入光面（２ａ３）および第２反射面（２ｂ２）が設定されている。
【００５４】
また、請求項３に記載のカメラ用ＬＥＤ照明装置（１００）では、一のＬＥＤ光源（１−１）から照射され、導光レンズ（２）の第１レンズ部（２−１）の第１入光面（２ａ１）を透過した光の一部を、撮像レンズ鏡胴（Ａ１）の中心軸線（Ａ１’）から離れる側に反射するための第３反射面（２ｃ１）が、導光レンズ（２）の第１レンズ部（２−１）の入光部側（２Ａ）とは反対側の導光レンズ（２）の第１レンズ部（２−１）の出光部側（２Ｂ）に形成されている。更に、一のＬＥＤ光源（１−１）から照射され、導光レンズ（２）の第１レンズ部（２−１）の第１入光面（２ａ１）を透過し、導光レンズ（２）の第１レンズ部（２−１）の第３反射面（２ｃ１）によって反射された光が、導光レンズ（２）から出光するための第１出光面（２ｄ１）が、導光レンズ（２）の第１レンズ部（２−１）の出光部側（２Ｂ）に形成されている。また、一のＬＥＤ光源（１−１）から照射され、導光レンズ（２）の第１レンズ部（２−１）の第１入光面（２ａ１）を透過した光の他の一部が、導光レンズ（２）の第１レンズ部（２−１）から出光するための第２出光面（２ｄ２）が、導光レンズ（２）の第１レンズ部（２−１）の出光部側（２Ｂ）に形成されている。
【００５５】
詳細には、請求項３に記載のカメラ用ＬＥＤ照明装置（１００）では、一のＬＥＤ光源（１−１）の発光中心から照射され、導光レンズ（２）の第１レンズ部（２−１）の第１入光面（２ａ１）を透過し、導光レンズ（２）の第１レンズ部（２−１）の第３反射面（２ｃ１）によって反射され、導光レンズ（２）の第１レンズ部（２−１）の第１出光面（２ｄ１）を透過し、平面（Ｓ２）内を進む光（Ｌ０）が、一のＬＥＤ光源（１−１）の光軸（１−１’）と第２角度（θ２）をなすと共に、一のＬＥＤ光源（１−１）の発光中心から照射され、導光レンズ（２）の第１レンズ部（２−１）の第１入光面（２ａ１）を透過し、導光レンズ（２）の第１レンズ部（２−１）の第２出光面（２ｄ２）を透過し、平面（Ｓ２）内を進む光（Ｌ３ｂ）が、一のＬＥＤ光源（１−１）の光軸（１−１’）と第２角度（θ２）より小さい第３角度（θ３）をなすように、導光レンズ（２）の第１レンズ部（２−１）の第３反射面（２ｃ１）、第１出光面（２ｄ１）および第２出光面（２ｄ２）が設定されている。
【００５６】
つまり、請求項３に記載のカメラ用ＬＥＤ照明装置（１００）では、導光レンズ（２）の第１レンズ部（２−１）の第３反射面（２ｃ１）によって反射され、導光レンズ（２）の第１レンズ部（２−１）の第１出光面（２ｄ１）を介して導光レンズ（２）の第１レンズ部（２−１）から出光し、平面（Ｓ２）内を進む光（Ｌ０）が、導光レンズ（２）の第１レンズ部（２−１）の第２出光面（２ｄ２）を介して導光レンズ（２）の第１レンズ部（２−１）から出光し、平面（Ｓ２）内を進む光（Ｌ３ｂ）よりも、一のＬＥＤ光源（１−１）の光軸（１−１’）と大きい角度（θ２）をなして、広角の撮像レンズ（Ａ２）の視野範囲（ＶＲ）の周縁部分（ＶＲ２）に照射される。
【００５７】
すなわち、請求項３に記載のカメラ用ＬＥＤ照明装置（１００）によれば、導光レンズ（２）の第１レンズ部（２−１）の第３反射面（２ｃ１）によって反射され、導光レンズ（２）の第１レンズ部（２−１）の第１出光面（２ｄ１）を介して導光レンズ（２）の第１レンズ部（２−１）から出光し、平面（Ｓ２）内を進む光（Ｌ０）を、広角の撮像レンズ（Ａ２）の視野範囲（ＶＲ）の周縁部分（ＶＲ２）に照射することができる。
【００５８】
更に、請求項３に記載のカメラ用ＬＥＤ照明装置（１００）では、一のＬＥＤ光源（１−１）から照射され、導光レンズ（２）の第１レンズ部（２−１）の第２入光面（２ａ２）を透過し、導光レンズ（２）の第１レンズ部（２−１）の第１反射面（２ｂ１）によって反射された光の一部を、撮像レンズ鏡胴（Ａ１）の中心軸線（Ａ１’）から離れる側に反射するための第４反射面（２ｃ２）が、導光レンズ（２）の第１レンズ部（２−１）の出光部側（２Ｂ）に形成されている。また、一のＬＥＤ光源（１−１）から照射され、導光レンズ（２）の第１レンズ部（２−１）の第２入光面（２ａ２）を透過し、導光レンズ（２）の第１レンズ部（２−１）の第１反射面（２ｂ１）によって反射され、導光レンズ（２）の第１レンズ部（２−１）の第４反射面（２ｃ２）によって反射された光が、導光レンズ（２）の第１レンズ部（２−１）から出光するための第３出光面（２ｄ３）が、導光レンズ（２）の第１レンズ部（２−１）の出光部側（２Ｂ）に形成されている。更に、一のＬＥＤ光源（１−１）から照射され、導光レンズ（２）の第１レンズ部（２−１）の第２入光面（２ａ２）を透過し、導光レンズ（２）の第１レンズ部（２−１）の第１反射面（２ｂ１）によって反射された光の他の一部が、導光レンズ（２）の第１レンズ部（２−１）から出光するための第４出光面（２ｄ４）が、導光レンズ（２）の第１レンズ部（２−１）の出光部側（２Ｂ）に形成されている。
【００５９】
詳細には、請求項３に記載のカメラ用ＬＥＤ照明装置（１００）では、一のＬＥＤ光源（１−１）の発光中心から照射され、導光レンズ（２）の第１レンズ部（２−１）の第２入光面（２ａ２）を透過し、導光レンズ（２）の第１レンズ部（２−１）の第１反射面（２ｂ１）によって反射され、導光レンズ（２）の第１レンズ部（２−１）の第４反射面（２ｃ２）によって反射され、導光レンズ（２）の第１レンズ部（２−１）の第３出光面（２ｄ３）を透過し、平面（Ｓ２）内を進む光（Ｌ４ａ）が、一のＬＥＤ光源（１−１）の光軸（１−１’）と第４角度（θ４）をなすと共に、一のＬＥＤ光源（１−１）の発光中心から照射され、導光レンズ（２）の第１レンズ部（２−１）の第２入光面（２ａ２）を透過し、導光レンズ（２）の第１レンズ部（２−１）の第１反射面（２ｂ１）によって反射され、導光レンズ（２）の第１レンズ部（２−１）の第４出光面（２ｄ４）を透過し、平面（Ｓ２）内を進む光（Ｌ５ａ）が、一のＬＥＤ光源（１−１）の光軸（１−１’）と第４角度（θ４）より小さい第５角度（θ５）をなすように、導光レンズ（２）の第１レンズ部（２−１）の第４反射面（２ｃ２）、第３出光面（２ｄ３）および第４出光面（２ｄ４）が設定されている。
【００６０】
つまり、請求項３に記載のカメラ用ＬＥＤ照明装置（１００）では、導光レンズ（２）の第１レンズ部（２−１）の第４反射面（２ｃ２）によって反射され、導光レンズ（２）の第１レンズ部（２−１）の第３出光面（２ｄ３）を介して導光レンズ（２）の第１レンズ部（２−１）から出光し、平面（Ｓ２）内を進む光（Ｌ４ａ）が、導光レンズ（２）の第１レンズ部（２−１）の第４出光面（２ｄ４）を介して導光レンズ（２）の第１レンズ部（２−１）から出光し、平面（Ｓ２）内を進む光（Ｌ５ａ）よりも、一のＬＥＤ光源（１−１）の光軸（１−１’）と大きい角度（θ４）をなして、広角の撮像レンズ（Ａ２）の視野範囲（ＶＲ）の周縁部分（ＶＲ）に照射される。
【００６１】
すなわち、請求項３に記載のカメラ用ＬＥＤ照明装置（１００）によれば、導光レンズ（２）の第１レンズ部（２−１）の第４反射面（２ｃ２）によって反射され、導光レンズ（２）の第１レンズ部（２−１）の第３出光面（２ｄ３）を介して導光レンズ（２）の第１レンズ部（２−１）から出光し、平面（Ｓ２）内を進む光（Ｌ４ａ）を、広角の撮像レンズ（Ａ２）の視野範囲（ＶＲ）の周縁部分（ＶＲ２）に照射することができる。
【００６２】
また、請求項３に記載のカメラ用ＬＥＤ照明装置（１００）では、一のＬＥＤ光源（１−１）から照射され、導光レンズ（２）の第１レンズ部（２−１）の第３入光面（２ａ３）を透過し、導光レンズ（２）の第１レンズ部（２−１）の第２反射面（２ｂ２）によって反射された光の一部を、撮像レンズ鏡胴（Ａ１）の中心軸線（Ａ１’）から離れる側に反射するための第５反射面（２ｃ３）が、導光レンズ（２）の第１レンズ部（２−１）の出光部側（２Ｂ）に形成されている。更に、一のＬＥＤ光源（１−１）から照射され、導光レンズ（２）の第１レンズ部（２−１）の第３入光面（２ａ３）を透過し、導光レンズ（２）の第１レンズ部（２−１）の第２反射面（２ｂ２）によって反射され、導光レンズ（２）の第１レンズ部（２−１）の第５反射面（２ｃ３）によって反射された光が、導光レンズ（２）から出光するための第５出光面（２ｄ５）が、導光レンズ（２）の第１レンズ部（２−１）の出光部側（２Ｂ）に形成されている。また、一のＬＥＤ光源（１−１）から照射され、導光レンズ（２）の第１レンズ部（２−１）の第３入光面（２ａ３）を透過し、導光レンズ（２）の第１レンズ部（２−１）の第２反射面（２ｂ２）によって反射された光の他の一部が、導光レンズ（２）の第１レンズ部（２−１）から出光するための第６出光面（２ｄ６）が、導光レンズ（２）の第１レンズ部（２−１）の出光部側（２Ｂ）に形成されている。
【００６３】
詳細には、請求項３に記載のカメラ用ＬＥＤ照明装置（１００）では、一のＬＥＤ光源（１−１）の発光中心から照射され、導光レンズ（２）の第１レンズ部（２−１）の第３入光面（２ａ３）を透過し、導光レンズ（２）の第１レンズ部（２−１）の第２反射面（２ｂ２）によって反射され、導光レンズ（２）の第１レンズ部（２−１）の第５反射面（２ｃ３）によって反射され、導光レンズ（２）の第１レンズ部（２−１）の第５出光面（２ｄ５）を透過し、平面（Ｓ２）内を進む光（Ｌ５ｂ）が、一のＬＥＤ光源（１−１）の光軸（１−１’）と第６角度（θ６）をなすと共に、一のＬＥＤ光源（１−１）の発光中心から照射され、導光レンズ（２）の第１レンズ部（２−１）の第３入光面（２ａ３）を透過し、導光レンズ（２）の第１レンズ部（２−１）の第２反射面（２ｂ２）によって反射され、導光レンズ（２）の第１レンズ部（２−１）の第６出光面（２ｄ６）を透過し、平面（Ｓ２）内を進む光（Ｌ４ｂ）が、一のＬＥＤ光源（１−１）の光軸（１−１’）と第６角度（θ６）より小さい第７角度（θ７）をなすように、導光レンズ（２）の第１レンズ部（２−１）の第５反射面（２ｃ３）、第５出光面（２ｄ５）および第６出光面（２ｄ６）が設定されている。
【００６４】
つまり、請求項３に記載のカメラ用ＬＥＤ照明装置（１００）では、導光レンズ（２）の第１レンズ部（２−１）の第５反射面（２ｃ３）によって反射され、導光レンズ（２）の第１レンズ部（２−１）の第５出光面（２ｄ５）を介して導光レンズ（２）の第１レンズ部（２−１）から出光し、平面（Ｓ２）内を進む光（Ｌ５ｂ）が、導光レンズ（２）の第１レンズ部（２−１）の第６出光面（２ｄ６）を介して導光レンズ（２）の第１レンズ部（２−１）から出光し、平面（Ｓ２）内を進む光（Ｌ４ｂ）よりも、一のＬＥＤ光源（１−１）の光軸（１−１’）と大きい角度（θ６）をなして、広角の撮像レンズ（Ａ２）の視野範囲（ＶＲ）の周縁部分（ＶＲ２）に照射される。
【００６５】
すなわち、請求項３に記載のカメラ用ＬＥＤ照明装置（１００）によれば、導光レンズ（２）の第１レンズ部（２−１）の第５反射面（２ｃ３）によって反射され、導光レンズ（２）の第１レンズ部（２−１）の第５出光面（２ｄ５）を介して導光レンズ（２）の第１レンズ部（２−１）から出光し、平面（Ｓ２）内を進む光（Ｌ５ｂ）を、広角の撮像レンズ（Ａ２）の視野範囲（ＶＲ）の周縁部分（ＶＲ２）に照射することができる。
【００６６】
更に、請求項３に記載のカメラ用ＬＥＤ照明装置（１００）では、第２角度（θ２）と第４角度（θ４）と第６角度（θ６）とが互いに異なる値になるように、導光レンズ（２）の第１レンズ部（２−１）の第３反射面（２ｃ１）、第１出光面（２ｄ１）、第４反射面（２ｃ２）、第３出光面（２ｄ３）、第５反射面（２ｃ３）および第５出光面（２ｄ５）が設定されている。
【００６７】
そのため、請求項３に記載のカメラ用ＬＥＤ照明装置（１００）によれば、導光レンズ（２）の第１レンズ部（２−１）の第１出光面（２ｄ１）を介して導光レンズ（２）の第１レンズ部（２−１）から出光して平面（Ｓ２）内を進む光（Ｌ０）と、導光レンズ（２）の第１レンズ部（２−１）の第３出光面（２ｄ３）を介して導光レンズ（２）の第１レンズ部（２−１）から出光して平面（Ｓ２）内を進む光（Ｌ４ａ）と、導光レンズ（２）の第１レンズ部（２−１）の第５出光面（２ｄ５）を介して導光レンズ（２）の第１レンズ部（２−１）から出光して平面（Ｓ２）内を進む光（Ｌ５ｂ）とを、広角の撮像レンズの（Ａ２）視野範囲（ＶＲ）の周縁部分（ＶＲ２）のうち、径方向の異なる位置に照射することができる。
【００６８】
また、請求項３に記載のカメラ用ＬＥＤ照明装置（１００）では、第３角度（θ３）と第５角度（θ５）と第７角度（θ７）とが互いに異なる値になるように、導光レンズ（２）の第１レンズ部（２−１）の第２出光面（２ｄ２）、第４出光面（２ｄ４）および第６出光面（２ｄ６）が設定されている。
【００６９】
そのため、請求項３に記載のカメラ用ＬＥＤ照明装置（１００）によれば、導光レンズ（２）の第１レンズ部（２−１）の第２出光面（２ｄ２）を介して導光レンズ（２）の第１レンズ部（２−１）から出光して平面（Ｓ２）内を進む光（Ｌ３ｂ）と、導光レンズ（２）の第１レンズ部（２−１）の第４出光面（２ｄ４）を介して導光レンズ（２）の第１レンズ部（２−１）から出光して平面（Ｓ２）内を進む光（Ｌ５ａ）と、導光レンズ（２）の第１レンズ部（２−１）の第６出光面（２ｄ６）を介して導光レンズ（２）の第１レンズ部（２−１）から出光して平面（Ｓ２）内を進む光（Ｌ４ｂ）とを、広角の撮像レンズ（Ａ２）の視野範囲（ＶＲ）の中央部分（ＶＲ１）のうち、径方向の異なる位置に照射することができる。
【００７０】
更に、請求項３に記載のカメラ用ＬＥＤ照明装置（１００）では、平面（Ｓ２）内の導光レンズ（２）の第１レンズ部（２−１）の断面形状を第１辺（ＳＤ１）に沿ってスイープすることにより得られる柱状に、導光レンズ（２）の第１レンズ部（２−１）が形成されている。また、導光レンズ（２）の他のレンズ部（２−２，…，２−Ｎ）が導光レンズ（２）の第１レンズ部（２−１）と同一形状に形成されている。更に、撮像レンズ鏡胴（Ａ１）の中心軸線（Ａ１’）を中心に導光レンズ（２）の第１レンズ部（２−１）を（Ｎ−１）回（３６０／Ｎ）°ずつ回転させた位置に、導光レンズ（２）の他のレンズ部（２−２，…，２−Ｎ）のそれぞれを配置することにより、Ｎ個の直線状のレンズ部（２−１，…，２−Ｎ）を有する導光レンズ（２）が、撮像レンズ鏡胴（Ａ１）の中心軸線（Ａ１’）を中心とするＮ回回転対称形状に形成されている。
【００７１】
また、請求項３に記載のカメラ用ＬＥＤ照明装置（１００）では、複数のＬＥＤ光源（１−１，…）が、撮像レンズ鏡胴（Ａ１）の中心軸線（Ａ１’）を中心とする正Ｎ角形（Ｐ１）のＮ本の辺（ＳＤ１，…，ＳＤＮ）上に配列されると共に、導光レンズ（２）のＮ個の直線状のレンズ部（２−１，…，２−Ｎ）が、正Ｎ角形（Ｐ１）のＮ本の辺（ＳＤ１，…，ＳＤＮ）のそれぞれに平行に配置されている。
【００７２】
つまり、請求項３に記載のカメラ用ＬＥＤ照明装置（１００）では、複数のＬＥＤ光源（１−１，…）からの光のそれぞれが、広角の撮像レンズ（Ａ２）の視野範囲（ＶＲ）の中央部分（ＶＲ１）および周縁部分（ＶＲ２）のうち、周方向の異なる位置に照射される。
【００７３】
そのため、請求項３に記載のカメラ用ＬＥＤ照明装置（１００）によれば、複数のＬＥＤ光源（１−１，…）からの光を、広角の撮像レンズ（Ａ２）の視野範囲（ＶＲ）の中央部分（ＶＲ１）および周縁部分（ＶＲ２）の全体に照射することができる。すなわち、請求項３に記載のカメラ用ＬＥＤ照明装置（１００）によれば、複数のＬＥＤ光源（１−１，…）からの光を、広角の撮像レンズ（Ａ２）の視野範囲（ＶＲ）の径方向および周方向の全体に照射することができる。
【００７４】
請求項４に記載のカメラ用ＬＥＤ照明装置（１００）では、撮像レンズ鏡胴（Ａ１）の径方向外側に配置するための複数のＬＥＤ光源（１−１，…）が設けられている。詳細には、撮像レンズ鏡胴（Ａ１）の中心軸線（Ａ１’）に垂直な平面（Ｓ０）上に位置する正Ｎ角形（Ｐ１）（Ｎは３以上の整数）であって、撮像レンズ鏡胴（Ａ１）の中心軸線（Ａ１’）を中心とする正Ｎ角形（Ｐ１）のＮ本の辺（ＳＤ１，…，ＳＤＮ）上に、複数のＬＥＤ光源（１−１，…）が配列されている。また、複数のＬＥＤ光源（１−１，…）の光軸（１−１’，…）が撮像レンズ鏡胴（Ａ１）の中心軸線（Ａ１’）に平行に配置されている。
【００７５】
そのため、請求項４に記載のカメラ用ＬＥＤ照明装置（１００）によれば、複数のＬＥＤ光源（１−１，…）の光軸（１−１’，…）のそれぞれが撮像レンズ鏡胴（Ａ１）の中心軸線（Ａ１’）に対して異なる角度で傾斜せしめられている場合よりも、複数のＬＥＤ光源（１−１，…）を配置する工程の煩雑性を低減することができる。
【００７６】
更に、請求項４に記載のカメラ用ＬＥＤ照明装置（１００）では、複数のＬＥＤ光源（１−１，…）からの光を導光して撮像レンズの視野範囲に照射するためのＮ個の直線状の導光レンズ（２．１，…，２．Ｎ）が設けられている。また、Ｎ個の直線状の導光レンズ（２．１，…，２．Ｎ）が、正Ｎ角形（Ｐ１）のＮ本の辺（ＳＤ１，…，ＳＤＮ）のそれぞれに対して平行に配列されている。更に、複数のＬＥＤ光源（１−１，…）のうちの一のＬＥＤ光源（１−１）が、正Ｎ角形（Ｐ１）の第１辺（ＳＤ１）上に配置されている。
【００７７】
詳細には、請求項４に記載のカメラ用ＬＥＤ照明装置（１００）では、一のＬＥＤ光源（１−１）の光軸（１−１’）と第１角度（θ１）以下の角度をなして一のＬＥＤ光源（１−１）から照射され、一のＬＥＤ光源（１−１）の光軸（１−１’）を含む平面（Ｓ２）であって、正Ｎ角形（Ｐ１）の第１辺（ＳＤ１）に垂直な平面（Ｓ２）内を進む光が、第１導光レンズ（２．１）に入光するための第１入光面（２ａ１）が、第１導光レンズ（２．１）の入光部側（２Ａ）に形成されている。更に、一のＬＥＤ光源（１−１）の発光中心から照射され、第１導光レンズ（２．１）の第１入光面（２ａ１）を透過し、平面（Ｓ２）内を進む光が、一のＬＥＤ光源（１−１）の光軸（１−１’）に平行な光になるように、第１導光レンズ（２．１）の第１入光面（２ａ１）が設定されている。
【００７８】
また、請求項４に記載のカメラ用ＬＥＤ照明装置（１００）では、一のＬＥＤ光源（１−１）の光軸（１−１’）と第１角度（θ１）より大きい角度をなして一のＬＥＤ光源（１−１）から照射され、平面（Ｓ２）内を撮像レンズ鏡胴（Ａ１）の中心軸線（Ａ１’）に近づく側に進む光が、第１導光レンズ（２．１）に入光するための第２入光面（２ａ２）が、第１導光レンズ（２．１）の入光部側（２Ａ）に形成されている。更に、第１導光レンズ（２．１）の第２入光面（２ａ２）を透過した光を反射するための第１反射面（２ｂ１）が、第１導光レンズ（２．１）の入光部側（２Ａ）に形成されている。また、一のＬＥＤ光源（１−１）の発光中心から照射され、第１導光レンズ（２．１）の第２入光面（２ａ２）を透過し、第１導光レンズ（２．１）の第１反射面（２ｂ１）によって反射され、平面（Ｓ２）内を進む光が、一のＬＥＤ光源（１−１）の光軸（１−１’）に平行な光になるように、第１導光レンズ（２．１）の第２入光面（２ａ２）および第１反射面（２ｂ１）が設定されている。
【００７９】
更に、請求項４に記載のカメラ用ＬＥＤ照明装置（１００）では、一のＬＥＤ光源（１−１）の光軸（１−１’）と第１角度（θ１）より大きい角度をなして一のＬＥＤ光源（１−１）から照射され、平面（Ｓ２）内を撮像レンズ鏡胴（Ａ１）の中心軸線（Ａ１’）から離れる側に進む光が、第１導光レンズ（２．１）に入光するための第３入光面（２ａ３）が、第１導光レンズ（２．１）の入光部側（２Ａ）に形成されている。また、第１導光レンズ（２．１）の第３入光面（２ａ３）を透過した光を反射するための第２反射面（２ｂ２）が、第１導光レンズ（２．１）の入光部側（２Ａ）に形成されている。更に、一のＬＥＤ光源（１−１）の発光中心から照射され、第１導光レンズ（２．１）の第３入光面（２ａ３）を透過し、第１導光レンズ（２．１）の第２反射面（２ｂ２）によって反射され、平面（Ｓ２）内を進む光が、一のＬＥＤ光源（１−１）の光軸（１−１’）に平行な光になるように、第１導光レンズ（２．１）の第３入光面（２ａ３）および第２反射面（２ｂ２）が設定されている。
【００８０】
また、請求項４に記載のカメラ用ＬＥＤ照明装置（１００）では、一のＬＥＤ光源（１−１）から照射され、第１導光レンズ（２．１）の第１入光面（２ａ１）を透過した光の一部を、撮像レンズ鏡胴（Ａ１）の中心軸線（Ａ１’）から離れる側に反射するための第３反射面（２ｃ１）が、第１導光レンズ（２．１）の入光部側（２Ａ）とは反対側の第１導光レンズ（２．１）の出光部側（２Ｂ）に形成されている。更に、一のＬＥＤ光源（１−１）から照射され、第１導光レンズ（２．１）の第１入光面（２ａ１）を透過し、第１導光レンズ（２．１）の第３反射面（２ｃ１）によって反射された光が、第１導光レンズ（２．１）から出光するための第１出光面（２ｄ１）が、第１導光レンズ（２．１）の出光部側（２Ｂ）に形成されている。また、一のＬＥＤ光源（１−１）から照射され、第１導光レンズ（２．１）の第１入光面（２ａ１）を透過した光の他の一部が、第１導光レンズ（２．１）から出光するための第２出光面（２ｄ２）が、第１導光レンズ（２．１）の出光部側（２Ｂ）に形成されている。
【００８１】
詳細には、請求項４に記載のカメラ用ＬＥＤ照明装置（１００）では、一のＬＥＤ光源（１−１）の発光中心から照射され、第１導光レンズ（２．１）の第１入光面（２ａ１）を透過し、第１導光レンズ（２．１）の第３反射面（２ｃ１）によって反射され、第１導光レンズ（２．１）の第１出光面（２ｄ１）を透過し、平面（Ｓ２）内を進む光（Ｌ０）が、一のＬＥＤ光源（１−１）の光軸（１−１’）と第２角度（θ２）をなすと共に、一のＬＥＤ光源（１−１）の発光中心から照射され、第１導光レンズ（２．１）の第１入光面（２ａ１）を透過し、第１導光レンズ（２．１）の第２出光面（２ｄ２）を透過し、平面（Ｓ２）内を進む光（Ｌ３ｂ）が、一のＬＥＤ光源（１−１）の光軸（１−１’）と第２角度（θ２）より小さい第３角度（θ３）をなすように、第１導光レンズ（２．１）の第３反射面（２ｃ１）、第１出光面（２ｄ１）および第２出光面（２ｄ２）が設定されている。
【００８２】
つまり、請求項４に記載のカメラ用ＬＥＤ照明装置（１００）では、第１導光レンズ（２．１）の第３反射面（２ｃ１）によって反射され、第１導光レンズ（２．１）の第１出光面（２ｄ１）を介して第１導光レンズ（２．１）から出光し、平面（Ｓ２）内を進む光（Ｌ０）が、第１導光レンズ（２．１）の第２出光面（２ｄ２）を介して第１導光レンズ（２．１）から出光し、平面（Ｓ２）内を進む光（Ｌ３ｂ）よりも、一のＬＥＤ光源（１−１）の光軸（１−１’）と大きい角度（θ２）をなして、広角の撮像レンズ（Ａ２）の視野範囲（ＶＲ）の周縁部分（ＶＲ２）に照射される。
【００８３】
すなわち、請求項４に記載のカメラ用ＬＥＤ照明装置（１００）によれば、第１導光レンズ（２．１）の第３反射面（２ｃ１）によって反射され、第１導光レンズ（２．１）の第１出光面（２ｄ１）を介して第１導光レンズ（２．１）から出光し、平面（Ｓ２）内を進む光（Ｌ０）を、広角の撮像レンズ（Ａ２）の視野範囲（ＶＲ）の周縁部分（ＶＲ２）に照射することができる。
【００８４】
更に、請求項４に記載のカメラ用ＬＥＤ照明装置（１００）では、一のＬＥＤ光源（１−１）から照射され、第１導光レンズ（２．１）の第２入光面（２ａ２）を透過し、第１導光レンズ（２．１）の第１反射面（２ｂ１）によって反射された光の一部を、撮像レンズ鏡胴（Ａ１）の中心軸線（Ａ１’）から離れる側に反射するための第４反射面（２ｃ２）が、第１導光レンズ（２．１）の出光部側（２Ｂ）に形成されている。また、一のＬＥＤ光源（１−１）から照射され、第１導光レンズ（２．１）の第２入光面（２ａ２）を透過し、第１導光レンズ（２．１）の第１反射面（２ｂ１）によって反射され、第１導光レンズ（２．１）の第４反射面（２ｃ２）によって反射された光が、第１導光レンズ（２．１）から出光するための第３出光面（２ｄ３）が、第１導光レンズ（２．１）の出光部側（２Ｂ）に形成されている。更に、一のＬＥＤ光源（１−１）から照射され、第１導光レンズ（２．１）の第２入光面（２ａ２）を透過し、第１導光レンズ（２．１）の第１反射面（２ｂ１）によって反射された光の他の一部が、第１導光レンズ（２．１）から出光するための第４出光面（２ｄ４）が、第１導光レンズ（２．１）の出光部側（２Ｂ）に形成されている。
【００８５】
詳細には、請求項４に記載のカメラ用ＬＥＤ照明装置（１００）では、一のＬＥＤ光源（１−１）の発光中心から照射され、第１導光レンズ（２．１）の第２入光面（２ａ２）を透過し、第１導光レンズ（２．１）の第１反射面（２ｂ１）によって反射され、第１導光レンズ（２．１）の第４反射面（２ｃ２）によって反射され、第１導光レンズ（２．１）の第３出光面（２ｄ３）を透過し、平面（Ｓ２）内を進む光（Ｌ４ａ）が、一のＬＥＤ光源（１−１）の光軸（１−１’）と第４角度（θ４）をなすと共に、一のＬＥＤ光源（１−１）の発光中心から照射され、第１導光レンズ（２．１）の第２入光面（２ａ２）を透過し、第１導光レンズ（２．１）の第１反射面（２ｂ１）によって反射され、第１導光レンズ（２．１）の第４出光面（２ｄ４）を透過し、平面（Ｓ２）内を進む光（Ｌ５ａ）が、一のＬＥＤ光源（１−１）の光軸（１−１’）と第４角度（θ４）より小さい第５角度（θ５）をなすように、第１導光レンズ（２．１）の第４反射面（２ｃ２）、第３出光面（２ｄ３）および第４出光面（２ｄ４）が設定されている。
【００８６】
つまり、請求項４に記載のカメラ用ＬＥＤ照明装置（１００）では、第１導光レンズ（２．１）の第４反射面（２ｃ２）によって反射され、第１導光レンズ（２．１）の第３出光面（２ｄ３）を介して第１導光レンズ（２．１）から出光し、平面（Ｓ２）内を進む光（Ｌ４ａ）が、第１導光レンズ（２．１）の第４出光面（２ｄ４）を介して第１導光レンズ（２．１）から出光し、平面（Ｓ２）内を進む光（Ｌ５ａ）よりも、一のＬＥＤ光源（１−１）の光軸（１−１’）と大きい角度（θ４）をなして、広角の撮像レンズ（Ａ２）の視野範囲（ＶＲ）の周縁部分（ＶＲ２）に照射される。
【００８７】
すなわち、請求項４に記載のカメラ用ＬＥＤ照明装置（１００）によれば、第１導光レンズ（２．１）の第４反射面（２ｃ２）によって反射され、第１導光レンズ（２．１）の第３出光面（２ｄ３）を介して第１導光レンズ（２．１）から出光し、平面（Ｓ２）内を進む光（Ｌ４ａ）を、広角の撮像レンズ（Ａ２）の視野範囲（ＶＲ）の周縁部分（ＶＲ２）に照射することができる。
【００８８】
また、請求項４に記載のカメラ用ＬＥＤ照明装置（１００）では、一のＬＥＤ光源（１−１）から照射され、第１導光レンズ（２．１）の第３入光面（２ａ３）を透過し、第１導光レンズ（２．１）の第２反射面（２ｂ２）によって反射された光の一部を、撮像レンズ鏡胴（Ａ１）の中心軸線（Ａ１’）から離れる側に反射するための第５反射面（２ｃ３）が、第１導光レンズ（２．１）の出光部側（２Ｂ）に形成されている。更に、一のＬＥＤ光源（１−１）から照射され、第１導光レンズ（２．１）の第３入光面（２ａ３）を透過し、第１導光レンズ（２．１）の第２反射面（２ｂ２）によって反射され、第１導光レンズ（２．１）の第５反射面（２ｃ３）によって反射された光が、第１導光レンズ（２．１）から出光するための第５出光面（２ｄ５）が、第１導光レンズ（２．１）の出光部側（２Ｂ）に形成されている。また、一のＬＥＤ光源（１−１）から照射され、第１導光レンズ（２．１）の第３入光面（２ａ３）を透過し、第１導光レンズ（２．１）の第２反射面（２ｂ２）によって反射された光の他の一部が、第１導光レンズ（２．１）から出光するための第６出光面（２ｄ６）が、第１導光レンズ（２．１）の出光部側（２Ｂ）に形成されている。
【００８９】
詳細には、請求項４に記載のカメラ用ＬＥＤ照明装置（１００）では、一のＬＥＤ光源（１−１）の発光中心から照射され、第１導光レンズ（２．１）の第３入光面（２ａ３）を透過し、第１導光レンズ（２．１）の第２反射面（２ｂ２）によって反射され、第１導光レンズ（２．１）の第５反射面（２ｃ３）によって反射され、第１導光レンズ（２．１）の第５出光面（２ｄ５）を透過し、平面（Ｓ２）内を進む光（Ｌ５ｂ）が、一のＬＥＤ光源（１−１）の光軸（１−１’）と第６角度（θ６）をなすと共に、一のＬＥＤ光源（１−１）の発光中心から照射され、第１導光レンズ（２．１）の第３入光面（２ａ３）を透過し、第１導光レンズ（２．１）の第２反射面（２ｂ２）によって反射され、第１導光レンズ（２．１）の第６出光面（２ｄ６）を透過し、平面（Ｓ２）内を進む光（Ｌ４ｂ）が、一のＬＥＤ光源（１−１）の光軸（１−１’）と第６角度（θ６）より小さい第７角度（θ７）をなすように、第１導光レンズ（２．１）の第５反射面（２ｃ３）、第５出光面（２ｄ５）および第６出光面（２ｄ６）が設定されている。
【００９０】
つまり、請求項４に記載のカメラ用ＬＥＤ照明装置（１００）では、第１導光レンズ（２．１）の第５反射面（２ｃ３）によって反射され、第１導光レンズ（２．１）の第５出光面（２ｄ５）を介して第１導光レンズ（２．１）から出光し、平面（Ｓ２）内を進む光（Ｌ５ｂ）が、第１導光レンズ（２．１）の第６出光面（２ｄ６）を介して第１導光レンズ（２．１）から出光し、平面（Ｓ２）内を進む光（Ｌ４ｂ）よりも、一のＬＥＤ光源（１−１）の光軸（１−１’）と大きい角度（θ６）をなして、広角の撮像レンズ（Ａ２）の視野範囲（ＶＲ）の周縁部分（ＶＲ２）に照射される。
【００９１】
すなわち、請求項４に記載のカメラ用ＬＥＤ照明装置（１００）によれば、第１導光レンズ（２．１）の第５反射面（２ｃ３）によって反射され、第１導光レンズ（２．１）の第５出光面（２ｄ５）を介して第１導光レンズ（２．１）から出光し、平面（Ｓ２）内を進む光（Ｌ５ｂ）を、広角の撮像レンズ（Ａ２）の視野範囲（ＶＲ）の周縁部分（ＶＲ２）に照射することができる。
【００９２】
更に、請求項４に記載のカメラ用ＬＥＤ照明装置（１００）では、第２角度（θ２）と第４角度（θ４）と第６角度（θ６）とが互いに異なる値になるように、第１導光レンズ（２．１）の第３反射面（２ｃ１）、第１出光面（２ｄ１）、第４反射面（２ｃ２）、第３出光面（２ｄ３）、第５反射面（２ｃ３）および第５出光面（２ｄ５）が設定されている。
【００９３】
そのため、請求項４に記載のカメラ用ＬＥＤ照明装置（１００）によれば、第１導光レンズ（２．１）の第１出光面（２ｄ１）を介して第１導光レンズ（２．１）から出光して平面（Ｓ２）内を進む光（Ｌ０）と、第１導光レンズ（２．１）の第３出光面（２ｄ３）を介して第１導光レンズ（２．１）から出光して平面（Ｓ２）内を進む光（Ｌ４ａ）と、第１導光レンズ（２．１）の第５出光面（２ｄ５）を介して第１導光レンズ（２．１）から出光して平面（Ｓ２）内を進む光（Ｌ５ｂ）とを、広角の撮像レンズ（Ａ２）の視野範囲（ＶＲ）の周縁部分（ＶＲ２）のうち、径方向の異なる位置に照射することができる。
【００９４】
また、請求項４に記載のカメラ用ＬＥＤ照明装置（１００）では、第３角度（θ３）と第５角度（θ５）と第７角度（θ７）とが互いに異なる値になるように、第１導光レンズ（２．１）の第２出光面（２ｄ２）、第４出光面（２ｄ４）および第６出光面（２ｄ６）が設定されている。
【００９５】
そのため、請求項４に記載のカメラ用ＬＥＤ照明装置（１００）によれば、第１導光レンズ（２．１）の第２出光面（２ｄ２）を介して第１導光レンズ（２．１）から出光して平面（Ｓ２）内を進む光（Ｌ３ｂ）と、第１導光レンズ（２．１）の第４出光面（２ｄ４）を介して第１導光レンズ（２．１）から出光して平面（Ｓ２）内を進む光（Ｌ５ａ）と、第１導光レンズ（２．１）の第６出光面（２ｄ６）を介して第１導光レンズ（２．１）から出光して平面（Ｓ２）内を進む光（Ｌ４ｂ）とを、広角の撮像レンズ（Ａ２）の視野範囲（ＶＲ）の中央部分（ＶＲ１）のうち、径方向の異なる位置に照射することができる。
【００９６】
更に、請求項４に記載のカメラ用ＬＥＤ照明装置（１００）では、平面（Ｓ２）内の第１導光レンズ（２．１）の断面形状を第１辺（ＳＤ１）に沿ってスイープすることにより得られる柱状に、第１導光レンズ（２．１）が形成されている。また、他の導光レンズ（２．２，…，２．Ｎ）が第１導光レンズ（２．１）と同一形状に形成されている。更に、撮像レンズ鏡胴（Ａ１）の中心軸線（Ａ１’）を中心に第１導光レンズ（２．１）を（Ｎ−１）回（３６０／Ｎ）°ずつ回転させた位置に、他の導光レンズ（２．２，…，２．Ｎ）のそれぞれを配置することにより、Ｎ個の直線状の導光レンズ（２．１，…，２．Ｎ）が、撮像レンズ鏡胴（Ａ１）の中心軸線（Ａ１’）を中心するＮ回回転対称に配列されている。
【００９７】
また、請求項４に記載のカメラ用ＬＥＤ照明装置（１００）では、複数のＬＥＤ光源（１−１，…）が、撮像レンズ鏡胴（Ａ１）の中心軸線（Ａ１’）を中心とする正Ｎ角形（Ｐ１）のＮ本の辺（ＳＤ１，…，ＳＤＮ）上に配列されると共に、Ｎ個の直線状の導光レンズ（２．１，…，２．Ｎ）が、正Ｎ角形（Ｐ１）のＮ本の辺（ＳＤ１，…，ＳＤＮ）のそれぞれに対して平行に配列されている。
【００９８】
つまり、請求項４に記載のカメラ用ＬＥＤ照明装置（１００）では、複数のＬＥＤ光源（１−１，…）からの光のそれぞれが、広角の撮像レンズ（Ａ２）の視野範囲（ＶＲ）の中央部分（ＶＲ１）および周縁部分（ＶＲ２）のうち、周方向の異なる位置に照射される。
【００９９】
そのため、請求項４に記載のカメラ用ＬＥＤ照明装置（１００）によれば、複数のＬＥＤ光源（１−１，…）からの光を、広角の撮像レンズ（Ａ２）の視野範囲（ＶＲ）の中央部分（ＶＲ１）および周縁部分（ＶＲ２）の全体に照射することができる。すなわち、請求項４に記載のカメラ用ＬＥＤ照明装置（１００）によれば、複数のＬＥＤ光源（１−１，…）からの光を、広角の撮像レンズ（Ａ２）の視野範囲（ＶＲ）の径方向および周方向の全体に照射することができる。
【０１００】
請求項５に記載のカメラ用ＬＥＤ照明装置（１００）では、撮像レンズ鏡胴（Ａ１）の径方向外側に配置するための複数のＬＥＤ光源（１−１，…）が設けられている。詳細には、撮像レンズ鏡胴（Ａ１）の中心軸線（Ａ１’）に垂直な平面（Ｓ０）上に位置する正Ｎ角形（Ｐ１）（Ｎは３以上の整数）であって、撮像レンズ鏡胴（Ａ１）の中心軸線（Ａ１’）を中心とする正Ｎ角形（Ｐ１）のＮ本の辺（ＳＤ１，…，ＳＤＮ）上に、複数のＬＥＤ光源（１−１，…）が配列されている。また、複数のＬＥＤ光源（１−１，…）の光軸（１−１’，…）が撮像レンズ鏡胴（Ａ１）の中心軸線（Ａ１’）に平行に配置されている。
【０１０１】
そのため、請求項５に記載のカメラ用ＬＥＤ照明装置（１００）によれば、複数のＬＥＤ光源（１−１，…）の光軸（１−１’，…）のそれぞれが撮像レンズ鏡胴（Ａ１）の中心軸線（Ａ１’）に対して異なる角度で傾斜せしめられている場合よりも、複数のＬＥＤ光源（１−１，…）を配置する工程の煩雑性を低減することができる。
【０１０２】
更に、請求項５に記載のカメラ用ＬＥＤ照明装置（１００）では、複数のＬＥＤ光源（１−１，…）からの光を導光して撮像レンズの視野範囲に照射するためのＮ個のく字状の導光レンズ（２．１，…，２．Ｎ）が設けられている。また、く字状の第１導光レンズ（２．１）に、正Ｎ角形（Ｐ１）の第１辺（ＳＤ１）と第２辺（ＳＤ２）とによって構成される第１頂点（Ｖ１）に対応する屈曲部分（２．１ａ）と、第１辺（ＳＤ１）の中点（Ｍ１）と第１頂点（Ｖ１）との間の部分に対応する第１直線状部分（２．１ｂ）と、第２辺（ＳＤ２）の中点（Ｍ２）と第１頂点（Ｖ１）との間の部分に対応する第２直線状部分（２．１ｃ）とが形成されている。更に、複数のＬＥＤ光源（１−１，…）のうちの一のＬＥＤ光源（１−１）が、正Ｎ角形（Ｐ１）の第１辺（ＳＤ１）のうちの第１頂点（Ｖ１）と第１辺（ＳＤ１）の中点（Ｍ１）との間の部分上に配置されている。
【０１０３】
詳細には、請求項５に記載のカメラ用ＬＥＤ照明装置（１００）では、一のＬＥＤ光源（１−１）の光軸（１−１’）と第１角度（θ１）以下の角度をなして一のＬＥＤ光源（１−１）から照射され、一のＬＥＤ光源（１−１）の光軸（１−１’）を含む平面（Ｓ２）であって、正Ｎ角形（Ｐ１）の第１辺（ＳＤ１）に垂直な平面（Ｓ２）内を進む光が、第１導光レンズ（２．１）に入光するための第１入光面（２ａ１）が、第１導光レンズ（２．１）の第１直線状部分（２．１ｂ）の入光部側（２Ａ）に形成されている。更に、一のＬＥＤ光源（１−１）の発光中心から照射され、第１導光レンズ（２．１）の第１直線状部分（２．１ｂ）の第１入光面（２ａ１）を透過し、平面（Ｓ２）内を進む光が、一のＬＥＤ光源（１−１）の光軸（１−１’）に平行な光になるように、第１導光レンズ（２．１）の第１直線状部分（２．１ｂ）の第１入光面（２ａ１）が設定されている。
【０１０４】
また、請求項５に記載のカメラ用ＬＥＤ照明装置（１００）では、一のＬＥＤ光源（１−１）の光軸（１−１’）と第１角度（θ１）より大きい角度をなして一のＬＥＤ光源（１−１）から照射され、平面（Ｓ２）内を撮像レンズ鏡胴（Ａ１）の中心軸線（Ａ１’）に近づく側に進む光が、第１導光レンズ（２．１）に入光するための第２入光面（２ａ２）が、第１導光レンズ（２．１）の第１直線状部分（２．１ｂ）の入光部側（２Ａ）に形成されている。更に、第１導光レンズ（２．１）の第１直線状部分（２．１ｂ）の第２入光面（２ａ２）を透過した光を反射するための第１反射面（２ｂ１）が、第１導光レンズ（２．１）の第１直線状部分（２．１ｂ）の入光部側（２Ａ）に形成されている。また、一のＬＥＤ光源（１−１）の発光中心から照射され、第１導光レンズ（２．１）の第１直線状部分（２．１ｂ）の第２入光面（２ａ２）を透過し、第１導光レンズ（２．１）の第１直線状部分（２．１ｂ）の第１反射面（２ｂ１）によって反射され、平面（Ｓ２）内を進む光が、一のＬＥＤ光源（１−１）の光軸（１−１’）に平行な光になるように、第１導光レンズ（２．１）の第１直線状部分（２．１ｂ）の第２入光面（２ａ２）および第１反射面（２ｂ１）が設定されている。
【０１０５】
更に、請求項５に記載のカメラ用ＬＥＤ照明装置（１００）では、一のＬＥＤ光源（１−１）の光軸（１−１’）と第１角度（θ１）より大きい角度をなして一のＬＥＤ光源（１−１）から照射され、平面（Ｓ２）内を撮像レンズ鏡胴（Ａ１）の中心軸線（Ａ１’）から離れる側に進む光が、第１導光レンズ（２．１）に入光するための第３入光面（２ａ３）が、第１導光レンズ（２．１）の第１直線状部分（２．１ｂ）の入光部側（２Ａ）に形成されている。また、第１導光レンズ（２．１）の第１直線状部分（２．１ｂ）の第３入光面（２ａ３）を透過した光を反射するための第２反射面（２ｂ２）が、第１導光レンズ（２．１）の第１直線状部分（２．１ｂ）の入光部側（２Ａ）に形成されている。更に、一のＬＥＤ光源（１−１）の発光中心から照射され、第１導光レンズ（２．１）の第１直線状部分（２．１ｂ）の第３入光面（２ａ３）を透過し、第１導光レンズ（２．１）の第１直線状部分（２．１ｂ）の第２反射面（２ｂ２）によって反射され、平面（Ｓ２）内を進む光が、一のＬＥＤ光源（１−１）の光軸（１−１’）に平行な光になるように、第１導光レンズ（２．１）の第１直線状部分（２．１ｂ）の第３入光面（２ａ３）および第２反射面（２ｂ２）が設定されている。
【０１０６】
また、請求項５に記載のカメラ用ＬＥＤ照明装置（１００）では、一のＬＥＤ光源（１−１）から照射され、第１導光レンズ（２．１）の第１直線状部分（２．１ｂ）の第１入光面（２ａ１）を透過した光の一部を、撮像レンズ鏡胴（Ａ１）の中心軸線（Ａ１’）から離れる側に反射するための第３反射面（２ｃ１）が、第１導光レンズ（２．１）の第１直線状部分（２．１ｂ）の入光部側（２Ａ）とは反対側の第１導光レンズ（２．１）の第１直線状部分（２．１ｂ）の出光部側（２Ｂ）に形成されている。更に、一のＬＥＤ光源（１−１）から照射され、第１導光レンズ（２．１）の第１直線状部分（２．１ｂ）の第１入光面（２ａ１）を透過し、第１導光レンズ（２．１）の第１直線状部分（２．１ｂ）の第３反射面（２ｃ１）によって反射された光が、第１導光レンズ（２．１）から出光するための第１出光面（２ｄ１）が、第１導光レンズ（２．１）の第１直線状部分（２．１ｂ）の出光部側（２Ｂ）に形成されている。また、一のＬＥＤ光源（１−１）から照射され、第１導光レンズ（２．１）の第１直線状部分（２．１ｂ）の第１入光面（２ａ１）を透過した光の他の一部が、第１導光レンズ（２．１）から出光するための第２出光面（２ｄ２）が、第１導光レンズ（２．１）の第１直線状部分（２．１ｂ）の出光部側（２Ｂ）に形成されている。
【０１０７】
詳細には、請求項５に記載のカメラ用ＬＥＤ照明装置（１００）では、一のＬＥＤ光源（１−１）の発光中心から照射され、第１導光レンズ（２．１）の第１直線状部分（２．１ｂ）の第１入光面（２ａ１）を透過し、第１導光レンズ（２．１）の第１直線状部分（２．１ｂ）の第３反射面（２ｃ１）によって反射され、第１導光レンズ（２．１）の第１直線状部分（２．１ｂ）の第１出光面（２ｄ１）を透過し、平面（Ｓ２）内を進む光（Ｌ０）が、一のＬＥＤ光源（１−１）の光軸（１−１’）と第２角度（θ２）をなすと共に、一のＬＥＤ光源（１−１）の発光中心から照射され、第１導光レンズ（２．１）の第１直線状部分（２．１ｂ）の第１入光面（２ａ１）を透過し、第１導光レンズ（２．１）の第１直線状部分（２．１ｂ）の第２出光面（２ｄ２）を透過し、平面（Ｓ２）内を進む光（Ｌ３ｂ）が、一のＬＥＤ光源（１−１）の光軸（１−１’）と第２角度（θ２）より小さい第３角度（θ３）をなすように、第１導光レンズ（２．１）の第１直線状部分（２．１ｂ）の第３反射面（２ｃ１）、第１出光面（２ｄ１）および第２出光面（２ｄ２）が設定されている。
【０１０８】
つまり、請求項５に記載のカメラ用ＬＥＤ照明装置（１００）では、第１導光レンズ（２．１）の第１直線状部分（２．１ｂ）の第３反射面（２ｃ１）によって反射され、第１導光レンズ（２．１）の第１直線状部分（２．１ｂ）の第１出光面（２ｄ１）を介して第１導光レンズ（２．１）の第１直線状部分（２．１ｂ）から出光し、平面（Ｓ２）内を進む光（Ｌ０）が、第１導光レンズ（２．１）の第１直線状部分（２．１ｂ）の第２出光面（２ｄ２）を介して第１導光レンズ（２．１）の第１直線状部分（２．１ｂ）から出光し、平面（Ｓ２）内を進む光（Ｌ３ｂ）よりも、一のＬＥＤ光源（１−１）の光軸（１−１’）と大きい角度（θ２）をなして、広角の撮像レンズ（Ａ２）の視野範囲（ＶＲ）の周縁部分（ＶＲ２）に照射される。
【０１０９】
すなわち、請求項５に記載のカメラ用ＬＥＤ照明装置（１００）によれば、第１導光レンズ（２．１）の第１直線状部分（２．１ｂ）の第３反射面（２ｃ１）によって反射され、第１導光レンズ（２．１）の第１直線状部分（２．１ｂ）の第１出光面（２ｄ１）を介して第１導光レンズ（２．１）の第１直線状部分（２．１ｂ）から出光し、平面（Ｓ２）内を進む光（Ｌ０）を、広角の撮像レンズ（Ａ２）の視野範囲（ＶＲ）の周縁部分（ＶＲ２）に照射することができる。
【０１１０】
更に、請求項５に記載のカメラ用ＬＥＤ照明装置（１００）では、一のＬＥＤ光源（１−１）から照射され、第１導光レンズ（２．１）の第１直線状部分（２．１ｂ）の第２入光面（２ａ２）を透過し、第１導光レンズ（２．１）の第１直線状部分（２．１ｂ）の第１反射面（２ｂ１）によって反射された光の一部を、撮像レンズ鏡胴（Ａ１）の中心軸線（Ａ１’）から離れる側に反射するための第４反射面（２ｃ２）が、第１導光レンズ（２．１）の第１直線状部分（２．１ｂ）の出光部側（２Ｂ）に形成されている。また、一のＬＥＤ光源（１−１）から照射され、第１導光レンズ（２．１）の第１直線状部分（２．１ｂ）の第２入光面（２ａ２）を透過し、第１導光レンズ（２．１）の第１直線状部分（２．１ｂ）の第１反射面（２ｂ１）によって反射され、第１導光レンズ（２．１）の第１直線状部分（２．１ｂ）の第４反射面（２ｃ２）によって反射された光が、第１導光レンズ（２．１）から出光するための第３出光面（２ｄ３）が、第１導光レンズ（２．１）の第１直線状部分（２．１ｂ）の出光部側（２Ｂ）に形成されている。更に、一のＬＥＤ光源（１−１）から照射され、第１導光レンズ（２．１）の第１直線状部分（２．１ｂ）の第２入光面（２ａ２）を透過し、第１導光レンズ（２．１）の第１直線状部分（２．１ｂ）の第１反射面（２ｂ１）によって反射された光の他の一部が、第１導光レンズ（２．１）から出光するための第４出光面（２ｄ４）が、第１導光レンズ（２．１）の第１直線状部分（２．１ｂ）の出光部側（２Ｂ）に形成されている。
【０１１１】
詳細には、請求項５に記載のカメラ用ＬＥＤ照明装置（１００）では、一のＬＥＤ光源（１−１）の発光中心から照射され、第１導光レンズ（２．１）の第１直線状部分（２．１ｂ）の第２入光面（２ａ２）を透過し、第１導光レンズ（２．１）の第１直線状部分（２．１ｂ）の第１反射面（２ｂ１）によって反射され、第１導光レンズ（２．１）の第１直線状部分（２．１ｂ）の第４反射面（２ｃ２）によって反射され、第１導光レンズ（２．１）の第１直線状部分（２．１ｂ）の第３出光面（２ｄ３）を透過し、平面（Ｓ２）内を進む光（Ｌ４ａ）が、一のＬＥＤ光源（１−１）の光軸（１−１’）と第４角度（θ４）をなすと共に、一のＬＥＤ光源（１−１）の発光中心から照射され、第１導光レンズ（２．１）の第１直線状部分（２．１ｂ）の第２入光面（２ａ２）を透過し、第１導光レンズ（２．１）の第１直線状部分（２．１ｂ）の第１反射面（２ｂ１）によって反射され、第１導光レンズ（２．１）の第１直線状部分（２．１ｂ）の第４出光面（２ｄ４）を透過し、平面（Ｓ２）内を進む光（Ｌ５ａ）が、一のＬＥＤ光源（１−１）の光軸（１−１’）と第４角度（θ４）より小さい第５角度（θ５）をなすように、第１導光レンズ（２．１）の第１直線状部分（２．１ｂ）の第４反射面（２ｃ２）、第３出光面（２ｄ３）および第４出光面（２ｄ４）が設定されている。
【０１１２】
つまり、請求項５に記載のカメラ用ＬＥＤ照明装置（１００）では、第１導光レンズ（２．１）の第１直線状部分（２．１ｂ）の第４反射面（２ｃ２）によって反射され、第１導光レンズ（２．１）の第１直線状部分（２．１ｂ）の第３出光面（２ｄ３）を介して第１導光レンズ（２．１）の第１直線状部分（２．１ｂ）から出光し、平面（Ｓ２）内を進む光（Ｌ４ａ）が、第１導光レンズ（２．１）の第１直線状部分（２．１ｂ）の第４出光面（２ｄ４）を介して第１導光レンズ（２．１）の第１直線状部分（２．１ｂ）から出光し、平面（Ｓ２）内を進む光（Ｌ５ａ）よりも、一のＬＥＤ光源（１−１）の光軸（１−１’）と大きい角度（θ４）をなして、広角の撮像レンズ（Ａ２）の視野範囲（ＶＲ）の周縁部分（ＶＲ２）に照射される。
【０１１３】
すなわち、請求項５に記載のカメラ用ＬＥＤ照明装置（１００）によれば、第１導光レンズ（２．１）の第１直線状部分（２．１ｂ）の第４反射面（２ｃ２）によって反射され、第１導光レンズ（２．１）の第１直線状部分（２．１ｂ）の第３出光面（２ｄ３）を介して第１導光レンズ（２．１）の第１直線状部分（２．１ｂ）から出光し、平面（Ｓ２）内を進む光（Ｌ４ａ）を、広角の撮像レンズ（Ａ２）の視野範囲（ＶＲ）の周縁部分（ＶＲ２）に照射することができる。
【０１１４】
また、請求項５に記載のカメラ用ＬＥＤ照明装置（１００）では、一のＬＥＤ光源（１−１）から照射され、第１導光レンズ（２．１）の第１直線状部分（２．１ｂ）の第３入光面（２ａ３）を透過し、第１導光レンズ（２．１）の第１直線状部分（２．１ｂ）の第２反射面（２ｂ２）によって反射された光の一部を、撮像レンズ鏡胴（Ａ１）の中心軸線（Ａ１’）から離れる側に反射するための第５反射面（２ｃ３）が、第１導光レンズ（２．１）の第１直線状部分（２．１ｂ）の出光部側（２Ｂ）に形成されている。更に、一のＬＥＤ光源（１−１）から照射され、第１導光レンズ（２．１）の第１直線状部分（２．１ｂ）の第３入光面（２ａ３）を透過し、第１導光レンズ（２．１）の第１直線状部分（２．１ｂ）の第２反射面（２ｂ２）によって反射され、第１導光レンズ（２．１）の第１直線状部分（２．１ｂ）の第５反射面（２ｃ３）によって反射された光が、第１導光レンズ（２．１）から出光するための第５出光面（２ｄ５）が、第１導光レンズ（２．１）の第１直線状部分（２．１ｂ）の出光部側（２Ｂ）に形成されている。また、一のＬＥＤ光源（１−１）から照射され、第１導光レンズ（２．１）の第１直線状部分（２．１ｂ）の第３入光面（２ａ３）を透過し、第１導光レンズ（２．１）の第１直線状部分（２．１ｂ）の第２反射面（２ｂ２）によって反射された光の他の一部が、第１導光レンズ（２．１）から出光するための第６出光面（２ｄ６）が、第１導光レンズ（２．１）の第１直線状部分（２．１ｂ）の出光部側（２Ｂ）に形成されている。
【０１１５】
詳細には、請求項５に記載のカメラ用ＬＥＤ照明装置（１００）では、一のＬＥＤ光源（１−１）の発光中心から照射され、第１導光レンズ（２．１）の第１直線状部分（２．１ｂ）の第３入光面（２ａ３）を透過し、第１導光レンズ（２．１）の第１直線状部分（２．１ｂ）の第２反射面（２ｂ２）によって反射され、第１導光レンズ（２．１）の第１直線状部分（２．１ｂ）の第５反射面（２ｃ３）によって反射され、第１導光レンズ（２．１）の第１直線状部分（２．１ｂ）の第５出光面（２ｄ５）を透過し、平面（Ｓ２）内を進む光（Ｌ５ｂ）が、一のＬＥＤ光源（１−１）の光軸（１−１’）と第６角度（θ６）をなすと共に、一のＬＥＤ光源（１−１）の発光中心から照射され、第１導光レンズ（２．１）の第１直線状部分（２．１ｂ）の第３入光面（２ａ３）を透過し、第１導光レンズ（２．１）の第１直線状部分（２．１ｂ）の第２反射面（２ｂ２）によって反射され、第１導光レンズ（２．１）の第１直線状部分（２．１ｂ）の第６出光面（２ｄ６）を透過し、平面（Ｓ２）内を進む光（Ｌ４ｂ）が、一のＬＥＤ光源（１−１）の光軸（１−１’）と第６角度（θ６）より小さい第７角度（θ７）をなすように、第１導光レンズ（２．１）の第１直線状部分（２．１ｂ）の第５反射面（２ｃ３）、第５出光面（２ｄ５）および第６出光面（２ｄ６）が設定されている。
【０１１６】
つまり、請求項５に記載のカメラ用ＬＥＤ照明装置（１００）では、第１導光レンズ（２．１）の第１直線状部分（２．１ｂ）の第５反射面（２ｃ３）によって反射され、第１導光レンズ（２．１）の第１直線状部分（２．１ｂ）の第５出光面（２ｄ５）を介して第１導光レンズ（２．１）の第１直線状部分（２．１ｂ）から出光し、平面（Ｓ２）内を進む光（Ｌ５ｂ）が、第１導光レンズ（２．１）の第１直線状部分（２．１ｂ）の第６出光面（２ｄ６）を介して第１導光レンズ（２．１）の第１直線状部分（２．１ｂ）から出光し、平面（Ｓ２）内を進む光（Ｌ４ｂ）よりも、一のＬＥＤ光源（１−１）の光軸（１−１’）と大きい角度（θ６）をなして、広角の撮像レンズ（Ａ２）の視野範囲（ＶＲ）の周縁部分（ＶＲ２）に照射される。
【０１１７】
すなわち、請求項５に記載のカメラ用ＬＥＤ照明装置（１００）によれば、第１導光レンズ（２．１）の第１直線状部分（２．１ｂ）の第５反射面（２ｃ３）によって反射され、第１導光レンズ（２．１）の第１直線状部分（２．１ｂ）の第５出光面（２ｄ５）を介して第１導光レンズ（２．１）の第１直線状部分（２．１ｂ）から出光し、平面（Ｓ２）内を進む光（Ｌ５ｂ）を、広角の撮像レンズ（Ａ２）の視野範囲（ＶＲ）の周縁部分（ＶＲ２）に照射することができる。
【０１１８】
更に、請求項５に記載のカメラ用ＬＥＤ照明装置（１００）では、第２角度（θ２）と第４角度（θ４）と第６角度（θ６）とが互いに異なる値になるように、第１導光レンズ（２．１）の第１直線状部分（２．１ｂ）の第３反射面（２ｃ１）、第１出光面（２ｄ１）、第４反射面（２ｃ２）、第３出光面（２ｄ３）、第５反射面（２ｃ３）および第５出光面（２ｄ５）が設定されている。
【０１１９】
そのため、請求項５に記載のカメラ用ＬＥＤ照明装置（１００）によれば、第１導光レンズ（２．１）の第１直線状部分（２．１ｂ）の第１出光面（２ｄ１）を介して第１導光レンズ（２．１）の第１直線状部分（２．１ｂ）から出光して平面（Ｓ２）内を進む光（Ｌ０）と、第１導光レンズ（２．１）の第１直線状部分（２．１ｂ）の第３出光面（２ｄ３）を介して第１導光レンズ（２．１）の第１直線状部分（２．１ｂ）から出光して平面（Ｓ２）内を進む光（Ｌ４ａ）と、第１導光レンズ（２．１）の第１直線状部分（２．１ｂ）の第５出光面（２ｄ５）を介して第１導光レンズ（２．１）の第１直線状部分（２．１ｂ）から出光して平面（Ｓ２）内を進む光（Ｌ５ｂ）とを、広角の撮像レンズ（Ａ２）の視野範囲（ＶＲ）の周縁部分（ＶＲ２）のうち、径方向の異なる位置に照射することができる。
【０１２０】
また、請求項５に記載のカメラ用ＬＥＤ照明装置（１００）では、第３角度（θ３）と第５角度（θ５）と第７角度（θ７）とが互いに異なる値になるように、第１導光レンズ（２．１）の第１直線状部分（２．１ｂ）の第２出光面（２ｄ２）、第４出光面（２ｄ４）および第６出光面（２ｄ６）が設定されている。
【０１２１】
そのため、請求項５に記載のカメラ用ＬＥＤ照明装置（１００）によれば、第１導光レンズ（２．１）の第１直線状部分（２．１ｂ）の第２出光面（２ｄ２）を介して第１導光レンズ（２．１）の第１直線状部分（２．１ｂ）から出光して平面（Ｓ２）内を進む光（Ｌ３ｂ）と、第１導光レンズ（２．１）の第１直線状部分（２．１ｂ）の第４出光面（２ｄ４）を介して第１導光レンズ（２．１）の第１直線状部分（２．１ｂ）から出光して平面（Ｓ２）内を進む光（Ｌ５ａ）と、第１導光レンズ（２．１）の第１直線状部分（２．１ｂ）の第６出光面（２ｄ６）を介して第１導光レンズ（２．１）の第１直線状部分（２．１ｂ）から出光して平面（Ｓ２）内を進む光（Ｌ４ｂ）とを、広角の撮像レンズ（Ａ２）の視野範囲（ＶＲ）の中央部分（ＶＲ１）のうち、径方向の異なる位置に照射することができる。
【０１２２】
更に、請求項５に記載のカメラ用ＬＥＤ照明装置（１００）では、平面（Ｓ２）内の第１導光レンズ（２．１）の第１直線状部分（２．１ｂ）の断面形状を第１辺（ＳＤ１）に沿ってスイープすることにより得られる柱状に、第１導光レンズ（２．１）の第１直線状部分（２．１ｂ）が形成されている。また、撮像レンズ鏡胴（Ａ１）の中心軸線（Ａ１’）と正Ｎ角形（Ｐ１）の第１頂点（Ｖ１）とを含む平面（Ｓ３）に関して第１導光レンズ（２．１）の第１直線状部分（２．１ｂ）と鏡像関係を有するように、第１導光レンズ（２．１）の第２直線状部分（２．１ｃ）が形成されている。更に、他の導光レンズ（２．２，…，２．Ｎ）が第１導光レンズ（２．１）と同一形状に形成されている。
【０１２３】
また、請求項５に記載のカメラ用ＬＥＤ照明装置（１００）では、複数のＬＥＤ光源（１−１，…）が、撮像レンズ鏡胴（Ａ１）の中心軸線（Ａ１’）を中心とする正Ｎ角形（Ｐ１）のＮ本の辺（ＳＤ１，…，ＳＤＮ）上に配列されている。更に、く字状の第１導光レンズ（２．１）の第１直線状部分（２．１ｂ）が、正Ｎ角形（Ｐ１）の第１辺（ＳＤ１）の中点（Ｍ１）と第１頂点（Ｖ１）との間の部分に対応せしめられると共に、く字状の第１導光レンズ（２．１）の第２直線状部分（２．１ｃ）が、正Ｎ角形（Ｐ１）の第２辺（ＳＤ２）の中点（Ｍ２）と第１頂点（Ｖ１）との間の部分に対応せしめられている。また、撮像レンズ鏡胴（Ａ１）の中心軸線（Ａ１’）を中心にく字状の第１導光レンズ（２．１）を（Ｎ−１）回（３６０／Ｎ）°ずつ回転させた位置に、く字状の他の導光レンズ（２．２，…，２．Ｎ）のそれぞれを配置することにより、Ｎ個のく字状の導光レンズ（２．１，…，２．Ｎ）が、撮像レンズ鏡胴（Ａ１）の中心軸線（Ａ１’）を中心するＮ回回転対称に配列されている。
【０１２４】
つまり、請求項５に記載のカメラ用ＬＥＤ照明装置（１００）では、複数のＬＥＤ光源（１−１，…）からの光のそれぞれが、広角の撮像レンズ（Ａ２）の視野範囲（ＶＲ）の中央部分（ＶＲ１）および周縁部分（ＶＲ２）のうち、周方向の異なる位置に照射される。
【０１２５】
そのため、請求項５に記載のカメラ用ＬＥＤ照明装置（１００）によれば、複数のＬＥＤ光源（１−１，…）からの光を、広角の撮像レンズ（Ａ２）の視野範囲（ＶＲ）の中央部分（ＶＲ１）および周縁部分（ＶＲ２）の全体に照射することができる。すなわち、請求項５に記載のカメラ用ＬＥＤ照明装置（１００）によれば、複数のＬＥＤ光源（１−１，…）からの光を、広角の撮像レンズ（Ａ２）の視野範囲（ＶＲ）の径方向および周方向の全体に照射することができる。
【０１２６】
請求項６に記載のカメラ（２００）によれば、複数のＬＥＤ光源（１−１，…）からの光を広角の撮像レンズ（Ａ２）の視野範囲（ＶＲ）の周縁部分（ＶＲ２）に照射することができる。
【図面の簡単な説明】
【０１２７】
【図１】第１の実施形態のカメラ用ＬＥＤ照明装置１００の概略的な構成図である。
【図２】第１の実施形態のカメラ用ＬＥＤ照明装置１００の概略的な構成図である。
【図３】第１の実施形態のカメラ用ＬＥＤ照明装置１００の概略的な構成図である。
【図４】第１の実施形態のカメラ用ＬＥＤ照明装置１００の概略的な構成図である。
【図５】ＬＥＤ光源１−１の発光中心から照射され、図４（Ｂ）に示す断面内を進む光Ｌ０，Ｌ１ａの光路を示した図である。
【図６】ＬＥＤ光源１−１の発光中心から照射され、図４（Ｂ）に示す断面内を進む光Ｌ１ｂ，Ｌ２ｂの光路を示した図である。
【図７】ＬＥＤ光源１−１の発光中心から照射され、図４（Ｂ）に示す断面内を進む光Ｌ３ｂ，Ｌ４ａの光路を示した図である。
【図８】ＬＥＤ光源１−１の発光中心から照射され、図４（Ｂ）に示す断面内を進む光Ｌ５ａ，Ｌ５ｂの光路を示した図である。
【図９】ＬＥＤ光源１−１の発光中心から照射され、図４（Ｂ）に示す断面内を進む光Ｌ４ｂ，Ｌ８ｂの光路を示した図である。
【図１０】ＬＥＤ光源１−１の発光中心から照射され、図４（Ｂ）に示す断面内を進む光Ｌ２ａ，Ｌ３ａの光路を示した図である。
【図１１】ＬＥＤ光源１−１の発光中心から照射され、図４（Ｂ）に示す断面内を進む光Ｌ６ａ，Ｌ８ａの光路を示した図である。
【図１２】第１の実施形態のカメラ用ＬＥＤ照明装置１００が適用されるカメラの広角の撮像レンズＡ２の視野範囲ＶＲと、ＬＥＤ光源１−１の発光中心から照射され、図４（Ｂ）に示す断面内を進み、概略半球状の仮想スクリーンＳＣに照射される光Ｌ０，Ｌ１ａ，Ｌ１ｂ，Ｌ２ｂ，Ｌ３ｂ，Ｌ４ａ，Ｌ５ａ，Ｌ５ｂ，Ｌ４ｂ，Ｌ８ｂ，Ｌ２ａ，Ｌ３ａ，Ｌ６ａ，Ｌ８ａとの関係を概略的に示した図である。
【図１３】第１の実施形態のカメラ用ＬＥＤ照明装置１００が適用されるカメラの広角の撮像レンズＡ２の視野範囲ＶＲを図１２の上側から見た図である。
【図１４】第１の実施形態のカメラ用ＬＥＤ照明装置１００の適用例を示した図である。
【図１５】第２の実施形態のカメラ用ＬＥＤ照明装置１００の概略的な構成図である。
【図１６】第２の実施形態のカメラ用ＬＥＤ照明装置１００の概略的な構成図である。
【図１７】第２の実施形態のカメラ用ＬＥＤ照明装置１００の概略的な構成図である。
【図１８】第３の実施形態のカメラ用ＬＥＤ照明装置１００の概略的な構成図である。
【図１９】第３の実施形態のカメラ用ＬＥＤ照明装置１００の概略的な構成図である。
【図２０】第３の実施形態のカメラ用ＬＥＤ照明装置１００の概略的な構成図である。
【図２１】第４の実施形態のカメラ用ＬＥＤ照明装置１００の概略的な構成図である。
【図２２】第４の実施形態のカメラ用ＬＥＤ照明装置１００の概略的な構成図である。
【図２３】第４の実施形態のカメラ用ＬＥＤ照明装置１００の概略的な構成図である。
【発明を実施するための形態】
【０１２８】
以下、本発明のカメラ用ＬＥＤ照明装置の第１の実施形態について説明する。図１〜図４は第１の実施形態のカメラ用ＬＥＤ照明装置１００の概略的な構成図である。詳細には、図１（Ａ）は第１の実施形態のカメラ用ＬＥＤ照明装置１００の概略的な平面図、図１（Ｂ）は第１の実施形態のカメラ用ＬＥＤ照明装置１００の概略的な正面図、図１（Ｃ）は第１の実施形態のカメラ用ＬＥＤ照明装置１００の概略的な底面図である。図２（Ａ）は第１の実施形態のカメラ用ＬＥＤ照明装置１００の概略的な斜視図、図２（Ｂ）は図１（Ａ）のＡ−Ａ線に沿った概略的な断面図、図３（Ａ）は第１の実施形態のカメラ用ＬＥＤ照明装置１００の概略的な分解斜視図である。図４（Ａ）は図２（Ｂ）の一部の拡大図、図４（Ｂ）は図４（Ａ）の一部の拡大図である。図５〜図１１はＬＥＤ光源１−１の発光中心から照射され、図４（Ｂ）に示す断面内を進む光Ｌ０，Ｌ１ａ，Ｌ１ｂ，Ｌ２ｂ，Ｌ３ｂ，Ｌ４ａ，Ｌ５ａ，Ｌ５ｂ，Ｌ４ｂ，Ｌ８ｂ，Ｌ２ａ，Ｌ３ａ，Ｌ６ａ，Ｌ８ａの光路を示した図である。
【０１２９】
図１２は第１の実施形態のカメラ用ＬＥＤ照明装置１００が適用されるカメラの広角の撮像レンズＡ２の視野範囲ＶＲと、ＬＥＤ光源１−１の発光中心から照射され、図４（Ｂ）に示す断面内を進み、概略半球状の仮想スクリーンＳＣに照射される光Ｌ０，Ｌ１ａ，Ｌ１ｂ，Ｌ２ｂ，Ｌ３ｂ，Ｌ４ａ，Ｌ５ａ，Ｌ５ｂ，Ｌ４ｂ，Ｌ８ｂ，Ｌ２ａ，Ｌ３ａ，Ｌ６ａ，Ｌ８ａとの関係を概略的に示した図である。図１３は第１の実施形態のカメラ用ＬＥＤ照明装置１００が適用されるカメラの広角の撮像レンズＡ２の視野範囲ＶＲを図１２の上側から見た図である。図１４は第１の実施形態のカメラ用ＬＥＤ照明装置１００の適用例を示した図である。詳細には、図１４（Ａ）は概略半球状のアウターカバーＡ３を有するタイプのカメラ２００に、第１の実施形態のカメラ用ＬＥＤ照明装置１００が適用される例を示した図である。図１４（Ｂ）はアウターカバーＡ３（図４（Ａ）参照）を有さないタイプのカメラ２００に、第１の実施形態のカメラ用ＬＥＤ照明装置１００が適用される例を示した図である。
【０１３０】
第１の実施形態のカメラ用ＬＥＤ照明装置１００では、図１（Ａ）、図２（Ｂ）および図３に示すように、複数のＬＥＤ光源１−１，１−２，１−３，１−４，１−５，１−６，１−７，１−８，１−９，１−１０，１−１１，１−１２，１−１３，１−１４，１−１５，１−１６，１−１７，１−１８，１−１９，１−２０，１−２１，１−２２，１−２３，１−２４，１−２５，１−２６，１−２７，１−２８，１−２９，１−３０，１−３１，１−３２，１−３３，１−３４，１−３５，１−３６，１−３７，１−３８，１−３９，１−４０が設けられている。また、第１の実施形態のカメラ用ＬＥＤ照明装置１００がカメラ２００（図１４参照）に適用される場合には、複数のＬＥＤ光源１−１，…，１−２１，…，１−４０（図１（Ａ）、図２（Ｂ）および図３参照）が、カメラ２００の撮像レンズＡ２（図２（Ｂ）および図１４参照）を支持する撮像レンズ鏡胴Ａ１（図１（Ａ）、図２（Ｂ）および図１４参照）の径方向外側に配置される。
【０１３１】
また、第１の実施形態のカメラ用ＬＥＤ照明装置１００では、複数のＬＥＤ光源１−１，…，１−２１，…，１−４０（図１、図２（Ｂ）および図３参照）が、例えばリング状の基板３（図２（Ｂ）および図３参照）に実装され、ハウジング４（図１〜図３参照）に収容されている。詳細には、撮像レンズ鏡胴Ａ１（図２（Ｂ）参照）の中心軸線Ａ１’（図２（Ｂ）参照）に垂直な平面Ｓ０（図２（Ｂ）および図３参照）上に位置する円Ｃ１（図１（Ａ）および図３参照）であって、撮像レンズ鏡胴Ａ１の中心軸線Ａ１’を中心とする円Ｃ１上に、複数のＬＥＤ光源１−１，…，１−２１，…，１−４０（図１、図２（Ｂ）および図３参照）が、例えば等間隔で配列されている。また、複数のＬＥＤ光源１−１，…，１−２１，…，１−４０の光軸１−１’，…，１−２１’，…（図２（Ｂ）参照）が撮像レンズ鏡胴Ａ１（図２（Ｂ）参照）の中心軸線Ａ１’（図２（Ｂ）参照）に平行に配置されている。
【０１３２】
そのため、第１の実施形態のカメラ用ＬＥＤ照明装置１００によれば、複数のＬＥＤ光源１−１，…，１−２１，…，１−４０の光軸１−１’，…，１−２１’，…のそれぞれが撮像レンズ鏡胴Ａ１の中心軸線Ａ１’に対して異なる角度で傾斜せしめられている場合よりも、複数のＬＥＤ光源１−１，…，１−２１，…，１−４０を配置する工程の煩雑性を低減することができる。
【０１３３】
更に、第１の実施形態のカメラ用ＬＥＤ照明装置１００では、複数のＬＥＤ光源１−１，…，１−２１，…，１−４０（図１（Ａ）、図２（Ｂ）および図３参照）からの光を導光して撮像レンズＡ２（図２（Ｂ）および図１４参照）の視野範囲ＶＲ（図１２および図１３参照）に照射するための導光レンズ２（図１〜図４参照）が設けられている。また、例えば固定部材５ａ，５ｂ（図１（Ｂ）、図１（Ｃ）、図２および図３参照）によって導光レンズ２がハウジング４（図１〜図３参照）に固定され、それにより、導光レンズ２が複数のＬＥＤ光源１−１，…，１−２１，…，１−４０に対して位置決めされている。
【０１３４】
詳細には、第１の実施形態のカメラ用ＬＥＤ照明装置１００では、複数のＬＥＤ光源１−１，…，１−２１，…，１−４０（図１（Ａ）、図２（Ｂ）および図３参照）のうちの一のＬＥＤ光源１−１（図１（Ａ）、図２（Ｂ）および図４参照）の光軸１−１’（図１（Ａ）、図２（Ｂ）および図４参照）と角度θ１（例えば３０°）（図４（Ｂ）参照）以下の角度をなしてＬＥＤ光源１−１から照射され、撮像レンズ鏡胴Ａ１（図１（Ａ）、図２（Ｂ）および図４（Ａ）参照）の中心軸線Ａ１’（図１（Ａ）、図２（Ｂ）および図４（Ａ）参照）とＬＥＤ光源１−１の光軸１−１’とを含む平面Ｓ１（図１（Ａ）参照）内を進む光（例えば光Ｌ０，Ｌ１ａ（図５参照）、光Ｌ１ｂ，Ｌ２ｂ（図６参照）、光Ｌ３ｂ（図７（Ａ）参照）、光Ｌ２ａ，Ｌ３ａ（図１０参照）など）が、導光レンズ２（図１〜図４参照）に入光するための入光面２ａ１（図４（Ｂ）参照）が、導光レンズ２の入光部側２Ａ（図４（Ａ）参照）に形成されている。更に、ＬＥＤ光源１−１の発光中心から照射され、導光レンズ２の入光面２ａ１を透過し、平面Ｓ１内を進む光が、ＬＥＤ光源１−１の光軸１−１’に平行な光になるように、導光レンズ２の入光面２ａ１が設定されている。
【０１３５】
また、第１の実施形態のカメラ用ＬＥＤ照明装置１００では、ＬＥＤ光源１−１（図１（Ａ）、図２（Ｂ）および図４参照）の光軸１−１’（図１（Ａ）、図２（Ｂ）および図４参照）と角度θ１（図４（Ｂ）参照）より大きい角度をなしてＬＥＤ光源１−１から照射され、平面Ｓ１（図１（Ａ）参照）内を撮像レンズ鏡胴Ａ１（図１（Ａ）、図２（Ｂ）および図４（Ａ）参照）の中心軸線Ａ１’（図１（Ａ）、図２（Ｂ）および図４（Ａ）参照）に近づく側（図４の左側）に進む光（例えば光Ｌ４ａ（図７（Ｂ）参照）、光Ｌ５ａ（図８（Ａ）参照）、光Ｌ６ａ，Ｌ８ａ（図１１参照）など）が、導光レンズ２（図１〜図４参照）に入光するための入光面２ａ２（図４（Ｂ）参照）が、導光レンズ２の入光部側２Ａ（図４（Ａ）参照）に形成されている。更に、導光レンズ２の入光面２ａ２を透過した光を反射するための反射面２ｂ１（図４（Ｂ）参照）が、導光レンズ２の入光部側２Ａ（図４（Ａ）参照）に形成されている。また、ＬＥＤ光源１−１の発光中心から照射され、導光レンズ２の入光面２ａ２を透過し、導光レンズ２の反射面２ｂ１によって反射され、平面Ｓ１内を進む光が、ＬＥＤ光源１−１の光軸１−１’に平行な光になるように、導光レンズ２の入光面２ａ２および反射面２ｂ１が設定されている。
【０１３６】
更に、第１の実施形態のカメラ用ＬＥＤ照明装置１００では、ＬＥＤ光源１−１（図１（Ａ）、図２（Ｂ）および図４参照）の光軸１−１’（図１（Ａ）、図２（Ｂ）および図４参照）と角度θ１（図４（Ｂ）参照）より大きい角度をなしてＬＥＤ光源１−１から照射され、平面Ｓ１（図１（Ａ）参照）内を撮像レンズ鏡胴Ａ１（図１（Ａ）、図２（Ｂ）および図４（Ａ）参照）の中心軸線Ａ１’（図１（Ａ）、図２（Ｂ）および図４（Ａ）参照）から離れる側（図４の右側）に進む光（例えば光Ｌ５ｂ（図８（Ｂ）参照）、光Ｌ４ｂ，Ｌ８ｂ（図９参照）など）が、導光レンズ２（図１〜図４参照）に入光するための入光面２ａ３（図４（Ｂ）参照）が、導光レンズ２の入光部側２Ａ（図４（Ａ）参照）に形成されている。また、導光レンズ２の入光面２ａ３を透過した光を反射するための反射面２ｂ２（図４（Ｂ）参照）が、導光レンズ２の入光部側２Ａ（図４（Ａ）参照）に形成されている。更に、ＬＥＤ光源１−１の発光中心から照射され、導光レンズ２の入光面２ａ３を透過し、導光レンズ２の反射面２ｂ２によって反射され、平面Ｓ１内を進む光が、ＬＥＤ光源１−１の光軸１−１’に平行な光になるように、導光レンズ２の入光面２ａ３および反射面２ｂ２が設定されている。
【０１３７】
また、第１の実施形態のカメラ用ＬＥＤ照明装置１００では、ＬＥＤ光源１−１（図１（Ａ）、図２（Ｂ）および図４参照）から照射され、導光レンズ２（図１〜図４参照）の入光面２ａ１（図４（Ｂ）参照）を透過した光の一部を、撮像レンズ鏡胴Ａ１（図１（Ａ）、図２（Ｂ）および図４（Ａ）参照）の中心軸線Ａ１’（図１（Ａ）、図２（Ｂ）および図４（Ａ）参照）から離れる側（図４（Ｂ）の右側）に反射するための反射面２ｃ１（図４（Ｂ）参照）が、導光レンズ２の入光部側２Ａ（図４（Ａ）参照）とは反対側の導光レンズ２の出光部側２Ｂ（図４（Ａ）参照）に形成されている。更に、ＬＥＤ光源１−１から照射され、導光レンズ２の入光面２ａ１を透過し、導光レンズ２の反射面２ｃ１によって反射された光が、導光レンズ２から出光するための出光面２ｄ１（図４（Ｂ）参照）が、導光レンズ２の出光部側２Ｂに形成されている。また、ＬＥＤ光源１−１から照射され、導光レンズ２の入光面２ａ１を透過した光の他の一部が、導光レンズ２から出光するための出光面２ｄ２（図４（Ｂ）参照）が、導光レンズ２の出光部側２Ｂに形成されている。
【０１３８】
詳細には、第１の実施形態のカメラ用ＬＥＤ照明装置１００では、図５（Ａ）に示すように、ＬＥＤ光源１−１の発光中心からＬＥＤ光源１−１の光軸１−１’に沿って照射され、導光レンズ２の入光面２ａ１を透過してＬＥＤ光源１−１の光軸１−１’に沿って進み、導光レンズ２の反射面２ｃ１によって反射され、導光レンズ２の出光面２ｄ１を透過し、平面Ｓ１（図１（Ａ）参照）内を進む光Ｌ０（図５（Ａ）および図１２（Ａ）参照）が、ＬＥＤ光源１−１の光軸１−１’と角度θ２（例えば５６°）をなして、広角の撮像レンズＡ２（図２（Ｂ）および図１４参照）の視野範囲ＶＲ（図１２および図１３参照）の周縁部分ＶＲ２（図１２および図１３参照）に照射される。
【０１３９】
また、第１の実施形態のカメラ用ＬＥＤ照明装置１００では、図５（Ｂ）に示すように、ＬＥＤ光源１−１の発光中心からＬＥＤ光源１−１の光軸１−１’と例えば１０°の角度をなして撮像レンズ鏡胴Ａ１（図１（Ａ）、図２（Ｂ）および図４（Ａ）参照）の中心軸線Ａ１’（図１（Ａ）、図２（Ｂ）および図４（Ａ）参照）に近づく側（図５（Ｂ）の左側）に照射され、導光レンズ２の入光面２ａ１を透過してＬＥＤ光源１−１の光軸１−１’に平行に進み、導光レンズ２の反射面２ｃ１によって反射され、導光レンズ２の出光面２ｄ１を透過し、平面Ｓ１（図１（Ａ）参照）内を進む光Ｌ１ａ（図５（Ｂ）および図１２（Ａ）参照）が、ＬＥＤ光源１−１の光軸１−１’と角度θ２ａ（例えば４４°）をなして、広角の撮像レンズＡ２（図２（Ｂ）および図１４参照）の視野範囲ＶＲ（図１２および図１３参照）の周縁部分ＶＲ２（図１２および図１３参照）に照射される。
【０１４０】
更に、第１の実施形態のカメラ用ＬＥＤ照明装置１００では、図６（Ａ）に示すように、ＬＥＤ光源１−１の発光中心からＬＥＤ光源１−１の光軸１−１’と例えば１０°の角度をなして撮像レンズ鏡胴Ａ１（図１（Ａ）、図２（Ｂ）および図４（Ａ）参照）の中心軸線Ａ１’（図１（Ａ）、図２（Ｂ）および図４（Ａ）参照）から離れる側（図６（Ａ）の右側）に照射され、導光レンズ２の入光面２ａ１を透過してＬＥＤ光源１−１の光軸１−１’に平行に進み、導光レンズ２の反射面２ｃ１によって反射され、導光レンズ２の出光面２ｄ１を透過し、平面Ｓ１（図１（Ａ）参照）内を進む光Ｌ１ｂ（図６（Ａ）および図１２（Ａ）参照）が、ＬＥＤ光源１−１の光軸１−１’と角度θ２ｂ（例えば７２°）をなして、広角の撮像レンズＡ２（図２（Ｂ）および図１４参照）の視野範囲ＶＲ（図１２および図１３参照）の周縁部分ＶＲ２（図１２および図１３参照）に照射される。
【０１４１】
また、第１の実施形態のカメラ用ＬＥＤ照明装置１００では、図６（Ｂ）に示すように、ＬＥＤ光源１−１の発光中心からＬＥＤ光源１−１の光軸１−１’と例えば２０°の角度をなして撮像レンズ鏡胴Ａ１（図１（Ａ）、図２（Ｂ）および図４（Ａ）参照）の中心軸線Ａ１’（図１（Ａ）、図２（Ｂ）および図４（Ａ）参照）から離れる側（図６（Ｂ）の右側）に照射され、導光レンズ２の入光面２ａ１を透過してＬＥＤ光源１−１の光軸１−１’に平行に進み、導光レンズ２の反射面２ｃ１によって反射され、導光レンズ２の出光面２ｄ１を透過し、平面Ｓ１（図１（Ａ）参照）内を進む光Ｌ２ｂ（図６（Ｂ）および図１２（Ａ）参照）が、ＬＥＤ光源１−１の光軸１−１’と角度θ２ｃ（例えば６４°）をなして、広角の撮像レンズＡ２（図２（Ｂ）および図１４参照）の視野範囲ＶＲ（図１２および図１３参照）の周縁部分ＶＲ２（図１２および図１３参照）に照射される。
【０１４２】
一方、第１の実施形態のカメラ用ＬＥＤ照明装置１００では、図７（Ａ）に示すように、ＬＥＤ光源１−１の発光中心からＬＥＤ光源１−１の光軸１−１’と例えば３０°の角度をなして撮像レンズ鏡胴Ａ１（図１（Ａ）、図２（Ｂ）および図４（Ａ）参照）の中心軸線Ａ１’（図１（Ａ）、図２（Ｂ）および図４（Ａ）参照）から離れる側（図７（Ａ）の右側）に照射され、導光レンズ２の入光面２ａ１を透過してＬＥＤ光源１−１の光軸１−１’に平行に進み、導光レンズ２の出光面２ｄ２を透過し、平面Ｓ１（図１（Ａ）参照）内を進む光Ｌ３ｂ（図７（Ａ）および図１２（Ａ）参照）が、ＬＥＤ光源１−１の光軸１−１’と角度θ２，θ２ａ，θ２ｂ，θ２ｃ（図５および図６参照）より小さい角度θ３（例えば６°）をなして、広角の撮像レンズＡ２（図２（Ｂ）および図１４参照）の視野範囲ＶＲ（図１２および図１３参照）の中央部分ＶＲ１（図１２および図１３参照）に照射される。
【０１４３】
つまり、第１の実施形態のカメラ用ＬＥＤ照明装置１００では、導光レンズ２（図５および図６参照）の反射面２ｃ１（図５および図６参照）によって反射され、導光レンズ２の出光面２ｄ１（図５および図６参照）を介して導光レンズ２から出光し、平面Ｓ１（図１（Ａ）参照）内を進む光Ｌ０，Ｌ１ａ，Ｌ１ｂ，Ｌ２ｂ（図５、図６および図１２（Ａ）参照）が、導光レンズ２（図７（Ａ）参照）の出光面２ｄ２（図７（Ａ）参照）を介して導光レンズ２（図７（Ａ）参照）から出光し、平面Ｓ１（図１（Ａ）参照）内を進む光Ｌ３ｂ（図７（Ａ）および図１２（Ａ）参照）よりも、ＬＥＤ光源１−１（図１（Ａ）および図４参照）の光軸１−１’（図１（Ａ）および図４参照）および撮像レンズ鏡胴Ａ１（図１および図４（Ａ）参照）の中心軸線Ａ１’（図１および図４（Ａ）参照）と大きい角度θ２，θ２ａ，θ２ｂ，θ２ｃ（図５および図６参照）をなして、広角の撮像レンズＡ２（図２（Ｂ）および図１４参照）の視野範囲ＶＲ（図１２および図１３参照）の周縁部分ＶＲ２（図１２および図１３参照）に照射される。
【０１４４】
すなわち、第１の実施形態のカメラ用ＬＥＤ照明装置１００によれば、導光レンズ２（図５および図６参照）の反射面２ｃ１（図５および図６参照）によって反射され、導光レンズ２の出光面２ｄ１（図５および図６参照）を介して導光レンズ２から出光し、平面Ｓ１（図１（Ａ）参照）内を進む光Ｌ０，Ｌ１ａ，Ｌ１ｂ，Ｌ２ｂ（図５および図６参照）を、広角の撮像レンズＡ２（図２（Ｂ）および図１４参照）の視野範囲ＶＲ（図１２および図１３参照）の周縁部分ＶＲ２（図１２および図１３参照）に照射することができる。
【０１４５】
更に、第１の実施形態のカメラ用ＬＥＤ照明装置１００では、ＬＥＤ光源１−１（図１（Ａ）、図２（Ｂ）および図４参照）から照射され、導光レンズ２（図１〜図４参照）の入光面２ａ２（図４（Ｂ）参照）を透過し、導光レンズ２の反射面２ｂ１（図４（Ｂ）参照）によって反射された光の一部を、撮像レンズ鏡胴Ａ１（図１（Ａ）、図２（Ｂ）および図４（Ａ）参照）の中心軸線Ａ１’（図１（Ａ）、図２（Ｂ）および図４（Ａ）参照）から離れる側（図４（Ｂ）の右側）に反射するための反射面２ｃ２（図４（Ｂ）参照）が、導光レンズ２の出光部側２Ｂ（図４（Ａ）参照）に形成されている。また、ＬＥＤ光源１−１から照射され、導光レンズ２の入光面２ａ２を透過し、導光レンズ２の反射面２ｂ１によって反射され、導光レンズ２の反射面２ｃ２によって反射された光が、導光レンズ２から出光するための出光面２ｄ３（図４（Ｂ）参照）が、導光レンズ２の出光部側２Ｂに形成されている。更に、ＬＥＤ光源１−１から照射され、導光レンズ２の入光面２ａ２を透過し、導光レンズ２の反射面２ｂ１によって反射された光の他の一部が、導光レンズ２から出光するための出光面２ｄ４（図４（Ｂ）参照）が、導光レンズ２の出光部側２Ｂに形成されている。
【０１４６】
詳細には、第１の実施形態のカメラ用ＬＥＤ照明装置１００では、図７（Ｂ）に示すように、ＬＥＤ光源１−１の発光中心からＬＥＤ光源１−１の光軸１−１’と例えば４０°の角度をなして撮像レンズ鏡胴Ａ１（図１（Ａ）、図２（Ｂ）および図４（Ａ）参照）の中心軸線Ａ１’（図１（Ａ）、図２（Ｂ）および図４（Ａ）参照）に近づく側（図７（Ｂ）の左側）に照射され、導光レンズ２の入光面２ａ２を透過し、導光レンズ２の反射面２ｂ１によって反射されてＬＥＤ光源１−１の光軸１−１’に平行に進み、導光レンズ２の反射面２ｃ２によって反射され、導光レンズ２の出光面２ｄ３を透過し、平面Ｓ１（図１（Ａ）参照）内を進む光Ｌ４ａ（図７（Ｂ）および図１２（Ａ）参照）が、ＬＥＤ光源１−１の光軸１−１’と角度θ４（例えば４２°）をなして、広角の撮像レンズＡ２（図２（Ｂ）および図１４参照）の視野範囲ＶＲ（図１２および図１３参照）の周縁部分ＶＲ２（図１２および図１３参照）に照射される。
【０１４７】
一方、第１の実施形態のカメラ用ＬＥＤ照明装置１００では、図８（Ａ）に示すように、ＬＥＤ光源１−１の発光中心からＬＥＤ光源１−１の光軸１−１’と例えば５０°の角度をなして撮像レンズ鏡胴Ａ１（図１（Ａ）、図２（Ｂ）および図４（Ａ）参照）の中心軸線Ａ１’（図１（Ａ）、図２（Ｂ）および図４（Ａ）参照）に近づく側（図８（Ａ）の左側）に照射され、導光レンズ２の入光面２ａ２を透過し、導光レンズ２の反射面２ｂ１によって反射されてＬＥＤ光源１−１の光軸１−１’に平行に進み、導光レンズ２の出光面２ｄ４を透過し、平面Ｓ１（図１（Ａ）参照）内を進む光Ｌ５ａ（図８（Ａ）および図１２（Ｂ）参照）が、ＬＥＤ光源１−１の光軸１−１’と角度θ４（図７（Ｂ）参照）より小さい角度θ５（例えば３５°）をなして、広角の撮像レンズＡ２（図２（Ｂ）および図１４参照）の視野範囲ＶＲ（図１２および図１３参照）の中央部分ＶＲ１（図１２および図１３参照）に照射される。
【０１４８】
つまり、第１の実施形態のカメラ用ＬＥＤ照明装置１００では、導光レンズ２（図７（Ｂ）参照）の反射面２ｃ２（図７（Ｂ）参照）によって反射され、導光レンズ２の出光面２ｄ３（図７（Ｂ）参照）を介して導光レンズ２から出光し、平面Ｓ１（図１（Ａ）参照）内を進む光Ｌ４ａ（図７（Ｂ）および図１２（Ａ）参照）が、導光レンズ２（図８（Ａ）参照）の出光面２ｄ４（図８（Ａ）参照）を介して導光レンズ２から出光し、平面Ｓ１（図１（Ａ）参照）内を進む光Ｌ５ａ（図８（Ａ）および図１２（Ｂ）参照）よりも、ＬＥＤ光源１−１（図１（Ａ）および図４参照）の光軸１−１’（図１（Ａ）および図４参照）および撮像レンズ鏡胴Ａ１（図１および図４（Ａ）参照）の中心軸線Ａ１’（図１および図４（Ａ）参照）と大きい角度θ４（図７（Ｂ）参照）をなして、広角の撮像レンズＡ２（図２（Ｂ）および図１４参照）の視野範囲ＶＲ（図１２および図１３参照）の周縁部分ＶＲ２（図１２および図１３参照）に照射される。
【０１４９】
すなわち、第１の実施形態のカメラ用ＬＥＤ照明装置１００によれば、導光レンズ２（図７（Ｂ）参照）の反射面２ｃ２（図７（Ｂ）参照）によって反射され、導光レンズ２の出光面２ｄ３（図７（Ｂ）参照）を介して導光レンズ２から出光し、平面Ｓ１（図１（Ａ）参照）内を進む光Ｌ４ａ（図７（Ｂ）参照）を、広角の撮像レンズＡ２（図２（Ｂ）および図１４参照）の視野範囲ＶＲ（図１２および図１３参照）の周縁部分ＶＲ２（図１２および図１３参照）に照射することができる。
【０１５０】
また、第１の実施形態のカメラ用ＬＥＤ照明装置１００では、ＬＥＤ光源１−１（図１（Ａ）、図２（Ｂ）および図４参照）から照射され、導光レンズ２（図１〜図４参照）の入光面２ａ３（図４（Ｂ）参照）を透過し、導光レンズ２の反射面２ｂ２（図４（Ｂ）参照）によって反射された光の一部を、撮像レンズ鏡胴Ａ１（図１（Ａ）、図２（Ｂ）および図４（Ａ）参照）の中心軸線Ａ１’（図１（Ａ）、図２（Ｂ）および図４（Ａ）参照）から離れる側（図４（Ｂ）の右側）に反射するための反射面２ｃ３（図４（Ｂ）参照）が、導光レンズ２の出光部側２Ｂ（図４（Ａ）参照）に形成されている。更に、ＬＥＤ光源１−１から照射され、導光レンズ２の入光面２ａ３を透過し、導光レンズ２の反射面２ｂ２によって反射され、導光レンズ２の反射面２ｃ３によって反射された光が、導光レンズ２から出光するための出光面２ｄ５（図４（Ｂ）参照）が、導光レンズ２の出光部側２Ｂに形成されている。また、ＬＥＤ光源１−１から照射され、導光レンズ２の入光面２ａ３を透過し、導光レンズ２の反射面２ｂ２によって反射された光の他の一部が、導光レンズ２から出光するための出光面２ｄ６（図４（Ｂ）参照）が、導光レンズ２の出光部側２Ｂに形成されている。
【０１５１】
詳細には、第１の実施形態のカメラ用ＬＥＤ照明装置１００では、図８（Ｂ）に示すように、ＬＥＤ光源１−１の発光中心からＬＥＤ光源１−１の光軸１−１’と例えば５０°の角度をなして撮像レンズ鏡胴Ａ１（図１（Ａ）、図２（Ｂ）および図４（Ａ）参照）の中心軸線Ａ１’（図１（Ａ）、図２（Ｂ）および図４（Ａ）参照）から離れる側（図８（Ｂ）の右側）に照射され、導光レンズ２の入光面２ａ３を透過し、導光レンズ２の反射面２ｂ２によって反射されてＬＥＤ光源１−１の光軸１−１’に平行に進み、導光レンズ２の反射面２ｃ３によって反射され、導光レンズ２の出光面２ｄ５を透過し、平面Ｓ１（図１（Ａ）参照）内を進む光Ｌ５ｂ（図８（Ｂ）および図１２（Ａ）参照）が、ＬＥＤ光源１−１の光軸１−１’と角度θ６（例えば７９°）をなして、広角の撮像レンズＡ２（図２（Ｂ）および図１４参照）の視野範囲ＶＲ（図１２および図１３参照）の周縁部分ＶＲ２（図１２および図１３参照）に照射される。
【０１５２】
一方、第１の実施形態のカメラ用ＬＥＤ照明装置１００では、図９（Ａ）に示すように、ＬＥＤ光源１−１の発光中心からＬＥＤ光源１−１の光軸１−１’と例えば４０°の角度をなして撮像レンズ鏡胴Ａ１（図１（Ａ）、図２（Ｂ）および図４（Ａ）参照）の中心軸線Ａ１’（図１（Ａ）、図２（Ｂ）および図４（Ａ）参照）から離れる側（図９（Ａ）の右側）に照射され、導光レンズ２の入光面２ａ３を透過し、導光レンズ２の反射面２ｂ２によって反射されてＬＥＤ光源１−１の光軸１−１’に平行に進み、導光レンズ２の出光面２ｄ６を透過し、平面Ｓ１（図１（Ａ）参照）内を進む光Ｌ４ｂ（図９（Ａ）および図１２（Ａ）参照）が、ＬＥＤ光源１−１の光軸１−１’と角度θ６（図８（Ｂ）参照）より小さい角度θ７（例えば２９°）をなして、広角の撮像レンズＡ２（図２（Ｂ）および図１４参照）の視野範囲ＶＲ（図１２および図１３参照）の中央部分ＶＲ１（図１２および図１３参照）に照射される。
【０１５３】
つまり、第１の実施形態のカメラ用ＬＥＤ照明装置１００では、導光レンズ２（図８（Ｂ）参照）の反射面２ｃ３（図８（Ｂ）参照）によって反射され、導光レンズ２の出光面２ｄ５（図８（Ｂ）参照）を介して導光レンズ２から出光し、平面Ｓ１（図１（Ａ）参照）内を進む光Ｌ５ｂ（図８（Ｂ）および図１２（Ａ）参照）が、導光レンズ２（図９（Ａ）参照）の出光面２ｄ６（図９（Ａ）参照）を介して導光レンズ２から出光し、平面Ｓ１（図１（Ａ）参照）内を進む光Ｌ４ｂ（図９（Ａ）および図１２（Ａ）参照）よりも、ＬＥＤ光源１−１（図１（Ａ）および図４参照）の光軸１−１’（図１（Ａ）および図４参照）および撮像レンズ鏡胴Ａ１（図１および図４（Ａ）参照）の中心軸線Ａ１’（図１および図４（Ａ）参照）と大きい角度θ６（図８（Ｂ）参照）をなして、広角の撮像レンズＡ２（図２（Ｂ）および図１４参照）の視野範囲ＶＲ（図１２および図１３参照）の周縁部分ＶＲ２（図１２および図１３参照）に照射される。
【０１５４】
すなわち、第１の実施形態のカメラ用ＬＥＤ照明装置１００によれば、導光レンズ２（図８（Ｂ）参照）の反射面２ｃ３（図８（Ｂ）参照）によって反射され、導光レンズ２の出光面２ｄ５（図８（Ｂ）参照）を介して導光レンズ２から出光し、平面Ｓ１（図１（Ａ）参照）内を進む光Ｌ５ｂ（図８（Ｂ）参照）を、広角の撮像レンズＡ２（図２（Ｂ）および図１４参照）の視野範囲ＶＲ（図１２および図１３参照）の周縁部分ＶＲ２（図１２および図１３参照）に照射することができる。
【０１５５】
更に、第１の実施形態のカメラ用ＬＥＤ照明装置１００では、角度θ２（図５（Ａ）参照）と角度θ４（図７（Ｂ）参照）と角度θ６（図８（Ｂ）参照）とが互いに異なる値になるように、導光レンズ２（図４（Ｂ）参照）の反射面２ｃ１（図４（Ｂ）参照）、出光面２ｄ１（図４（Ｂ）参照）、反射面２ｃ２（図４（Ｂ）参照）、出光面２ｄ３（図４（Ｂ）参照）、反射面２ｃ３（図４（Ｂ）参照）および出光面２ｄ５（図４（Ｂ）参照）が設定されている。
【０１５６】
そのため、第１の実施形態のカメラ用ＬＥＤ照明装置１００によれば、導光レンズ２（図４（Ｂ）参照）の出光面２ｄ１（図４（Ｂ）参照）を介して導光レンズ２から出光して平面Ｓ１（図１（Ａ）参照）内を進む光Ｌ０（図５（Ｂ）および図１２（Ａ）参照）と、導光レンズ２の出光面２ｄ３（図４（Ｂ）参照）を介して導光レンズ２から出光して平面Ｓ１内を進む光Ｌ４ａ（図７（Ｂ）および図１２（Ａ）参照）と、導光レンズ２の出光面２ｄ５（図４（Ｂ）参照）を介して導光レンズ２から出光して平面Ｓ１内を進む光Ｌ５ｂ（図８（Ｂ）および図１２（Ａ）参照）とを、広角の撮像レンズＡ２（図２（Ｂ）および図１４参照）の視野範囲ＶＲ（図１２参照）の周縁部分ＶＲ２（図１２参照）のうち、径方向（図１２の左右方向）の異なる位置に照射することができる。
【０１５７】
また、第１の実施形態のカメラ用ＬＥＤ照明装置１００では、角度θ３（図７（Ａ）参照）と角度θ５（図８（Ａ）参照）と角度θ７（図９（Ａ）参照）とが互いに異なる値になるように、導光レンズ２（図４（Ｂ）参照）の出光面２ｄ２（図４（Ｂ）参照）、出光面２ｄ４（図４（Ｂ）参照）および出光面２ｄ６（図４（Ｂ）参照）が設定されている。
【０１５８】
そのため、第１の実施形態のカメラ用ＬＥＤ照明装置１００によれば、導光レンズ２（図４（Ｂ）参照）の出光面２ｄ２（図４（Ｂ）参照）を介して導光レンズ２から出光して平面Ｓ１（図１（Ａ）参照）内を進む光Ｌ３ｂ（図７（Ａ）および図１２（Ａ）参照）と、導光レンズ２の出光面２ｄ４（図４（Ｂ）参照）を介して導光レンズ２から出光して平面Ｓ１内を進む光Ｌ５ａ（図８（Ａ）および図１２（Ｂ）参照）と、導光レンズ２の出光面２ｄ６（図４（Ｂ）参照）を介して導光レンズ２から出光して平面Ｓ１内を進む光Ｌ４ｂ（図９（Ａ）および図１２（Ａ）参照）とを、広角の撮像レンズＡ２（図２（Ｂ）および図１４参照）の視野範囲ＶＲ（図１２参照）の中央部分ＶＲ１（図１２参照）のうち、径方向（図１２の左右方向）の異なる位置に照射することができる。
【０１５９】
更に、第１の実施形態のカメラ用ＬＥＤ照明装置１００では、複数のＬＥＤ光源１−１，…，１−２１，…，１−４０（図１（Ａ）、図２（Ｂ）および図３参照）が撮像レンズ鏡胴Ａ１（図１、図２（Ｂ）および図４（Ａ）参照）の中心軸線Ａ１’（図１、図２（Ｂ）および図４（Ａ）参照）を中心とする円Ｃ１（図１（Ａ）および図３参照）上に配列されると共に、撮像レンズ鏡胴Ａ１の中心軸線Ａ１’を中心とする回転体形状に導光レンズ２（図１〜図４参照）が形成されている。
【０１６０】
つまり、第１の実施形態のカメラ用ＬＥＤ照明装置１００では、複数のＬＥＤ光源１−１，…，１−２１，…，１−４０（図１（Ａ）、図２（Ｂ）および図３参照）からの光のそれぞれが、広角の撮像レンズＡ２（図２（Ｂ）および図１４参照）の視野範囲ＶＲ（図１３参照）の中央部分ＶＲ１（図１３参照）および周縁部分ＶＲ２（図１３参照）のうち、周方向の異なる位置に照射される。
【０１６１】
そのため、第１の実施形態のカメラ用ＬＥＤ照明装置１００によれば、複数のＬＥＤ光源１−１，…，１−２１，…，１−４０（図１（Ａ）、図２（Ｂ）および図３参照）からの光を、広角の撮像レンズＡ２（図２（Ｂ）および図１４参照）の視野範囲ＶＲ（図１２および図１３参照）の中央部分ＶＲ１（図１２および図１３参照）および周縁部分ＶＲ２（図１２および図１３参照）の全体に照射することができる。すなわち、第１の実施形態のカメラ用ＬＥＤ照明装置１００によれば、複数のＬＥＤ光源１−１，…，１−２１，…，１−４０（図１（Ａ）、図２（Ｂ）および図３参照）からの光を、広角の撮像レンズＡ２（図２（Ｂ）および図１４参照）の視野範囲ＶＲ（図１２および図１３参照）の径方向および周方向の全体に照射することができる。
【０１６２】
更に、第１の実施形態のカメラ用ＬＥＤ照明装置１００では、ＬＥＤ光源１−１（図１（Ａ）、図２（Ｂ）および図４参照）から照射され、導光レンズ２（図１〜図４参照）の入光面２ａ３（図４（Ｂ）参照）を透過し、導光レンズ２の反射面２ｂ２（図４（Ｂ）参照）によって反射された光の一部を、撮像レンズ鏡胴Ａ１（図１（Ａ）、図２（Ｂ）および図４（Ａ）参照）の中心軸線Ａ１’（図１（Ａ）、図２（Ｂ）および図４（Ａ）参照）から離れる側（図４（Ｂ）の右側）に反射するための反射面２ｃ４（図４（Ｂ）参照）が、導光レンズ２の出光部側２Ｂ（図４（Ａ）参照）の反射面２ｃ１（図４（Ｂ）参照）と反射面２ｃ３（図４（Ｂ）参照）との間に形成されている。また、ＬＥＤ光源１−１から照射され、導光レンズ２の入光面２ａ３を透過し、導光レンズ２の反射面２ｂ２によって反射され、導光レンズ２の反射面２ｃ４によって反射された光が、導光レンズ２から出光するための出光面２ｄ７（図４（Ｂ）参照）が、導光レンズ２の出光部側２Ｂに形成されている。
【０１６３】
詳細には、第１の実施形態のカメラ用ＬＥＤ照明装置１００では、図９（Ｂ）に示すように、ＬＥＤ光源１−１の発光中心からＬＥＤ光源１−１の光軸１−１’と例えば８０°の角度をなして撮像レンズ鏡胴Ａ１（図１（Ａ）、図２（Ｂ）および図４（Ａ）参照）の中心軸線Ａ１’（図１（Ａ）、図２（Ｂ）および図４（Ａ）参照）から離れる側（図９（Ｂ）の右側）に照射され、導光レンズ２の入光面２ａ３を透過し、導光レンズ２の反射面２ｂ２によって反射されてＬＥＤ光源１−１の光軸１−１’に平行に進み、導光レンズ２の反射面２ｃ４によって反射され、導光レンズ２の出光面２ｄ７を透過し、平面Ｓ１（図１（Ａ）参照）内を進む光Ｌ８ｂ（図９（Ｂ）および図１２（Ａ）参照）が、導光レンズ２の出光面２ｄ６を介して導光レンズ２に入光し、導光レンズ２の出光面２ｄ５を透過して導光レンズ２から出光し、ＬＥＤ光源１−１の光軸１−１’と９０°より大きい角度θ８（例えば９５°）をなし、撮像レンズ鏡胴Ａ１の中心軸線Ａ１’から離れる側（図９（Ｂ）の右側）であって、導光レンズ２の入光部側２Ａ（図９（Ｂ）の上側）に照射される。
【０１６４】
そのため、第１の実施形態のカメラ用ＬＥＤ照明装置１００によれば、図１２に示すように視野角が１８０°の広角の撮像レンズＡ２（図２（Ｂ）および図１４参照）を有するカメラに、第１の実施形態のカメラ用ＬＥＤ照明装置１００が適用される場合であっても、導光レンズ２（図４（Ｂ）参照）の出光面２ｄ５（図４（Ｂ）参照）を透過して導光レンズ２から出光する光Ｌ５ｂ，Ｌ８ｂ（図８（Ｂ）、図９（Ｂ）および図１２（Ａ）参照）によって、撮像レンズＡ２の視野範囲ＶＲ（図１２参照）の径方向の最も外側の部分（つまり、撮像レンズＡ２の視野範囲ＶＲの周縁部分ＶＲ２（図１２参照）の外縁部ＶＲ２ａ（図１２参照））を十分に明るく照らすことができる。
【０１６５】
更に詳細には、第１の実施形態のカメラ用ＬＥＤ照明装置１００では、ＬＥＤ光源１−１（図１（Ａ）、図２（Ｂ）および図４参照）から照射され、導光レンズ２（図４（Ｂ）参照）の入光面２ａ３（図４（Ｂ）参照）を透過し、導光レンズ２の反射面２ｂ２（図４（Ｂ）参照）によって反射され、導光レンズ２の出光面２ｄ５（図４（Ｂ）参照）を透過して導光レンズ２から出光した光の一部Ｌ１−１（図１３（Ａ）参照）が、撮像レンズＡ２（図２（Ｂ）および図１４参照）の視野範囲ＶＲ（図１３参照）の径方向の最も外側の部分（つまり、撮像レンズＡ２の視野範囲ＶＲの周縁部分ＶＲ２（図１３参照）の外縁部ＶＲ２ａ（図１３参照））のうち、平面Ｓ１（図１（Ａ）および図１３参照）と、ＬＥＤ光源１−１の隣のＬＥＤ光源１−２（図１（Ａ）および図３参照）の光軸１−２’（図１（Ａ）参照）と撮像レンズ鏡胴Ａ１（図１（Ａ）参照）の中心軸線Ａ１’（図１（Ａ）参照）とを含む平面Ｓ１’（図１（Ａ）および図１３参照）との間の中間領域ＭＡ（図１３参照）に照射されると共に、ＬＥＤ光源１−２（図１（Ａ）および図３参照）から照射され、導光レンズ２の入光面２ａ３を透過し、導光レンズ２の反射面２ｂ２によって反射され、導光レンズ２の出光面２ｄ５を透過して導光レンズ２から出光した光の一部Ｌ１−２（図１３（Ｂ）参照）が、その中間領域ＭＡ（図１３参照）に照射される。
【０１６６】
そのため、第１の実施形態のカメラ用ＬＥＤ照明装置１００によれば、撮像レンズＡ２（図２（Ｂ）および図１４参照）の視野範囲ＶＲ（図１３参照）のうち、ＬＥＤ光源１−１（図１（Ａ）および図３参照）と隣のＬＥＤ光源１−２（図１（Ａ）および図３参照）との間の径方向の最も外側の部分（つまり、平面Ｓ１（図１（Ａ）および図１３参照）と平面Ｓ１’（図１（Ａ）および図１３参照）との間の中間領域ＭＡ（図１３参照））が、平面Ｓ１上の撮像レンズＡ２の視野範囲ＶＲの周縁部分ＶＲ２の外縁部ＶＲ２ａ、あるいは、平面Ｓ１’上の撮像レンズＡ２の視野範囲ＶＲの周縁部分ＶＲ２の外縁部ＶＲ２ａよりも暗くなってしまうのを回避することができる。
【０１６７】
換言すれば、第１の実施形態のカメラ用ＬＥＤ照明装置１００によれば、図１２に示すように視野角が１８０°の広角の撮像レンズＡ２（図２（Ｂ）および図１４参照）を有するカメラに、第１の実施形態のカメラ用ＬＥＤ照明装置１００が適用される場合であっても、複数のＬＥＤ光源１−１，…，１−２１，…，１−４０（図１（Ａ）、図２（Ｂ）および図３参照）から照射され、導光レンズ２（図４（Ｂ）参照）の出光面２ｄ５（図４（Ｂ）参照）を透過して導光レンズ２から出光する光によって、撮像レンズＡ２の視野範囲ＶＲ（図１３参照）の径方向の最も外側の部分（つまり、撮像レンズＡ２の視野範囲ＶＲの周縁部分ＶＲ２（図１３参照）の外縁部ＶＲ２ａ（図１３参照））を周方向に均一の明るさで照らすことができる。
【０１６８】
また、第１の実施形態のカメラ用ＬＥＤ照明装置１００では、図１０（Ａ）に示すように、ＬＥＤ光源１−１の発光中心からＬＥＤ光源１−１の光軸１−１’と例えば２０°の角度をなして撮像レンズ鏡胴Ａ１（図１（Ａ）、図２（Ｂ）および図４（Ａ）参照）の中心軸線Ａ１’（図１（Ａ）、図２（Ｂ）および図４（Ａ）参照）に近づく側（図１０（Ａ）の左側）に照射され、導光レンズ２の入光面２ａ１を透過してＬＥＤ光源１−１の光軸１−１’に平行に進み、導光レンズ２の反射面２ｃ１によって反射され、導光レンズ２の出光面２ｄ１を透過し、平面Ｓ１（図１（Ａ）参照）内を進む光Ｌ２ａ（図１０（Ａ）および図１２（Ｂ）参照）が、導光レンズ２の反射面２ｃ４を介して導光レンズ２に入光し、導光レンズ２の出光面２ｄ７を透過して導光レンズ２から出光し、ＬＥＤ光源１−１の光軸１−１’と角度θ９（例えば８０°）をなして、広角の撮像レンズＡ２（図２（Ｂ）および図１４参照）の視野範囲ＶＲ（図１２および図１３参照）の周縁部分ＶＲ２（図１２および図１３参照）に照射される。
【０１６９】
更に、第１の実施形態のカメラ用ＬＥＤ照明装置１００では、図１０（Ｂ）に示すように、ＬＥＤ光源１−１の発光中心からＬＥＤ光源１−１の光軸１−１’と例えば３０°の角度をなして撮像レンズ鏡胴Ａ１（図１（Ａ）、図２（Ｂ）および図４（Ａ）参照）の中心軸線Ａ１’（図１（Ａ）、図２（Ｂ）および図４（Ａ）参照）に近づく側（図１０（Ｂ）の左側）に照射され、導光レンズ２の入光面２ａ１を透過してＬＥＤ光源１−１の光軸１−１’に平行に進み、導光レンズ２の反射面２ｃ５によって反射され、導光レンズ２の出光面２ｄ８を透過し、平面Ｓ１（図１（Ａ）参照）内を進む光Ｌ３ａ（図１０（Ｂ）および図１２（Ｂ）参照）が、ＬＥＤ光源１−１の光軸１−１’と角度θ１０（例えば３０°）をなして、広角の撮像レンズＡ２（図２（Ｂ）および図１４参照）の視野範囲ＶＲ（図１２および図１３参照）の中央部分ＶＲ１（図１２および図１３参照）に照射される。
【０１７０】
また、第１の実施形態のカメラ用ＬＥＤ照明装置１００では、図１１（Ａ）に示すように、ＬＥＤ光源１−１の発光中心からＬＥＤ光源１−１の光軸１−１’と例えば６０°の角度をなして撮像レンズ鏡胴Ａ１（図１（Ａ）、図２（Ｂ）および図４（Ａ）参照）の中心軸線Ａ１’（図１（Ａ）、図２（Ｂ）および図４（Ａ）参照）に近づく側（図１１（Ａ）の左側）に照射され、導光レンズ２の入光面２ａ２を透過し、導光レンズ２の反射面２ｂ１によって反射されてＬＥＤ光源１−１の光軸１−１’に平行に進み、導光レンズ２の出光面２ｄ９を透過し、平面Ｓ１（図１（Ａ）参照）内を進む光Ｌ６ａ（図１１（Ａ）および図１２（Ｂ）参照）が、ＬＥＤ光源１−１の光軸１−１’と角度θ１１（例えば１５°）をなして、広角の撮像レンズＡ２（図２（Ｂ）および図１４参照）の視野範囲ＶＲ（図１２および図１３参照）の中央部分ＶＲ１（図１２および図１３参照）に照射される。
【０１７１】
更に、第１の実施形態のカメラ用ＬＥＤ照明装置１００では、図１１（Ｂ）に示すように、ＬＥＤ光源１−１の発光中心からＬＥＤ光源１−１の光軸１−１’と例えば８０°の角度をなして撮像レンズ鏡胴Ａ１（図１（Ａ）、図２（Ｂ）および図４（Ａ）参照）の中心軸線Ａ１’（図１（Ａ）、図２（Ｂ）および図４（Ａ）参照）に近づく側（図１１（Ｂ）の左側）に照射され、導光レンズ２の入光面２ａ２を透過し、導光レンズ２の反射面２ｂ１によって反射されてＬＥＤ光源１−１の光軸１−１’に平行に進み、導光レンズ２の出光面２ｄ９を透過し、平面Ｓ１（図１（Ａ）参照）内を進む光Ｌ８ａ（図１１（Ｂ）および図１２（Ａ）参照）が、ＬＥＤ光源１−１の光軸１−１’と角度θ１２（例えば２１°）をなして、広角の撮像レンズＡ２（図２（Ｂ）および図１４参照）の視野範囲ＶＲ（図１２および図１３参照）の中央部分ＶＲ１（図１２および図１３参照）に照射される。
【０１７２】
第１の実施形態のカメラ用ＬＥＤ照明装置１００の図１〜図４に示す例では、４０個のＬＥＤ光源１−１，…，１−４０（図１（Ａ）および図３参照）が円Ｃ１（図１（Ａ）および図３参照）上に等間隔で配列されているが、第１の実施形態のカメラ用ＬＥＤ照明装置１００の他の例では、代わりに、カメラ２００（図１４参照）のスペック等に応じて、４０個以外の数のＬＥＤ光源１−１，…を円Ｃ１上に配列したり、複数のＬＥＤ光源１−１，…の間隔を互いに異ならせたりすることも可能である。
【０１７３】
以下、本発明のカメラ用ＬＥＤ照明装置の第２の実施形態について説明する。図１５〜図１７は第２の実施形態のカメラ用ＬＥＤ照明装置１００の概略的な構成図である。詳細には、図１５（Ａ）は第２の実施形態のカメラ用ＬＥＤ照明装置１００の概略的な平面図、図１５（Ｂ）は第２の実施形態のカメラ用ＬＥＤ照明装置１００の概略的な正面図、図１５（Ｃ）は第２の実施形態のカメラ用ＬＥＤ照明装置１００の概略的な底面図である。図１６は図１５（Ａ）のＢ１−Ｂ２，Ｂ３−Ｂ４，Ｂ５−Ｂ６線に沿った概略的な断面図である。図１７（Ａ）は図１６の一部の拡大図、図１７（Ｂ）は図１７（Ａ）の一部の拡大図である。
【０１７４】
第２の実施形態のカメラ用ＬＥＤ照明装置１００では、図１５（Ａ）、図１６および図１７に示すように、複数のＬＥＤ光源１−１，１−２，１−３，１−４，１−５，１−６，１−７，１−８，１−９，１−１０，１−１１，１−１２，１−１３，１−１４，１−１５，１−１６，１−１７，１−１８，１−１９，１−２０，１−２１，１−２２，１−２３，１−２４，１−２５，１−２６，１−２７，１−２８，１−２９，１−３０，１−３１，１−３２，１−３３，１−３４，１−３５，１−３６，１−３７，１−３８，１−３９，１−４０，１−４１，１−４２，１−４３，１−４４，１−４５，１−４６，１−４７，１−４８が設けられている。また、第２の実施形態のカメラ用ＬＥＤ照明装置１００が図１４に示すようなカメラ２００に適用される場合には、複数のＬＥＤ光源１−１，…，１−２４，…，１−４８（図１５（Ａ）、図１６および図１７参照）が、カメラ２００の撮像レンズＡ２（図１４および図１６参照）を支持する撮像レンズ鏡胴Ａ１（図１４、図１５（Ａ）および図１６参照）の径方向外側に配置される。
【０１７５】
また、第２の実施形態のカメラ用ＬＥＤ照明装置１００では、複数のＬＥＤ光源１−１，…，１−２４，…，１−４８（図１５（Ａ）、図１６および図１７参照）が、例えば正方形のような正Ｎ角形（Ｎは３以上の整数）の内周および外周を有する基板３（図１６参照）に実装され、ハウジング４（図１５および図１６参照）に収容されている。詳細には、撮像レンズ鏡胴Ａ１（図１６参照）の中心軸線Ａ１’（図１６参照）に垂直な平面Ｓ０（図１６参照）上に位置する例えば正方形のような正Ｎ角形Ｐ１（図１５（Ａ）参照）であって、撮像レンズ鏡胴Ａ１の中心軸線Ａ１’を中心とする正Ｎ角形Ｐ１のＮ本の辺ＳＤ１，ＳＤ２，ＳＤ３，ＳＤ４（図１５（Ａ）参照）上に、複数のＬＥＤ光源１−１，…，１−２４，…，１−４８（図１５、図１６および図１７参照）が、例えば等間隔で配列されている。また、複数のＬＥＤ光源１−１，…，１−２４，…，１−４８の光軸１−１’，…，１−２４’，…（図１６参照）が撮像レンズ鏡胴Ａ１（図１６参照）の中心軸線Ａ１’（図１６参照）に平行に配置されている。
【０１７６】
そのため、第２の実施形態のカメラ用ＬＥＤ照明装置１００によれば、複数のＬＥＤ光源１−１，…，１−２４，…，１−４８の光軸１−１’，…，１−２４’，…のそれぞれが撮像レンズ鏡胴Ａ１の中心軸線Ａ１’に対して異なる角度で傾斜せしめられている場合よりも、複数のＬＥＤ光源１−１，…，１−２４，…，１−４８を配置する工程の煩雑性を低減することができる。
【０１７７】
更に、第２の実施形態のカメラ用ＬＥＤ照明装置１００では、複数のＬＥＤ光源１−１，…，１−２４，…，１−４８（図１５（Ａ）、図１６および図１７参照）からの光を導光して撮像レンズＡ２（図１４および図１６参照）の視野範囲ＶＲ（図１２および図１３参照）に照射するための導光レンズ２（図１５〜図１７参照）が設けられている。また、例えば固定部材５ａ，５ｂ（図１５（Ｂ）、図１５（Ｃ）および図１６参照）によって導光レンズ２がハウジング４（図１５および図１６参照）に固定され、それにより、導光レンズ２が複数のＬＥＤ光源１−１，…，１−２４，…，１−４８に対して位置決めされている。
【０１７８】
また、第２の実施形態のカメラ用ＬＥＤ照明装置１００では、例えば正方形のような正Ｎ角形Ｐ１（図１５（Ａ）参照）のＮ本の辺ＳＤ１，ＳＤ２，ＳＤ３，，ＳＤ４（図１５（Ａ）参照）のそれぞれに平行なＮ個の直線状のレンズ部２−１，２−２，２−３，２−４（図１５（Ｃ）参照）が導光レンズ２（図１５〜図１７参照）に形成されている。また、複数のＬＥＤ光源１−１，…，１−２４，…，１−４８（図１５（Ａ）、図１６および図１７参照）のうちの一のＬＥＤ光源１−１（図１５（Ａ）、図１６および図１７参照）が、正Ｎ角形Ｐ１（図１５（Ａ）参照）の辺ＳＤ１（図１５（Ａ）参照）上に配置されている。
【０１７９】
第２の実施形態のカメラ用ＬＥＤ照明装置１００のＬＥＤ光源１−１（図１５（Ａ）参照）の光軸１−１’（図１５（Ａ）参照）を含む平面Ｓ２（図１５（Ａ）参照）内であって、正Ｎ角形Ｐ１（図１５（Ａ）参照）の辺ＳＤ１（図１５（Ａ）参照）に垂直な平面Ｓ２（図１５（Ａ）参照）内における導光レンズ２のレンズ部２−１（図１５（Ｃ）参照）の入射面２ａ１，２ａ２，２ａ３（図１７（Ｂ）参照）、反射面２ｂ１，２ｂ２，２ｃ１，２ｃ２，２ｃ３，２ｃ４，２ｃ５（図１７（Ｂ）参照）および出光面２ｄ１，２ｄ２，２ｄ３，２ｄ４，２ｄ５，２ｄ６，２ｄ７，２ｄ８，２ｄ９（図１７（Ｂ）参照）の形状が、第１の実施形態のカメラ用ＬＥＤ照明装置１００の平面Ｓ１（図１（Ａ）参照）内における導光レンズ２の入射面２ａ１，２ａ２，２ａ３（図４（Ｂ）参照）、反射面２ｂ１，２ｂ２，２ｃ１，２ｃ２，２ｃ３，２ｃ４，２ｃ５（図４（Ｂ）参照）および出光面２ｄ１，２ｄ２，２ｄ３，２ｄ４，２ｄ５，２ｄ６，２ｄ７，２ｄ８，２ｄ９（図４（Ｂ）参照）の形状と同様に設定されている。
【０１８０】
また、第２の実施形態のカメラ用ＬＥＤ照明装置１００のＬＥＤ光源１−１（図１７（Ｂ）参照）の発光中心から照射され、平面Ｓ２（図１５（Ａ）参照）内を進む光の進み方が、第１の実施形態のカメラ用ＬＥＤ照明装置１００のＬＥＤ光源１−１（図４（Ｂ）参照）の発光中心から照射され、平面Ｓ１（図１（Ａ）参照）内を進む光Ｌ０，Ｌ１ａ（図５参照），Ｌ１ｂ，Ｌ２ｂ（図６参照），Ｌ３ｂ，Ｌ４ａ（図７参照），Ｌ５ａ，Ｌ５ｂ（図８参照），Ｌ４ｂ，Ｌ８ｂ（図９参照），Ｌ２ａ，Ｌ３ａ（図１０参照），Ｌ６ａ，Ｌ８ａ（図１１参照）の進み方と同様になる。
【０１８１】
更に、第２の実施形態のカメラ用ＬＥＤ照明装置１００では、平面Ｓ２（図１５（Ａ）参照）内の導光レンズ２（図１５〜図１７参照）のレンズ部２−１（図１５（Ｃ）参照）の断面形状を辺ＳＤ１（図１５（Ａ）参照）に沿ってスイープする（押し出す）ことにより得られる柱状に、導光レンズ２のレンズ部２−１が形成されている。また、導光レンズ２の他のレンズ部２−２，２−３，２−４（図１５（Ｃ）参照）が導光レンズ２のレンズ部２−１と同一形状に形成されている。更に、撮像レンズ鏡胴Ａ１（図１５（Ｃ）参照）の中心軸線Ａ１’（図１５（Ｃ）参照）を中心に導光レンズ２のレンズ部２−１を（Ｎ−１）回（３６０／Ｎ）°ずつ回転させた位置に、導光レンズ２の他のレンズ部２−２，２−３，２−４のそれぞれを配置することにより、Ｎ個の直線状のレンズ部２−１，２−２，２−３，２−４を有する導光レンズ２が、撮像レンズ鏡胴Ａ１の中心軸線Ａ１’を中心とするＮ回回転対称形状に形成されている。
【０１８２】
また、第２の実施形態のカメラ用ＬＥＤ照明装置１００では、複数のＬＥＤ光源１−１，…，１−２４，…，１−４８（図１５（Ａ）参照）が、撮像レンズ鏡胴Ａ１（図１５（Ａ）参照）の中心軸線Ａ１’（図１５（Ａ）参照）を中心とする正Ｎ角形Ｐ１（図１５（Ａ）参照）のＮ本の辺ＳＤ１，ＳＤ２，ＳＤ３，ＳＤ４（図１５（Ａ）参照）上に配列されると共に、導光レンズ２（図１５（Ｃ）参照）のＮ個の直線状のレンズ部２−１，２−２，２−３，２−４（図１５（Ｃ）参照）が、正Ｎ角形Ｐ１（図１５（Ａ）参照）のＮ本の辺ＳＤ１，ＳＤ２，ＳＤ３，ＳＤ４（図１５（Ａ）参照）のそれぞれに平行に配置されている。
【０１８３】
つまり、第２の実施形態のカメラ用ＬＥＤ照明装置１００では、複数のＬＥＤ光源１−１，…，１−２４，…，１−４８（図１５（Ａ）参照）からの光のそれぞれが、広角の撮像レンズＡ２（図１６参照）の視野範囲ＶＲ（図１２および図１３参照）の中央部分ＶＲ１（図１２および図１３参照）および周縁部分ＶＲ２（図１２および図１３参照）のうち、周方向の異なる位置に照射される。
【０１８４】
そのため、第２の実施形態のカメラ用ＬＥＤ照明装置１００によれば、複数のＬＥＤ光源１−１，…，１−２４，…，１−４８（図１５（Ａ）参照）からの光を、広角の撮像レンズＡ２（図１６参照）の視野範囲ＶＲ（図１２および図１３参照）の中央部分ＶＲ１（図１２および図１３参照）および周縁部分ＶＲ２（図１２および図１３参照）の全体に照射することができる。すなわち、第２の実施形態のカメラ用ＬＥＤ照明装置１００によれば、複数のＬＥＤ光源１−１，…，１−２４，…，１−４８（図１５（Ａ）参照）からの光を、広角の撮像レンズＡ２（図１６参照）の視野範囲ＶＲ（図１２および図１３参照）の径方向および周方向の全体に照射することができる。
【０１８５】
第２の実施形態のカメラ用ＬＥＤ照明装置１００の図１５〜図１７に示す例では、Ｎの数が４に設定されているが、第２の実施形態のカメラ用ＬＥＤ照明装置１００の他の例では、代わりに、Ｎの数を、３以上であって、４以外の任意の整数に設定することが可能である。
【０１８６】
第２の実施形態のカメラ用ＬＥＤ照明装置１００の図１５〜図１７に示す例では、１２個のＬＥＤ光源１−１，…，１−６，１−４３，…，１−４８（図１５（Ａ）参照）が一の辺ＳＤ１（図１５（Ａ）参照）上に等間隔で配列されているが、第２の実施形態のカメラ用ＬＥＤ照明装置１００の更に他の例では、代わりに、カメラ２００（図１４参照）のスペック等に応じて、１２個以外の数のＬＥＤ光源１−１，…を一の辺ＳＤ１上に配列したり、複数のＬＥＤ光源１−１，…の間隔を互いに異ならせたりすることも可能である。
【０１８７】
以下、本発明のカメラ用ＬＥＤ照明装置の第３の実施形態について説明する。図１８〜図２０は第３の実施形態のカメラ用ＬＥＤ照明装置１００の概略的な構成図である。詳細には、図１８（Ａ）は第３の実施形態のカメラ用ＬＥＤ照明装置１００の概略的な平面図、図１８（Ｂ）は第３の実施形態のカメラ用ＬＥＤ照明装置１００の概略的な底面図である。図１９は図１８（Ａ）のＤ１−Ｄ２，Ｄ３−Ｄ４，Ｄ５−Ｄ６線に沿った概略的な断面図である。図２０（Ａ）は図１９の一部の拡大図、図２０（Ｂ）は図２０（Ａ）の一部の拡大図である。
【０１８８】
第３の実施形態のカメラ用ＬＥＤ照明装置１００では、図１８（Ａ）、図１９および図２０に示すように、複数のＬＥＤ光源１−１，１−２，１−３，１−４，１−５，１−６，１−７，１−８，１−９，１−１０，１−１１，１−１２，１−１３，１−１４，１−１５，１−１６，１−１７，１−１８，１−１９，１−２０，１−２１，１−２２，１−２３，１−２４，１−２５，１−２６，１−２７，１−２８，１−２９，１−３０，１−３１，１−３２，１−３３，１−３４，１−３５，１−３６，１−３７，１−３８，１−３９，１−４０が設けられている。また、第３の実施形態のカメラ用ＬＥＤ照明装置１００が図１４に示すようなカメラ２００に適用される場合には、複数のＬＥＤ光源１−１，…，１−２０，…，１−４０（図１８（Ａ）、図１９および図２０参照）が、カメラ２００の撮像レンズＡ２（図１４および図１９参照）を支持する撮像レンズ鏡胴Ａ１（図１４、図１８および図１９参照）の径方向外側に配置される。
【０１８９】
また、第３の実施形態のカメラ用ＬＥＤ照明装置１００では、複数のＬＥＤ光源１−１，…，１−２０，…，１−４０（図１８（Ａ）、図１９および図２０参照）が、例えば正方形のような正Ｎ角形（Ｎは３以上の整数）の内周および外周を有する基板３（図１９参照）に実装され、ハウジング４（図１８および図１９参照）に収容されている。詳細には、撮像レンズ鏡胴Ａ１（図１９参照）の中心軸線Ａ１’（図１９参照）に垂直な平面Ｓ０（図１９参照）上に位置する例えば正方形のような正Ｎ角形Ｐ１（図１８（Ａ）参照）であって、撮像レンズ鏡胴Ａ１の中心軸線Ａ１’を中心とする正Ｎ角形Ｐ１のＮ本の辺ＳＤ１，ＳＤ２，ＳＤ３，ＳＤ４（図１８（Ａ）参照）上に、複数のＬＥＤ光源１−１，…，１−２０，…，１−４０（図１８、図１９および図２０参照）が、例えば等間隔で配列されている。また、複数のＬＥＤ光源１−１，…，１−２０，…，１−４０の光軸１−１’，…，１−２０’，…（図１９参照）が撮像レンズ鏡胴Ａ１（図１９参照）の中心軸線Ａ１’（図１９参照）に平行に配置されている。
【０１９０】
そのため、第３の実施形態のカメラ用ＬＥＤ照明装置１００によれば、複数のＬＥＤ光源１−１，…，１−２０，…，１−４０の光軸１−１’，…，１−２０’，…のそれぞれが撮像レンズ鏡胴Ａ１の中心軸線Ａ１’に対して異なる角度で傾斜せしめられている場合よりも、複数のＬＥＤ光源１−１，…，１−２０，…，１−４０を配置する工程の煩雑性を低減することができる。
【０１９１】
更に、第３の実施形態のカメラ用ＬＥＤ照明装置１００では、複数のＬＥＤ光源１−１，…，１−２０，…，１−４０（図１８（Ａ）、図１９および図２０参照）からの光を導光して撮像レンズＡ２（図１４および図１９参照）の視野範囲ＶＲ（図１２および図１３参照）に照射するためのＮ個の直線状の導光レンズ２．１，２．２，２．３，２．４（図１８（Ｂ）、図１９および図２０参照）が設けられている。また、例えば固定部材５ａ，５ｂ（図１８（Ｂ）および図１９参照）によって導光レンズ２．１，２．２，２．３，２．４がハウジング４（図１８および図１９参照）に固定され、それにより、導光レンズ２．１，２．２，２．３，２．４が複数のＬＥＤ光源１−１，…，１−２０，…，１−４０に対して位置決めされている。
【０１９２】
また、第３の実施形態のカメラ用ＬＥＤ照明装置１００では、例えば正方形のような正Ｎ角形Ｐ１（図１８（Ａ）参照）のＮ本の辺ＳＤ１，ＳＤ２，ＳＤ３，，ＳＤ４（図１８（Ａ）参照）のそれぞれに平行にＮ個の直線状の導光レンズ２．１，２．２，２．３，２．４（図１８（Ｂ）参照）が配列されている。更に、複数のＬＥＤ光源１−１，…，１−２０，…，１−４０（図１８（Ａ）、図１９および図２０参照）のうちの一のＬＥＤ光源１−１（図１８（Ａ）、図１９および図２０参照）が、正Ｎ角形Ｐ１（図１８（Ａ）参照）の辺ＳＤ１（図１８（Ａ）参照）上に配置されている。
【０１９３】
第３の実施形態のカメラ用ＬＥＤ照明装置１００のＬＥＤ光源１−１（図１８（Ａ）参照）の光軸１−１’（図１８（Ａ）参照）を含む平面Ｓ２（図１８（Ａ）参照）内であって、正Ｎ角形Ｐ１（図１８（Ａ）参照）の辺ＳＤ１（図１８（Ａ）参照）に垂直な平面Ｓ２（図１８（Ａ）参照）内における導光レンズ２．１（図１８（Ｂ）参照）の入射面２ａ１，２ａ２，２ａ３（図２０（Ｂ）参照）、反射面２ｂ１，２ｂ２，２ｃ１，２ｃ２，２ｃ３，２ｃ４，２ｃ５（図２０（Ｂ）参照）および出光面２ｄ１，２ｄ２，２ｄ３，２ｄ４，２ｄ５，２ｄ６，２ｄ７，２ｄ８，２ｄ９（図２０（Ｂ）参照）の形状が、第１の実施形態のカメラ用ＬＥＤ照明装置１００の平面Ｓ１（図１（Ａ）参照）内における導光レンズ２の入射面２ａ１，２ａ２，２ａ３（図４（Ｂ）参照）、反射面２ｂ１，２ｂ２，２ｃ１，２ｃ２，２ｃ３，２ｃ４，２ｃ５（図４（Ｂ）参照）および出光面２ｄ１，２ｄ２，２ｄ３，２ｄ４，２ｄ５，２ｄ６，２ｄ７，２ｄ８，２ｄ９（図４（Ｂ）参照）の形状と同様に設定されている。
【０１９４】
また、第３の実施形態のカメラ用ＬＥＤ照明装置１００のＬＥＤ光源１−１（図２０（Ｂ）参照）の発光中心から照射され、平面Ｓ２（図１８（Ａ）参照）内を進む光の進み方が、第１の実施形態のカメラ用ＬＥＤ照明装置１００のＬＥＤ光源１−１（図４（Ｂ）参照）の発光中心から照射され、平面Ｓ１（図１（Ａ）参照）内を進む光Ｌ０，Ｌ１ａ（図５参照），Ｌ１ｂ，Ｌ２ｂ（図６参照），Ｌ３ｂ，Ｌ４ａ（図７参照），Ｌ５ａ，Ｌ５ｂ（図８参照），Ｌ４ｂ，Ｌ８ｂ（図９参照），Ｌ２ａ，Ｌ３ａ（図１０参照），Ｌ６ａ，Ｌ８ａ（図１１参照）の進み方と同様になる。
【０１９５】
更に、第３の実施形態のカメラ用ＬＥＤ照明装置１００では、平面Ｓ２（図１８（Ａ）参照）内の導光レンズ２．１（図１８（Ｂ）参照）の断面形状を辺ＳＤ１（図１８（Ａ）参照）に沿ってスイープする（押し出す）ことにより得られる柱状に、導光レンズ２．１が形成されている。また、他の導光レンズ２．２，２．３，２．４（図１８（Ｂ）参照）が導光レンズ２．１と同一形状に形成されている。更に、撮像レンズ鏡胴Ａ１（図１８（Ｂ）参照）の中心軸線Ａ１’（図１８（Ｂ）参照）を中心に導光レンズ２．１を（Ｎ−１）回（３６０／Ｎ）°ずつ回転させた位置に、他の導光レンズ２．２，２．３，２．４のそれぞれを配置することにより、Ｎ個の直線状の導光レンズ２．１，２．２，２．３，２．４が、撮像レンズ鏡胴Ａ１の中心軸線Ａ１’を中心とするＮ回回転対称に配列されている。
【０１９６】
また、第３の実施形態のカメラ用ＬＥＤ照明装置１００では、複数のＬＥＤ光源１−１，…，１−２０，…，１−４０（図１８（Ａ）参照）が、撮像レンズ鏡胴Ａ１（図１８（Ａ）参照）の中心軸線Ａ１’（図１８（Ａ）参照）を中心とする正Ｎ角形Ｐ１（図１８（Ａ）参照）のＮ本の辺ＳＤ１，ＳＤ２，ＳＤ３，ＳＤ４（図１８（Ａ）参照）上に配列されると共に、Ｎ個の直線状の導光レンズ２．１，２．２，２．３，２．４（図１８（Ｂ）参照）が、正Ｎ角形Ｐ１（図１８（Ａ）参照）のＮ本の辺ＳＤ１，ＳＤ２，ＳＤ３，ＳＤ４（図１８（Ａ）参照）のそれぞれに平行に配置されている。
【０１９７】
つまり、第３の実施形態のカメラ用ＬＥＤ照明装置１００では、複数のＬＥＤ光源１−１，…，１−２０，…，１−４０（図１８（Ａ）参照）からの光のそれぞれが、広角の撮像レンズＡ２（図１９参照）の視野範囲ＶＲ（図１２および図１３参照）の中央部分ＶＲ１（図１２および図１３参照）および周縁部分ＶＲ２（図１２および図１３参照）のうち、周方向の異なる位置に照射される。
【０１９８】
そのため、第３の実施形態のカメラ用ＬＥＤ照明装置１００によれば、複数のＬＥＤ光源１−１，…，１−２０，…，１−４０（図１８（Ａ）参照）からの光を、広角の撮像レンズＡ２（図１９参照）の視野範囲ＶＲ（図１２および図１３参照）の中央部分ＶＲ１（図１２および図１３参照）および周縁部分ＶＲ２（図１２および図１３参照）の全体に照射することができる。すなわち、第３の実施形態のカメラ用ＬＥＤ照明装置１００によれば、複数のＬＥＤ光源１−１，…，１−２０，…，１−４０（図１８（Ａ）参照）からの光を、広角の撮像レンズＡ２（図１９参照）の視野範囲ＶＲ（図１２および図１３参照）の径方向および周方向の全体に照射することができる。
【０１９９】
第３の実施形態のカメラ用ＬＥＤ照明装置１００の図１８〜図２０に示す例では、Ｎの数が４に設定されているが、第３の実施形態のカメラ用ＬＥＤ照明装置１００の他の例では、代わりに、Ｎの数を、３以上であって、４以外の任意の整数に設定することが可能である。
【０２００】
第３の実施形態のカメラ用ＬＥＤ照明装置１００の図１８〜図２０に示す例では、１０個のＬＥＤ光源１−１，…，１−５，１−３６，…，１−４０（図１８（Ａ）参照）が一の辺ＳＤ１（図１８（Ａ）参照）上に等間隔で配列されているが、第３の実施形態のカメラ用ＬＥＤ照明装置１００の更に他の例では、代わりに、カメラ２００（図１４参照）のスペック等に応じて、１０個以外の数のＬＥＤ光源１−１，…を一の辺ＳＤ１上に配列したり、複数のＬＥＤ光源１−１，…の間隔を互いに異ならせたりすることも可能である。
【０２０１】
第３の実施形態のカメラ用ＬＥＤ照明装置１００の図１８〜図２０に示す例では、Ｎ個の直線状の導光レンズ２．１，２．２，２．３，２．４（図１８（Ｂ）参照）および複数のＬＥＤ光源１−１，…，１−２０，…，１−４０（図１８（Ａ）参照）のために１組の基板３（図１９参照）およびハウジング４（図１８（Ａ）参照）が設けられているが、第３の実施形態のカメラ用ＬＥＤ照明装置１００の更に他の例では、代わりに、Ｎ個の直線状の導光レンズ２．１，２．２，２．３，２．４（図１８（Ｂ）参照）および複数のＬＥＤ光源１−１，…，１−２０，…，１−４０（図１８（Ａ）参照）のためにＮ組の基板およびハウジングを設けることも可能である。
【０２０２】
以下、本発明のカメラ用ＬＥＤ照明装置の第４の実施形態について説明する。図２１〜図２３は第４の実施形態のカメラ用ＬＥＤ照明装置１００の概略的な構成図である。詳細には、図２１（Ａ）は第４の実施形態のカメラ用ＬＥＤ照明装置１００の概略的な平面図、図２１（Ｂ）は第４の実施形態のカメラ用ＬＥＤ照明装置１００の概略的な底面図である。図２２は図２１（Ａ）のＥ１−Ｅ２，Ｅ３−Ｅ４，Ｅ５−Ｅ６線に沿った概略的な断面図である。図２３（Ａ）は図２２の一部の拡大図、図２３（Ｂ）は図２３（Ａ）の一部の拡大図である。
【０２０３】
第４の実施形態のカメラ用ＬＥＤ照明装置１００では、図２１（Ａ）、図２２および図２３に示すように、複数のＬＥＤ光源１−１，１−２，１−３，１−４，１−５，１−６，１−７，１−８，１−９，１−１０，１−１１，１−１２，１−１３，１−１４，１−１５，１−１６，１−１７，１−１８，１−１９，１−２０，１−２１，１−２２，１−２３，１−２４，１−２５，１−２６，１−２７，１−２８，１−２９，１−３０，１−３１，１−３２，１−３３，１−３４，１−３５，１−３６，１−３７，１−３８，１−３９，１−４０，１−４１，１−４２，１−４３，１−４４，１−４５，１−４６，１−４７，１−４８が設けられている。また、第４の実施形態のカメラ用ＬＥＤ照明装置１００が図１４に示すようなカメラ２００に適用される場合には、複数のＬＥＤ光源１−１，…，１−２４，…，１−４８（図２１（Ａ）、図２２および図２３参照）が、カメラ２００の撮像レンズＡ２（図１４および図２２参照）を支持する撮像レンズ鏡胴Ａ１（図１４、図２１および図２２参照）の径方向外側に配置される。
【０２０４】
また、第４の実施形態のカメラ用ＬＥＤ照明装置１００では、複数のＬＥＤ光源１−１，…，１−２４，…，１−４８（図２１（Ａ）、図２２および図２３参照）が、例えば正方形のような正Ｎ角形（Ｎは３以上の整数）の内周および外周を有する基板３（図２２参照）に実装され、ハウジング４（図２１および図２２参照）に収容されている。詳細には、撮像レンズ鏡胴Ａ１（図２２参照）の中心軸線Ａ１’（図２２参照）に垂直な平面Ｓ０（図２２参照）上に位置する例えば正方形のような正Ｎ角形Ｐ１（図２１（Ａ）参照）であって、撮像レンズ鏡胴Ａ１の中心軸線Ａ１’を中心とする正Ｎ角形Ｐ１のＮ本の辺ＳＤ１，ＳＤ２，ＳＤ３，ＳＤ４（図２１（Ａ）参照）上に、複数のＬＥＤ光源１−１，…，１−２４，…，１−４８（図２１、図２２および図２３参照）が、例えば等間隔で配列されている。また、複数のＬＥＤ光源１−１，…，１−２４，…，１−４８の光軸１−１’，…，１−２４’，…（図２２参照）が撮像レンズ鏡胴Ａ１（図２２参照）の中心軸線Ａ１’（図２２参照）に平行に配置されている。
【０２０５】
そのため、第４の実施形態のカメラ用ＬＥＤ照明装置１００によれば、複数のＬＥＤ光源１−１，…，１−２４，…，１−４８の光軸１−１’，…，１−２４’，…のそれぞれが撮像レンズ鏡胴Ａ１の中心軸線Ａ１’に対して異なる角度で傾斜せしめられている場合よりも、複数のＬＥＤ光源１−１，…，１−２４，…，１−４８を配置する工程の煩雑性を低減することができる。
【０２０６】
更に、第４の実施形態のカメラ用ＬＥＤ照明装置１００では、複数のＬＥＤ光源１−１，…，１−２４，…，１−４８（図２１（Ａ）、図２２および図２３参照）からの光を導光して撮像レンズＡ２（図１４および図２２参照）の視野範囲ＶＲ（図１２および図１３参照）に照射するためのＮ個のく字状の導光レンズ２．１，２．２，２．３，２．４（図２１（Ｂ）、図２２および図２３参照）が設けられている。また、く字状の導光レンズ２．１に、正Ｎ角形Ｐ１（図２１（Ａ）参照）の辺ＳＤ１（図２１（Ａ）参照）と辺ＳＤ２（図２１（Ａ）参照）とによって構成される頂点Ｖ１（図２１（Ａ）参照）に対応する屈曲部分２．１ａ（図２１（Ｂ）参照）と、辺ＳＤ１の中点Ｍ１（図２１（Ａ）参照）と頂点Ｖ１との間の部分に対応する直線状部分２．１ｂ（図２１（Ｂ）参照）と、辺ＳＤ２の中点Ｍ２（図２１（Ａ）参照）と頂点Ｖ１との間の部分に対応する直線状部分２．１ｃ（図２１（Ｂ）参照）とが形成されている。更に、例えば固定部材５ａ，５ｂ（図２１（Ｂ）および図２２参照）によって導光レンズ２．１，２．２，２．３，２．４がハウジング４（図２１および図２２参照）に固定され、それにより、導光レンズ２．１，２．２，２．３，２．４が複数のＬＥＤ光源１−１，…，１−２４，…，１−４８に対して位置決めされている。
【０２０７】
また、第４の実施形態のカメラ用ＬＥＤ照明装置１００では、例えば正方形のような正Ｎ角形Ｐ１（図２１（Ａ）参照）のＮ個の頂点Ｖ１，Ｖ２，Ｖ３，Ｖ４（図２１（Ａ）参照）のうち、頂点Ｖ２に対応してく字状の導光レンズ２．２（図２１（Ｂ）参照）が配置され、頂点Ｖ３に対応してく字状の導光レンズ２．３（図２１（Ｂ）参照）が配置され、頂点Ｖ４に対応してく字状の導光レンズ２．４（図２１（Ｂ）参照）が配置されている。更に、正Ｎ角形Ｐ１の辺ＳＤ１（図２１（Ａ）参照）の中点Ｍ１（図２１（Ａ）参照）が導光レンズ２．１（図２１（Ｂ）参照）と導光レンズ２．４との間に配置され、辺ＳＤ２（図２１（Ａ）参照）の中点Ｍ２（図２１（Ａ）参照）が導光レンズ２．１と導光レンズ２．２との間に配置され、辺ＳＤ３（図２１（Ａ）参照）の中点Ｍ３（図２１（Ａ）参照）が導光レンズ２．２と導光レンズ２．３との間に配置され、辺ＳＤ４（図２１（Ａ）参照）の中点Ｍ４（図２１（Ａ）参照）が導光レンズ２．３と導光レンズ２．４との間に配置されている。また、複数のＬＥＤ光源１−１，…，１−２４，…，１−４８（図２１（Ａ）、図２２および図２３参照）のうちの一のＬＥＤ光源１−１（図２１（Ａ）、図２２および図２３参照）が、正Ｎ角形Ｐ１（図２１（Ａ）参照）の辺ＳＤ１（図２１（Ａ）参照）のうちの頂点Ｖ１と辺ＳＤ１の中点Ｍ１との間の部分上に配置されている。
【０２０８】
第４の実施形態のカメラ用ＬＥＤ照明装置１００のＬＥＤ光源１−１（図２１（Ａ）参照）の光軸１−１’（図２１（Ａ）参照）を含む平面Ｓ２（図２１（Ａ）参照）内であって、正Ｎ角形Ｐ１（図２１（Ａ）参照）の辺ＳＤ１（図２１（Ａ）参照）に垂直な平面Ｓ２（図２１（Ａ）参照）内における導光レンズ２．１（図２１（Ｂ）参照）の直線状部分２．１ｂ（図２１（Ｂ）参照）の入射面２ａ１，２ａ２，２ａ３（図２３（Ｂ）参照）、反射面２ｂ１，２ｂ２，２ｃ１，２ｃ２，２ｃ３，２ｃ４，２ｃ５（図２３（Ｂ）参照）および出光面２ｄ１，２ｄ２，２ｄ３，２ｄ４，２ｄ５，２ｄ６，２ｄ７，２ｄ８，２ｄ９（図２３（Ｂ）参照）の形状が、第１の実施形態のカメラ用ＬＥＤ照明装置１００の平面Ｓ１（図１（Ａ）参照）内における導光レンズ２の入射面２ａ１，２ａ２，２ａ３（図４（Ｂ）参照）、反射面２ｂ１，２ｂ２，２ｃ１，２ｃ２，２ｃ３，２ｃ４，２ｃ５（図４（Ｂ）参照）および出光面２ｄ１，２ｄ２，２ｄ３，２ｄ４，２ｄ５，２ｄ６，２ｄ７，２ｄ８，２ｄ９（図４（Ｂ）参照）の形状と同様に設定されている。
【０２０９】
また、第４の実施形態のカメラ用ＬＥＤ照明装置１００のＬＥＤ光源１−１（図２３（Ｂ）参照）の発光中心から照射され、平面Ｓ２（図２１（Ａ）参照）内を進む光の進み方が、第１の実施形態のカメラ用ＬＥＤ照明装置１００のＬＥＤ光源１−１（図４（Ｂ）参照）の発光中心から照射され、平面Ｓ１（図１（Ａ）参照）内を進む光Ｌ０，Ｌ１ａ（図５参照），Ｌ１ｂ，Ｌ２ｂ（図６参照），Ｌ３ｂ，Ｌ４ａ（図７参照），Ｌ５ａ，Ｌ５ｂ（図８参照），Ｌ４ｂ，Ｌ８ｂ（図９参照），Ｌ２ａ，Ｌ３ａ（図１０参照），Ｌ６ａ，Ｌ８ａ（図１１参照）の進み方と同様になる。
【０２１０】
更に、第４の実施形態のカメラ用ＬＥＤ照明装置１００では、平面Ｓ２（図２１（Ａ）参照）内の導光レンズ２．１（図２１（Ｂ）参照）の直線状部分２．１ｂ（図２１（Ｂ）参照）の断面形状を辺ＳＤ１（図２１（Ａ）参照）に沿ってスイープする（押し出す）ことにより得られる柱状に、導光レンズ２．１の直線状部分２．１ｂが形成されている。また、撮像レンズ鏡胴Ａ１（図２１（Ａ）参照）の中心軸線Ａ１’（図２１（Ａ）参照）と正Ｎ角形Ｐ１（図２１（Ａ）参照）の頂点Ｖ１（図２１（Ａ）参照）とを含む平面Ｓ３（図２１（Ａ）参照）に関して導光レンズ２．１の直線状部分２．１ｂと鏡像関係を有するように、導光レンズ２．１の直線状部分２．１ｃ（図２１（Ｂ）参照）が形成されている。
【０２１１】
つまり、第４の実施形態のカメラ用ＬＥＤ照明装置１００では、く字状の導光レンズ２．１（図２１（Ｂ）参照）の直線状部分２．１ｂ（図２１（Ｂ）参照）が、正Ｎ角形Ｐ１（図２１（Ａ）参照）の辺ＳＤ１（図２１（Ａ）参照）の中点Ｍ１（図２１（Ａ）参照）と頂点Ｖ１（図２１（Ａ）参照）との間の部分に対応せしめられると共に、く字状の導光レンズ２．１の直線状部分２．１ｃ（図２１（Ｂ）参照）が、正Ｎ角形Ｐ１の辺ＳＤ２（図２１（Ａ）参照）の中点Ｍ２（図２１（Ａ）参照）と頂点Ｖ１との間の部分に対応せしめられている。更に、他の導光レンズ２．２，２．３，２．４（図２１（Ｂ）参照）が導光レンズ２．１と同一形状に形成されている。また、撮像レンズ鏡胴Ａ１（図２１（Ｂ）参照）の中心軸線Ａ１’（図２１（Ｂ）参照）を中心に導光レンズ２．１を（Ｎ−１）回（３６０／Ｎ）°ずつ回転させた位置に、他の導光レンズ２．２，２．３，２．４のそれぞれを配置することにより、Ｎ個のく字状の導光レンズ２．１，２．２，２．３，２．４が、撮像レンズ鏡胴Ａ１の中心軸線Ａ１’を中心とするＮ回回転対称に配列されている。更に、複数のＬＥＤ光源１−１，…，１−２４，…，１−４８（図２１（Ａ）参照）が、撮像レンズ鏡胴Ａ１（図２１（Ａ）参照）の中心軸線Ａ１’（図２１（Ａ）参照）を中心とする正Ｎ角形Ｐ１（図２１（Ａ）参照）のＮ本の辺ＳＤ１，ＳＤ２，ＳＤ３，ＳＤ４（図２１（Ａ）参照）上に配列されている。
【０２１２】
つまり、第４の実施形態のカメラ用ＬＥＤ照明装置１００では、複数のＬＥＤ光源１−１，…，１−２４，…，１−４８（図２１（Ａ）参照）からの光のそれぞれが、広角の撮像レンズＡ２（図２２参照）の視野範囲ＶＲ（図１２および図１３参照）の中央部分ＶＲ１（図１２および図１３参照）および周縁部分ＶＲ２（図１２および図１３参照）のうち、周方向の異なる位置に照射される。
【０２１３】
そのため、第４の実施形態のカメラ用ＬＥＤ照明装置１００によれば、複数のＬＥＤ光源１−１，…，１−２４，…，１−４８（図２１（Ａ）参照）からの光を、広角の撮像レンズＡ２（図２２参照）の視野範囲ＶＲ（図１２および図１３参照）の中央部分ＶＲ１（図１２および図１３参照）および周縁部分ＶＲ２（図１２および図１３参照）の全体に照射することができる。すなわち、第４の実施形態のカメラ用ＬＥＤ照明装置１００によれば、複数のＬＥＤ光源１−１，…，１−２４，…，１−４８（図２１（Ａ）参照）からの光を、広角の撮像レンズＡ２（図２２参照）の視野範囲ＶＲ（図１２および図１３参照）の径方向および周方向の全体に照射することができる。
【０２１４】
第４の実施形態のカメラ用ＬＥＤ照明装置１００の図２１〜図２３に示す例では、Ｎの数が４に設定されているが、第４の実施形態のカメラ用ＬＥＤ照明装置１００の他の例では、代わりに、Ｎの数を、３以上であって、４以外の任意の整数に設定することが可能である。
【０２１５】
第４の実施形態のカメラ用ＬＥＤ照明装置１００の図２１〜図２３に示す例では、１２個のＬＥＤ光源１−１，…，１−６，１−４３，…，１−４８（図２１（Ａ）参照）が一の辺ＳＤ１（図２１（Ａ）参照）上に等間隔で配列されているが、第４の実施形態のカメラ用ＬＥＤ照明装置１００の更に他の例では、代わりに、カメラ２００（図１４参照）のスペック等に応じて、１２個以外の数のＬＥＤ光源１−１，…を一の辺ＳＤ１上に配列したり、複数のＬＥＤ光源１−１，…の間隔を互いに異ならせたりすることも可能である。
【０２１６】
第４の実施形態のカメラ用ＬＥＤ照明装置１００の図２１〜図２３に示す例では、Ｎ個のく字状の導光レンズ２．１，２．２，２．３，２．４（図２１（Ｂ）参照）および複数のＬＥＤ光源１−１，…，１−２４，…，１−４８（図２１（Ａ）参照）のために１組の基板３（図２２参照）およびハウジング４（図２１（Ａ）参照）が設けられているが、第４の実施形態のカメラ用ＬＥＤ照明装置１００の更に他の例では、代わりに、Ｎ個のく字状の導光レンズ２．１，２．２，２．３，２．４（図２１（Ｂ）参照）および複数のＬＥＤ光源１−１，…，１−２０，…，１−４０（図２１（Ａ）参照）のためにＮ組のく字状の基板およびハウジングを設けることも可能である。
【０２１７】
第５の実施形態では、上述した第１から第４の実施形態および各例を適宜組み合わせることも可能である。
【符号の説明】
【０２１８】
１−１                                  ＬＥＤ光源
１−１’                                光軸
２                                      導光レンズ
２Ａ                                    入光部側
２Ｂ                                    出光部側
２ａ１，２ａ２，２ａ３                  入光面
２ｂ１，２ｂ２                          反射面
２ｃ１，２ｃ２，２ｃ３，２ｃ４，２ｃ５  反射面
２ｄ１，２ｄ２，２ｄ３，２ｄ４，２ｄ５  出光面
２ｄ６，２ｄ７，２ｄ８，２ｄ９          出光面
３                                      基板
４                                      ハウジング
５ａ，５ｂ                              固定部材
Ｃ１                                    円
Ｓ０，Ｓ１，Ｓ１’，Ｓ２，Ｓ３          平面
Ｐ１                                    四角形
ＳＤ１，ＳＤ２，ＳＤ３，ＳＤ４          辺
Ｖ１，Ｖ２，Ｖ３，Ｖ４                  頂点
Ｍ１，Ｍ２，Ｍ３，Ｍ４                  中点
１００                                  カメラ用ＬＥＤ照明装置
Ａ１                                    撮像レンズ鏡胴
Ａ１’                                  中心軸線
Ａ２                                    撮像レンズ
Ａ３                                    アウターカバー
ＶＲ                                    視野範囲
ＶＲ１                                  中央部分
ＶＲ２                                  周縁部分
ＶＲ２ａ                                外縁部
ＭＡ                                    中間領域
２００                                  カメラ
【図１】
2013152311.tif 000003
【図２】
2013152311.tif 000004
【図３】
2013152311.tif 000005
【図４】
2013152311.tif 000006
【図５】
2013152311.tif 000007
【図６】
2013152311.tif 000008
【図７】
2013152311.tif 000009
【図８】
2013152311.tif 000010
【図９】
2013152311.tif 000011
【図１０】
2013152311.tif 000012
【図１１】
2013152311.tif 000013
【図１２】
2013152311.tif 000014
【図１３】
2013152311.tif 000015
【図１４】
2013152311.tif 000016
【図１５】
2013152311.tif 000017
【図１６】
2013152311.tif 000018
【図１７】
2013152311.tif 000019
【図１８】
2013152311.tif 000020
【図１９】
2013152311.tif 000021
【図２０】
2013152311.tif 000022
【図２１】
2013152311.tif 000023
【図２２】
2013152311.tif 000024
【図２３】
2013152311.tif 000025